(57)【要約】  サブフレーム処理方法およびサブフレーム処理デバイスが開示される。端末は、不連続セカンダリキャリアの最大連続チャネル占有持続期間およびチャネルリスニング持続期間、ならびに獲得される不連続セカンダリキャリアのチャネル占有開始基準時点および／またはチャネルリスニング開始基準時点に従って不連続セカンダリキャリア内の特殊サブフレームを決定することができ、特殊サブフレームはチャネルリスニング持続期間によって占有される全部または一部のギャップシンボルを含み、端末は、特殊サブフレーム内のギャップシンボルを除くすべてのシンボルをPDCCHおよび／またはPDSCHによって占有されうるシンボルとして用い、PDCCHおよび／またはPDSCHによって占有されうるシンボルに従って特殊サブフレーム内のPDCCHおよび／またはPDSCHをしかるべく受信し、または復号することができる。このようにして、CCAによって生じるギャップシンボルをサブフレーム全体から除外することができないためにリソース利用が低いという現存する問題が解決され、チャネルが不連続的に占有される場合のチャネル利用が改善される。
2017526216.tif 000002
【特許請求の範囲】
【請求項１】
端末の第1のセカンダリキャリアの第1のキャリア構成情報を決定するように構成された、情報決定モジュールであって、前記第1のセカンダリキャリアは不連続キャリアであり、前記第1のキャリア構成情報は前記第1のセカンダリキャリアの最大連続チャネル占有持続期間およびチャネルリスニング持続期間を含み、前記第1のセカンダリキャリアのチャネル占有開始基準時点および／または前記第1のセカンダリキャリアのチャネルリスニング開始基準時点をさらに含む、前記情報決定モジュールと、
前記端末が前記受信した第1のキャリア構成情報に従って、前記第1のセカンダリキャリア内の特殊サブフレームを決定する動作であって、前記特殊サブフレームはギャップシンボルの全部または一部を含み、前記ギャップシンボルは前記チャネルリスニング持続期間によって完全に、または一部が占有されるシンボルである、前記動作と、前記特殊サブフレーム内の前記ギャップシンボルを除くすべてのシンボルを物理ダウンリンク制御チャネルPDCCHおよび／または物理ダウンリンク共有チャネルPDSCHによって占有されうるシンボルとして用い、前記PDCCHおよび／または前記PDSCHによって占有されうる前記決定されたシンボルに従って前記特殊サブフレーム内の前記PDCCHおよび／または前記PDSCHをしかるべく受信し、または復号する動作と、を行うように、前記端末へ前記情報決定モジュールによって決定された前記第1のキャリア構成情報を送信するように構成された、情報送信モジュールと、
を含む、ネットワーク側デバイス。
【請求項２】
前記ネットワーク側デバイスはシンボル指定モジュールをさらに含み、
前記シンボル指定モジュールは、前記第1のセカンダリキャリアがクロススケジュールキャリアであると判定される場合、前記決定された第1のキャリア構成情報が前記端末へ送信される前に前記第1のセカンダリキャリアのPDSCH開始シンボル位置を指定するように構成されており、
前記情報送信モジュールは、前記端末が前記第1のキャリア構成情報に従って前記第1のセカンダリキャリア内の前記特殊サブフレームを決定した後で、前記端末が、シンボル位置指示情報で指示される前記PDSCH開始シンボル位置に従って、前記特殊サブフレーム内の前記PDSCH開始シンボル位置後の各非ギャップシンボルを前記PDSCHによって占有されうるシンボルとして用いるように、前記第1のセカンダリキャリアがクロススケジュールキャリアであると判定されるときに前記端末へ、前記PDSCH開始シンボル位置を指示するのに用いられる前記シンボル位置指示情報を搬送する前記第1のキャリア構成情報を送信するように特に構成されている、
請求項1に記載のネットワーク側デバイス。
【請求項３】
前記ネットワーク側デバイスはチャネル・モニタリング・モジュールをさらに含み、
前記チャネル・モニタリング・モジュールは、前記第1のセカンダリキャリアの前記第1のキャリア構成情報が決定された後で、前記第1のセカンダリキャリアに対応するチャネルが前記チャネルリスニング持続期間に対応する期間に別のネットワーク側デバイスによって占有されているかどうかモニタするように構成されており、
前記情報送信モジュールは、前記チャネル・モニタリング・モジュールのモニタリング結果が「占有されている」であるときに、前記端末が、キャリア解放メッセージに従って、前記第1のセカンダリキャリアに対して行われるデータ受信または復号動作を停止するように、前記端末へ前記キャリア解放メッセージを送信するようにさらに構成されている、
請求項1または2に記載のネットワーク側デバイス。
【請求項４】
前記情報送信モジュールは、無線リソース制御RRCメッセージ、媒体アクセス制御MAC層プロトコル・データ・ユニットPDUメッセージ、または物理層シグナリングのいずれか1つまたは複数の種類のシグナリングを用いて前記端末へ前記情報決定モジュールによって決定された前記第1のキャリア構成情報を送信するように特に構成されている、請求項1から3のいずれか一項に記載のネットワーク側デバイス。
【請求項５】
前記情報送信モジュールは、前記第1のセカンダリキャリアが前記チャネルを占有し始めた後の任意の時点に前記端末へ前記第1のキャリア構成情報において前記チャネル占有開始時点および／または前記チャネルリスニング開始時点を送信し、前記第1のセカンダリキャリアが前記端末のために構成されるときに前記端末へ前記第1のキャリア構成情報において前記第1のセカンダリキャリアの前記最大連続チャネル占有持続期間および前記チャネルリスニング持続期間を送信するように特に構成されている、請求項1から4のいずれか一項に記載のネットワーク側デバイス。
【請求項６】
前記情報決定モジュールは前記第1のセカンダリキャリアの第2のキャリア構成情報を決定するようにさらに構成されており、前記第2のキャリア構成情報は、
前記第1のセカンダリキャリアのシステムブロードキャスト情報であって、前記システムブロードキャスト情報は前記第1のセカンダリキャリアが共通チャネルを含むことを指示することができ、前記共通チャネルは、物理ブロードキャストチャネルPBCH、プライマリ同期チャネルPSS、セカンダリ同期チャネルSSS、もしくは参照信号のうちのいずれか1つもしくは複数を含む、前記第1のセカンダリキャリアの前記システムブロードキャスト情報、
第1の指示情報であって、前記第1の指示情報は前記第1のセカンダリキャリアが共通チャネルを含まないことを指示するのに用いられる、前記第1の指示情報、または、
第2の指示情報であって、前記第2の指示情報は前記第1のセカンダリキャリアで用いられる共通チャネルが拡張フォーマットの共通チャネルであることを指示するのに用いられる、前記第2の指示情報
のいずれか1つまたは複数の種類の情報を含み、
前記情報送信モジュールは、前記端末が前記受信した第2のキャリア構成情報に従って、
前記第1のセカンダリキャリアが前記共通チャネルを含むかどうか判定し、判定結果が「含む」である場合に、前記第1のセカンダリキャリアの前記サブフレーム内の前記PDCCHおよび／もしくは前記PDSCHを受信し、もしくは復号するときに、前記サブフレーム内の前記PDCCHおよび／もしくは前記PDSCHによって占有されうる前記シンボルの中から、前記共通チャネルによって占有されるシンボルを除外し、または、判定結果が「含まない」である場合に、前記第1のセカンダリキャリアの前記サブフレーム内の前記PDCCHおよび／もしくは前記PDSCHを受信し、もしくは復号するときに、前記サブフレーム内の前記PDCCHおよび／もしくは前記PDSCHによって占有されうる前記シンボルの中から、前記共通チャネルによって占有されるシンボルを除外するのをスキップする動作、あるいは、
前記第1のセカンダリキャリアにおいて前記拡張フォーマットの前記共通チャネルが用いられるかどうか判定し、判定結果が「用いられる」である場合に、前記第1のセカンダリキャリアの前記サブフレーム内の前記PDCCHおよび／もしくは前記PDSCHを受信し、もしくは復号するときに、前記サブフレーム内の前記PDCCHおよび／もしくは前記PDSCHによって占有されうる前記シンボルの中から、前記拡張フォーマットの前記共通チャネルによって占有されるシンボルを除外し、または、判定結果が「用いられない」である場合に、前記第1のセカンダリキャリアの前記サブフレーム内の前記PDCCHおよび／もしくは前記PDSCHを受信し、もしくは復号するときに、前記サブフレーム内の前記PDCCHおよび／もしくは前記PDSCHによって占有されうるシンボルの中から、前記拡張フォーマットの前記共通チャネルによって占有されるシンボルを除外するのをスキップする動作
を行うように、前記端末へ前記情報決定モジュールによって決定された前記第2のキャリア構成情報を送信するようにさらに構成されている、請求項1から5のいずれか一項に記載のネットワーク側デバイス。
【請求項７】
端末の第1のキャリアの第1のキャリア構成情報を決定するように構成された、情報決定モジュールであって、前記第1のキャリア構成情報は、
前記第1のキャリアのシステムブロードキャスト情報であって、前記システムブロードキャスト情報は前記第1のキャリアが共通チャネルを含むことを指示することができ、前記共通チャネルは、物理ブロードキャストチャネルPBCH、プライマリ同期チャネルPSS、セカンダリ同期チャネルSSS、もしくは参照信号のうちのいずれか1つもしくは複数を含む、前記第1のキャリアの前記システムブロードキャスト情報、
第1の指示情報であって、前記第1の指示情報は前記第1のキャリアが共通チャネルを含まないことを指示するのに用いられる、前記第1の指示情報、または、
第2の指示情報であって、前記第2の指示情報は前記第1のキャリアで用いられる共通チャネルが拡張フォーマットの共通チャネルであることを指示するのに用いられる、前記第2の指示情報
の任意の1つまたは複数の種類情報を含む、前記情報決定モジュールと、
前記端末が前記受信した第1のキャリア構成情報に従って、
前記第1のキャリアが前記共通チャネルを含むかどうか判定し、判定結果が「含む」である場合に、前記第1のキャリアのサブフレーム内の物理ダウンリンク制御チャネルPDCCHおよび／もしくは物理ダウンリンク共有チャネルPDSCHを受信し、もしくは復号するときに、前記サブフレーム内の前記PDCCHおよび／もしくは前記PDSCHによって占有されうるシンボルの中から、前記共通チャネルによって占有されるシンボルを除外し、または、判定結果が「含まない」である場合に、前記第1のキャリアのサブフレーム内のPDCCHおよび／もしくはPDSCHを受信し、もしくは復号するときに、前記サブフレーム内の前記PDCCHおよび／もしくは前記PDSCHによって占有されうるシンボルの中から、前記共通チャネルによって占有されるシンボルを除外するのをスキップする動作、あるいは、
前記第1のキャリアにおいて前記拡張フォーマットの前記共通チャネルが用いられるかどうか判定し、判定結果が「用いられる」である場合に、前記第1のキャリアのサブフレーム内のPDCCHおよび／もしくはPDSCHを受信し、もしくは復号するときに、前記サブフレーム内の前記PDCCHおよび／もしくは前記PDSCHによって占有されうるシンボルの中から、前記拡張フォーマットの前記共通チャネルによって占有されるシンボルを除外し、または、判定結果が「用いられない」である場合に、前記第1のキャリアのサブフレーム内のPDCCHおよび／もしくはPDSCHを受信し、もしくは復号するときに、前記サブフレーム内の前記PDCCHおよび／もしくは前記PDSCHによって占有されうるシンボルの中から、前記拡張フォーマットの前記共通チャネルによって占有されるシンボルを除外するのをスキップする動作
を行うように、前記端末へ前記情報決定モジュールによって決定された前記第1のキャリア構成情報を送信するように構成された、情報送信モジュールと、
を含む、ネットワーク側デバイス。
【請求項８】
第1のセカンダリキャリアの第1のキャリア構成情報を獲得するように構成された、情報獲得モジュールであって、前記第1のセカンダリキャリアは不連続キャリアであり、前記第1のキャリア構成情報は前記第1のセカンダリキャリアの最大連続チャネル占有持続期間およびチャネルリスニング持続期間を含み、前記第1のセカンダリキャリアのチャネル占有開始基準時点および／またはチャネルリスニング開始基準時点をさらに含む、前記情報獲得モジュールと、
前記情報獲得モジュールによって獲得された前記第1のキャリア構成情報に従って前記第1のセカンダリキャリア内の特殊サブフレームを決定するように構成された、サブフレーム決定モジュールであって、前記特殊サブフレームはギャップシンボルの全部または一部を含み、前記ギャップシンボルは前記チャネルリスニング持続期間によって完全に、または一部が占有されるシンボルである、前記サブフレーム決定モジュールと、
前記サブフレーム決定モジュールによって決定された前記特殊サブフレーム内の前記ギャップシンボルを除くすべてのシンボルを物理ダウンリンク制御チャネルPDCCHおよび／または物理ダウンリンク共有チャネルPDSCHによって占有されうるシンボルとして用い、前記PDCCHおよび／または前記PDSCHによって占有されうる前記決定されたシンボルに従って前記特殊サブフレーム内の前記PDCCHおよび／または前記PDSCHをしかるべく受信し、または復号するように構成された、サブフレーム処理モジュールと、
を含む、端末。
【請求項９】
前記サブフレーム決定モジュールは、前記第1のキャリア構成情報に含まれる前記最大連続チャネル占有持続期間、前記チャネルリスニング持続期間、ならびに前記チャネル占有開始基準時点および／または前記チャネルリスニング開始基準時点に従って前記第1のセカンダリキャリアのチャネル占有終了時点またはチャネルリスニング開始時点を決定し、前記決定されたチャネル占有終了時点または前記決定されたチャネルリスニング開始時点後のM個のシンボルを前記ギャップシンボルとして用い、前記M個のシンボルの全部または一部のシンボルを含む前記サブフレームを前記特殊サブフレームとして用いるように特に構成されており、前記M個のシンボルは前記チャネルリスニング持続期間に従って決定され、Mは1以上の正の整数である、請求項8に記載の端末。
【請求項１０】
前記第1のセカンダリキャリアのチャネル占有の終了がサブフレーム境界だけに制限される場合、
前記サブフレーム決定モジュールは、前記第1のキャリア構成情報に含まれる前記最大連続チャネル占有持続期間、前記チャネルリスニング持続期間、前記チャネル占有開始基準時点および／または前記チャネルリスニング開始基準時点、ならびにサブフレーム境界情報に従って前記第1のセカンダリキャリアの前記チャネル占有終了時点または前記チャネルリスニング開始時点を決定し、前記決定されたチャネル占有終了時点または前記決定されたチャネルリスニング開始時点後の前記M個のシンボルを前記ギャップシンボルとして用い、前記M個のシンボルの全部または一部のシンボルを含む前記サブフレームを前記特殊サブフレームとして用いるように特に構成されている、請求項8または9に記載の端末。
【請求項１１】
前記サブフレーム処理モジュールは、前記第1のキャリア構成情報がPDSCH開始シンボル位置を指示するのに用いられるシンボル位置指示情報を搬送すると判定される場合、前記シンボル位置指示情報で指示される前記PDSCH開始シンボル位置に従って、前記特殊サブフレーム内の前記PDSCH開始シンボル位置後の各非ギャップシンボルを前記PDSCHによって占有されうるシンボルとして用いる、ように特に構成されており、または、
前記特殊サブフレームの第1のシンボルから物理制御フォーマット指示チャネルPFICHを読み取り、前記PFICHに従って、前記PDCCHによって占有されうる前記シンボルを決定し、前記特殊サブフレーム内の前記ギャップシンボルおよび前記PDCCHによって占有されうる前記シンボルを除くすべてのシンボルを前記PDSCHによって占有されうる前記シンボルとして用いるように特に構成されており、または、
前記特殊サブフレームの第（M＋1）のシンボルからPFICHを読み取り、前記PFICHに従って、前記PDCCHによって占有されうる前記シンボルを決定し、前記特殊サブフレーム内の前記ギャップシンボルおよび前記PDCCHによって占有されうる前記シンボルを除くすべてのシンボルを前記PDSCHによって占有されうる前記シンボルとして用いるように特に構成されている、
請求項8から10のいずれか一項に記載の端末。
【請求項１２】
前記端末は情報モニタリングモジュールをさらに含み、
前記情報モニタリングモジュールは、任意のギャップシンボルについて、前記ギャップシンボルに関するエネルギー検出を行う、ように構成されており、かつ／もしくは前記第1のセカンダリキャリアについてのキャリア解放メッセージがネットワーク側デバイスから受信されるかどうかモニタするように構成されており、
前記サブフレーム処理モジュールは、任意のギャップシンボルについて、前記情報モニタリングモジュールによって検出された前記ギャップシンボルのエネルギーが指定されたエネルギー閾値より高いと判定されるときに、前記ギャップシンボルの全部もしくは一部のシンボルを含む前記特殊サブフレームの受信もしくは復号を停止する、ようにさらに構成されており、または、前記情報モニタリングモジュールが前記第1のセカンダリキャリアについての前記キャリア解放メッセージが前記ネットワーク側デバイスから受信されたことを検出したときに、前記第1のセカンダリキャリアに対して行われるデータ受信または復号動作を停止するようにさらに構成されている、
請求項8から11のいずれか一項に記載の端末。
【請求項１３】
前記情報獲得モジュールによって獲得された前記第1のキャリア構成情報は前記ネットワーク側デバイスによって前記端末へ送信される、請求項8から12のいずれか一項に記載の端末。
【請求項１４】
前記情報獲得モジュールによって獲得された前記第1のキャリア構成情報は、無線リソース制御プロトコルRRCメッセージ、媒体アクセス制御MAC層プロトコル・データ・ユニットPDUメッセージ、または物理層シグナリングのいずれか1つまたは複数の種類のシグナリングを用いて前記ネットワーク側デバイスによって前記端末へ送信される、請求項13に記載の端末。
【請求項１５】
前記情報獲得モジュールによって獲得された前記第1のキャリア構成情報内の前記チャネル占有開始基準時点および／または前記チャネルリスニング開始基準時点は、前記第1のセカンダリキャリアが前記チャネルを占有し始めた後の任意の時点に前記ネットワーク側デバイスによって前記端末へ送信され、
前記情報獲得モジュールによって獲得された前記第1のキャリア構成情報内の前記第1のセカンダリキャリアの前記最大連続チャネル占有持続期間および前記チャネルリスニング持続期間は、前記ネットワーク側デバイスが前記端末のために前記第1のセカンダリキャリアを構成するときに前記端末へ送信される、請求項13または14に記載の端末。
【請求項１６】
前記情報獲得モジュールは前記ネットワーク側デバイスによって前記第1のセカンダリキャリアについて配信される第2のキャリア構成情報を受信するようにさらに構成されており、前記第2のキャリア構成情報は、
前記第1のセカンダリキャリアのシステムブロードキャスト情報であって、前記システムブロードキャスト情報は前記第1のセカンダリキャリアが共通チャネルを含むことを指示することができ、前記共通チャネルは、物理ブロードキャストチャネルPBCH、プライマリ同期チャネルPSS、セカンダリ同期チャネルSSS、もしくは参照信号のうちのいずれか1つもしくは複数を含む、前記第1のセカンダリキャリアの前記システムブロードキャスト情報、
第1の指示情報であって、前記第1の指示情報は前記第1のセカンダリキャリアが共通チャネルを含まないことを指示するのに用いられる、前記第1の指示情報、または、
第2の指示情報であって、前記第2の指示情報は前記第1のセカンダリキャリアで用いられる共通チャネルが拡張フォーマットの共通チャネルであることを指示するのに用いられる、前記第2の指示情報
のいずれか1つまたは複数の種類の情報を含み、
前記サブフレーム処理モジュールは、前記第2のキャリア構成情報に従って、前記第1のセカンダリキャリアが前記共通チャネルを含むかどうか判定し、判定結果が「含む」である場合に、前記第1のセカンダリキャリアの前記サブフレーム内の前記PDCCHおよび／もしくは前記PDSCHを受信し、もしくは復号するときに、前記サブフレーム内の前記PDCCHおよび／もしくは前記PDSCHによって占有されうる前記シンボルの中から、前記共通チャネルによって占有されるシンボルを除外し、または、判定結果が「含まない」である場合に、前記第1のセカンダリキャリアの前記サブフレーム内の前記PDCCHおよび／もしくは前記PDSCHを受信し、もしくは復号するときに、前記サブフレーム内の前記PDCCHおよび／もしくは前記PDSCHによって占有されうる前記シンボルの中から、前記共通チャネルによって占有されるシンボルを除外するのをスキップする、ようにさらに構成されており、あるいは、
前記第2のキャリア構成情報に従って、前記第1のセカンダリキャリアにおいて前記拡張フォーマットの前記共通チャネルが用いられるかどうか判定し、判定結果が「用いられる」である場合に、前記第1のセカンダリキャリアの前記サブフレーム内の前記PDCCHおよび／もしくは前記PDSCHを受信し、もしくは復号するときに、前記サブフレーム内の前記PDCCHおよび／もしくは前記PDSCHによって占有されうる前記シンボルの中から、前記拡張フォーマットの前記共通チャネルによって占有されるシンボルを除外し、または、判定結果が「用いられない」である場合に、前記第1のセカンダリキャリアの前記サブフレーム内の前記PDCCHおよび／もしくは前記PDSCHを受信し、もしくは復号するときに、前記サブフレーム内の前記PDCCHおよび／もしくは前記PDSCHによって占有されうる前記シンボルの中から、前記拡張フォーマットの前記共通チャネルによって占有されるシンボルを除外するのをスキップするようにさらに構成されている、
請求項8から15のいずれか一項に記載の端末。
【請求項１７】
前記サブフレーム処理モジュールは、前記第2のキャリア構成情報が前記第1の指示情報を含むと判定される場合、もしくは前記第2のキャリア構成情報が前記システムブロードキャスト情報を含まないと判定される場合に、前記第1のセカンダリキャリアは前記共通チャネルを含まないと判定する、ように特に構成されており、または、
前記第2のキャリア構成情報が前記第1の指示情報を含まないと判定される場合、もしくは前記第2のキャリア構成情報が前記システムブロードキャスト情報を含むと判定される場合に、前記第1のセカンダリキャリアは前記共通チャネルを含むと判定する、ように特に構成されている、
請求項16に記載の端末。
【請求項１８】
前記サブフレーム処理モジュールは、前記第2のキャリア構成情報が前記第2の指示情報を含むと判定される場合、前記第1のセカンダリキャリアにおいて前記拡張フォーマットの前記共通チャネルが用いられると判定する、ように特に構成されており、または、
前記第2のキャリア構成情報が前記第2の指示情報を含まないと判定される場合、前記第1のセカンダリキャリアにおいて非拡張フォーマットの共通チャネルが用いられると判定する、ように特に構成されている、
請求項16または17に記載の端末。
【請求項１９】
ネットワーク側デバイスによって第1のキャリアについて配信される第1のキャリア構成情報を受信するように構成された、情報受信モジュールであって、前記第1のキャリア構成情報は、
前記第1のキャリアのシステムブロードキャスト情報であって、前記システムブロードキャスト情報は前記第1のキャリアが共通チャネルを含むことを指示することができ、前記共通チャネルは、物理ブロードキャストチャネルPBCH、プライマリ同期チャネルPSS、セカンダリ同期チャネルSSS、もしくは参照信号のうちのいずれか1つもしくは複数を含む、前記第1のキャリアの前記システムブロードキャスト情報、
第1の指示情報であって、前記第1の指示情報は前記第1のキャリアが共通チャネルを含まないことを指示するのに用いられる、前記第1の指示情報、または、
第2の指示情報であって、前記第2の指示情報は前記第1のキャリアで用いられる共通チャネルが拡張フォーマットの共通チャネルであることを指示するのに用いられる、前記第2の指示情報
の任意の1つまたは複数の種類情報を含む、前記情報受信モジュールと、
前記第1のキャリア構成情報に従って、前記第1のキャリアが前記共通チャネルを含むかどうか判定し、判定結果が「含む」である場合に、前記第1のキャリアのサブフレーム内の物理ダウンリンク制御チャネルPDCCHおよび／もしくは物理ダウンリンク共有チャネルPDSCHを受信し、もしくは復号するときに、前記サブフレーム内の前記PDCCHおよび／もしくは前記PDSCHによって占有されうるシンボルの中から前記共通チャネルによって占有されるシンボルを除外し、または、判定結果が「含まない」である場合に、前記第1のキャリアのサブフレーム内のPDCCHおよび／もしくはPDSCHを受信し、もしくは復号するときに、前記サブフレーム内の前記PDCCHおよび／もしくは前記PDSCHによって占有されうるシンボルの中から前記共通チャネルによって占有されるシンボルを除外するのをスキップし、あるいは、
前記第1のキャリア構成情報に従って、前記第1のキャリアにおいて前記拡張フォーマットの前記共通チャネルが用いられるかどうか判定し、判定結果が「用いられる」である場合に、前記第1のキャリアのサブフレーム内のPDCCHおよび／もしくはPDSCHを受信し、もしくは復号するときに、前記サブフレーム内の前記PDCCHおよび／もしくは前記PDSCHによって占有されうるシンボルの中から、前記拡張フォーマットの前記共通チャネルによって占有されるシンボルを除外し、または、判定結果が「用いられない」である場合に、前記第1のキャリアのサブフレーム内のPDCCHおよび／もしくはPDSCHを受信し、もしくは復号するときに、前記サブフレーム内の前記PDCCHおよび／もしくは前記PDSCHによって占有されうるシンボルの中から、前記拡張フォーマットの前記共通チャネルによって占有されるシンボルを除外するのをスキップする、
ように構成された、サブフレーム処理モジュールと、
を含む、端末。
【請求項２０】
前記サブフレーム処理モジュールは、前記第1のキャリア構成情報が前記第1の指示情報を含むと判定される場合、もしくは前記第1のキャリア構成情報が前記システムブロードキャスト情報を含まないと判定される場合に、前記第1のキャリアは前記共通チャネルを含まないと判定する、ように特に構成されており、または、
前記第1のキャリア構成情報が前記第1の指示情報を含まないと判定される場合、もしくは前記第1のキャリア構成情報が前記システムブロードキャスト情報を含むと判定される場合に、前記第1のキャリアは前記共通チャネルを含むと判定する、ように特に構成されている、
請求項19に記載の端末。
【請求項２１】
前記サブフレーム処理モジュールは、前記第1のキャリア構成情報が前記第2の指示情報を含むと判定される場合、前記第1のキャリアにおいて前記拡張フォーマットの前記共通チャネルが用いられると判定する、ように特に構成されており、または、
前記第1のキャリア構成情報が前記第2の指示情報を含まないと判定される場合、前記第1のキャリアにおいて非拡張フォーマットの共通チャネルが用いられると判定する、ように特に構成されている、
請求項19または20に記載の端末。
【請求項２２】
端末の第1のセカンダリキャリアの第1のキャリア構成情報を決定するように構成された、プロセッサであって、前記第1のセカンダリキャリアは不連続キャリアであり、前記第1のキャリア構成情報は前記第1のセカンダリキャリアの最大連続チャネル占有持続期間およびチャネルリスニング持続期間を含み、前記第1のセカンダリキャリアのチャネル占有開始基準時点および／または前記第1のセカンダリキャリアのチャネルリスニング開始基準時点をさらに含む、前記プロセッサと、
前記端末が前記受信した第1のキャリア構成情報に従って、前記第1のセカンダリキャリア内の特殊サブフレームを決定する動作であって、前記特殊サブフレームはギャップシンボルの全部または一部を含み、前記ギャップシンボルは前記チャネルリスニング持続期間によって完全に、または一部が占有されるシンボルである、前記動作と、前記特殊サブフレーム内の前記ギャップシンボルを除くすべてのシンボルを物理ダウンリンク制御チャネルPDCCHおよび／または物理ダウンリンク共有チャネルPDSCHによって占有されうるシンボルとして用い、前記PDCCHおよび／または前記PDSCHによって占有されうる前記決定されたシンボルに従って前記特殊サブフレーム内の前記PDCCHおよび／または前記PDSCHをしかるべく受信し、または復号する動作と、を行うように、前記端末へ前記プロセッサによって決定された前記第1のキャリア構成情報を送信するように構成された、送信機と、
を含む、ネットワーク側デバイス。
【請求項２３】
前記プロセッサは、前記第1のセカンダリキャリアがクロススケジュールキャリアであると判定される場合、前記決定された第1のキャリア構成情報が前記端末へ送信される前に前記第1のセカンダリキャリアのPDSCH開始シンボル位置を指定するようにさらに構成されており、
前記送信機は、前記端末が前記第1のキャリア構成情報に従って前記第1のセカンダリキャリア内の前記特殊サブフレームを決定した後で、前記端末が、シンボル位置指示情報で指示される前記PDSCH開始シンボル位置に従って、前記特殊サブフレーム内の前記PDSCH開始シンボル位置後の各非ギャップシンボルを前記PDSCHによって占有されうるシンボルとして用いるように、前記第1のセカンダリキャリアがクロススケジュールキャリアであると判定されるときに前記端末へ、前記PDSCH開始シンボル位置を指示するのに用いられる前記シンボル位置指示情報を搬送する前記第1のキャリア構成情報を送信するように特に構成されている、請求項22に記載のネットワーク側デバイス。
【請求項２４】
前記ネットワーク側デバイスはモニタをさらに含み、
前記モニタは、前記第1のセカンダリキャリアの前記第1のキャリア構成情報が決定された後で、前記第1のセカンダリキャリアに対応するチャネルがチャネルリスニング持続期間に対応する期間に別のネットワーク側デバイスによって占有されているかどうかモニタするように構成されており、
前記送信機は、前記モニタのモニタリング結果が「占有されている」であるときに、前記端末が、キャリア解放メッセージに従って、前記第1のセカンダリキャリアに対して行われるデータ受信または復号動作を停止するように、前記端末へ前記キャリア解放メッセージを送信するようにさらに構成されている、
請求項22または23に記載のネットワーク側デバイス。
【請求項２５】
前記送信機は、前記プロセッサによって決定された前記第1のキャリア構成情報を、無線リソース制御プロトコルRRCメッセージ、媒体アクセス制御MAC層プロトコル・データ・ユニットPDUメッセージ、または物理層シグナリングのいずれか1つまたは複数の種類のシグナリングを用いて前記ネットワーク側デバイスによって前記端末へ送信するように構成されている、請求項22から24のいずれか一項に記載のネットワーク側デバイス。
【請求項２６】
前記送信機は、前記第1のセカンダリキャリアが前記チャネルを占有し始めた後の任意の時点に前記端末へ前記第1のキャリア構成情報において前記チャネル占有開始時点および／または前記チャネルリスニング開始時点を送信し、前記第1のセカンダリキャリアが前記端末のために構成されるときに前記端末へ前記第1のキャリア構成情報において前記第1のセカンダリキャリアの前記最大連続チャネル占有持続期間および前記チャネルリスニング持続期間を送信するように特に構成されている、請求項22から25のいずれか一項に記載のネットワーク側デバイス。
【請求項２７】
前記プロセッサは前記第1のセカンダリキャリアの第2のキャリア構成情報を決定するようにさらに構成されており、前記第2のキャリア構成情報は、
前記第1のセカンダリキャリアのシステムブロードキャスト情報であって、前記システムブロードキャスト情報は前記第1のセカンダリキャリアが共通チャネルを含むことを指示することができ、前記共通チャネルは、物理ブロードキャストチャネルPBCH、プライマリ同期チャネルPSS、セカンダリ同期チャネルSSS、もしくは参照信号のうちのいずれか1つもしくは複数を含む、前記第1のセカンダリキャリアの前記システムブロードキャスト情報、
第1の指示情報であって、前記第1の指示情報は前記第1のセカンダリキャリアが共通チャネルを含まないことを指示するのに用いられる、前記第1の指示情報、または、
第2の指示情報であって、前記第2の指示情報は前記第1のセカンダリキャリアで用いられる共通チャネルが拡張フォーマットの共通チャネルであることを指示するのに用いられる、前記第2の指示情報
のいずれか1つまたは複数の種類の情報を含み、
前記送信機は、前記端末が前記受信した第2のキャリア構成情報に従って、
前記第1のセカンダリキャリアが前記共通チャネルを含むかどうか判定し、判定結果が「含む」である場合に、前記第1のセカンダリキャリアの前記サブフレーム内の前記PDCCHおよび／もしくは前記PDSCHを受信し、もしくは復号するときに、前記サブフレーム内の前記PDCCHおよび／もしくは前記PDSCHによって占有されうる前記シンボルの中から、前記共通チャネルによって占有されるシンボルを除外し、または、判定結果が「含まない」である場合に、前記第1のセカンダリキャリアの前記サブフレーム内の前記PDCCHおよび／もしくは前記PDSCHを受信し、もしくは復号するときに、前記サブフレーム内の前記PDCCHおよび／もしくは前記PDSCHによって占有されうる前記シンボルの中から、前記共通チャネルによって占有されるシンボルを除外するのをスキップする動作、あるいは、
前記第1のセカンダリキャリアにおいて前記拡張フォーマットの前記共通チャネルが用いられるかどうか判定し、判定結果が「用いられる」である場合に、前記第1のセカンダリキャリアの前記サブフレーム内の前記PDCCHおよび／もしくは前記PDSCHを受信し、もしくは復号するときに、前記サブフレーム内の前記PDCCHおよび／もしくは前記PDSCHによって占有されうる前記シンボルの中から、前記拡張フォーマットの前記共通チャネルによって占有されるシンボルを除外し、または、判定結果が「用いられない」である場合に、前記第1のセカンダリキャリアの前記サブフレーム内の前記PDCCHおよび／もしくは前記PDSCHを受信し、もしくは復号するときに、前記サブフレーム内の前記PDCCHおよび／もしくは前記PDSCHによって占有されうるシンボルの中から、前記拡張フォーマットの前記共通チャネルによって占有されるシンボルを除外するのをスキップする動作
を行うように、前記端末へ前記プロセッサによって決定された前記第2のキャリア構成情報を送信するようにさらに構成されている、請求項22から26のいずれか一項に記載のネットワーク側デバイス。
【請求項２８】
端末の第1のキャリアの第1のキャリア構成情報を決定するように構成された、プロセッサであって、前記第1のキャリア構成情報は、
前記第1のキャリアのシステムブロードキャスト情報であって、前記システムブロードキャスト情報は前記第1のキャリアが共通チャネルを含むことを指示することができ、前記共通チャネルは、物理ブロードキャストチャネルPBCH、プライマリ同期チャネルPSS、セカンダリ同期チャネルSSS、もしくは参照信号のうちのいずれか1つもしくは複数を含む、前記第1のキャリアの前記システムブロードキャスト情報、
第1の指示情報であって、前記第1の指示情報は前記第1のキャリアが共通チャネルを含まないことを指示するのに用いられる、前記第1の指示情報、または、
第2の指示情報であって、前記第2の指示情報は前記第1のキャリアで用いられる共通チャネルが拡張フォーマットの共通チャネルであることを指示するのに用いられる、前記第2の指示情報
の任意の1つまたは複数の種類情報を含む、前記プロセッサと、
前記端末が前記受信した第1のキャリア構成情報に従って、
前記第1のキャリアが前記共通チャネルを含むかどうか判定し、判定結果が「含む」である場合に、前記第1のキャリアのサブフレーム内の物理ダウンリンク制御チャネルPDCCHおよび／もしくは物理ダウンリンク共有チャネルPDSCHを受信し、もしくは復号するときに、前記サブフレーム内の前記PDCCHおよび／もしくは前記PDSCHによって占有されうるシンボルの中から、前記共通チャネルによって占有されるシンボルを除外し、または、判定結果が「含まない」である場合に、前記第1のキャリアのサブフレーム内のPDCCHおよび／もしくはPDSCHを受信し、もしくは復号するときに、前記サブフレーム内の前記PDCCHおよび／もしくは前記PDSCHによって占有されうるシンボルの中から、前記共通チャネルによって占有されるシンボルを除外するのをスキップする動作、あるいは、
前記第1のキャリアにおいて前記拡張フォーマットの前記共通チャネルが用いられるかどうか判定し、判定結果が「用いられる」である場合に、前記第1のキャリアのサブフレーム内のPDCCHおよび／もしくはPDSCHを受信し、もしくは復号するときに、前記サブフレーム内の前記PDCCHおよび／もしくは前記PDSCHによって占有されうるシンボルの中から、前記拡張フォーマットの前記共通チャネルによって占有されるシンボルを除外し、または、判定結果が「用いられない」である場合に、前記第1のキャリアのサブフレーム内のPDCCHおよび／もしくはPDSCHを受信し、もしくは復号するときに、前記サブフレーム内の前記PDCCHおよび／もしくは前記PDSCHによって占有されうるシンボルの中から、前記拡張フォーマットの前記共通チャネルによって占有されるシンボルを除外するのをスキップする動作
を行うように、前記端末へ前記プロセッサによって決定された前記第1のキャリア構成情報を送信するように構成された、送信機と、
を含む、ネットワーク側デバイス。
【請求項２９】
第1のセカンダリキャリアの第1のキャリア構成情報を獲得するように構成された、受信機であって、前記第1のセカンダリキャリアは不連続キャリアであり、前記第1のキャリア構成情報は前記第1のセカンダリキャリアの最大連続チャネル占有持続期間およびチャネルリスニング持続期間を含み、前記第1のセカンダリキャリアのチャネル占有開始基準時点および／またはチャネルリスニング開始基準時点をさらに含む、前記受信機と、
前記受信機によって獲得された前記第1のキャリア構成情報に従って前記第1のセカンダリキャリア内の特殊サブフレームを決定するように構成された、プロセッサであって、前記特殊サブフレームはギャップシンボルの全部または一部を含み、前記ギャップシンボルは前記チャネルリスニング持続期間によって完全に、または一部が占有されるシンボルであり、前記プロセッサは、前記決定された特殊サブフレーム内の前記ギャップシンボルを除くすべてのシンボルを物理ダウンリンク制御チャネルPDCCHおよび／または物理ダウンリンク共有チャネルPDSCHによって占有されうるシンボルとして用い、前記PDCCHおよび／または前記PDSCHによって占有されうる前記決定されたシンボルに従って前記特殊サブフレーム内の前記PDCCHおよび／または前記PDSCHをしかるべく受信し、または復号するように構成されている、前記プロセッサと、
を含む、端末。
【請求項３０】
前記プロセッサは、前記第1のキャリア構成情報に含まれる前記最大連続チャネル占有持続期間、前記チャネルリスニング持続期間、ならびに前記チャネル占有開始基準時点および／または前記チャネルリスニング開始基準時点に従って前記第1のセカンダリキャリアのチャネル占有終了時点またはチャネルリスニング開始時点を決定し、前記決定されたチャネル占有終了時点または前記決定されたチャネルリスニング開始時点後のM個のシンボルを前記ギャップシンボルとして用い、前記M個のシンボルの全部または一部のシンボルを含む前記サブフレームを前記特殊サブフレームとして用いるように特に構成されており、前記M個のシンボルは前記チャネルリスニング持続期間に従って決定され、Mは1以上の正の整数である、請求項29に記載の端末。
【請求項３１】
前記第1のセカンダリキャリアのチャネル占有の終了がサブフレーム境界だけに制限される場合、
前記プロセッサは、前記第1のキャリア構成情報に含まれる前記最大連続チャネル占有持続期間、前記チャネルリスニング持続期間、前記チャネル占有開始基準時点および／または前記チャネルリスニング開始基準時点、ならびにサブフレーム境界情報に従って前記第1のセカンダリキャリアの前記チャネル占有終了時点または前記チャネルリスニング開始時点を決定し、前記決定されたチャネル占有終了時点または前記決定されたチャネルリスニング開始時点後のM個のシンボルを前記ギャップシンボルとして用い、前記M個のシンボルの全部または一部のシンボルを含む前記サブフレームを前記特殊サブフレームとして用いるように特に構成されている、請求項29または30に記載の端末。
【請求項３２】
前記プロセッサは、前記第1のキャリア構成情報がPDSCH開始シンボル位置を指示するのに用いられるシンボル位置指示情報を搬送すると判定される場合、前記シンボル位置指示情報で指示される前記PDSCH開始シンボル位置に従って、前記特殊サブフレーム内の前記PDSCH開始シンボル位置後の各非ギャップシンボルを前記PDSCHによって占有されうるシンボルとして用いる、ように特に構成することができ、または、
前記特殊サブフレームの第1のシンボルから物理制御フォーマット指示チャネルPFICHを読み取り、前記PFICHに従って、前記PDCCHによって占有されうる前記シンボルを決定し、前記特殊サブフレーム内の前記ギャップシンボルおよび前記PDCCHによって占有されうる前記シンボルを除くすべてのシンボルを前記PDSCHによって占有されうる前記シンボルとして用いるように特に構成されており、または、
前記特殊サブフレームの第（M＋1）のシンボルからPFICHを読み取り、前記PFICHに従って、前記PDCCHによって占有されうる前記シンボルを決定し、前記特殊サブフレーム内の前記ギャップシンボルおよび前記PDCCHによって占有されうる前記シンボルを除くすべてのシンボルを前記PDSCHによって占有されうる前記シンボルとして用いるように特に構成されている、
請求項29から31のいずれか一項に記載の端末。
【請求項３３】
前記端末はモニタをさらに含み、
前記モニタは、任意のギャップシンボルについて、前記ギャップシンボルに関するエネルギー検出を行う、ように構成されており、かつ／もしくは前記第1のセカンダリキャリアについてのキャリア解放メッセージがネットワーク側デバイスから受信されるかどうかモニタするように構成されており、
前記プロセッサは、任意のギャップシンボルについて、前記モニタによって検出された前記ギャップシンボルのエネルギーが指定されたエネルギー閾値より高いと判定されるときに、前記ギャップシンボルの全部もしくは一部のシンボルを含む前記特殊サブフレームの受信もしくは復号を停止する、ようにさらに構成されており、または、前記モニタが前記第1のセカンダリキャリアについての前記キャリア解放メッセージが前記ネットワーク側デバイスから受信されたことを検出したときに、前記第1のセカンダリキャリアに対して行われるデータ受信または復号動作を停止するようにさらに構成されている、
請求項29から32のいずれか一項に記載の端末。
【請求項３４】
前記受信機によって獲得された前記第1のキャリア構成情報は前記ネットワーク側デバイスによって前記端末へ送信される、請求項29から33のいずれか一項に記載の端末。
【請求項３５】
前記受信機によって獲得された前記第1のキャリア構成情報は、無線リソース制御プロトコルRRCメッセージ、媒体アクセス制御MAC層プロトコル・データ・ユニットPDUメッセージ、または物理層シグナリングのいずれか1つまたは複数の種類のシグナリングを用いて前記ネットワーク側デバイスによって前記端末へ送信される、請求項34に記載の端末。
【請求項３６】
前記受信機によって獲得された前記第1のキャリア構成情報内の前記チャネル占有開始基準時点および／または前記チャネルリスニング開始基準時点は、前記第1のセカンダリキャリアが前記チャネルを占有し始めた後の任意の時点に前記ネットワーク側デバイスによって前記端末へ送信され、
前記受信機によって獲得された前記第1のキャリア構成情報内の前記第1のセカンダリキャリアの前記最大連続チャネル占有持続期間および前記チャネルリスニング持続期間は、前記ネットワーク側デバイスが前記端末のために前記第1のセカンダリキャリアを構成するときに前記端末へ送信される、請求項34または35に記載の端末。
【請求項３７】
前記受信機は前記ネットワーク側デバイスによって前記第1のセカンダリキャリアについて配信される第2のキャリア構成情報を受信するようにさらに構成されており、前記第2のキャリア構成情報は、
前記第1のセカンダリキャリアのシステムブロードキャスト情報であって、前記システムブロードキャスト情報は前記第1のセカンダリキャリアが共通チャネルを含むことを指示することができ、前記共通チャネルは、物理ブロードキャストチャネルPBCH、プライマリ同期チャネルPSS、セカンダリ同期チャネルSSS、もしくは参照信号のうちのいずれか1つもしくは複数を含む、前記第1のセカンダリキャリアの前記システムブロードキャスト情報、
第1の指示情報であって、前記第1の指示情報は前記第1のセカンダリキャリアが共通チャネルを含まないことを指示するのに用いられる、前記第1の指示情報、または、
第2の指示情報であって、前記第2の指示情報は前記第1のセカンダリキャリアで用いられる共通チャネルが拡張フォーマットの共通チャネルであることを指示するのに用いられる、前記第2の指示情報
のいずれか1つまたは複数の種類の情報を含み、
前記プロセッサは、前記第2のキャリア構成情報に従って、前記第1のセカンダリキャリアが前記共通チャネルを含むかどうか判定し、判定結果が「含む」である場合に、前記第1のセカンダリキャリアの前記サブフレーム内の前記PDCCHおよび／もしくは前記PDSCHを受信し、もしくは復号するときに、前記サブフレーム内の前記PDCCHおよび／もしくは前記PDSCHによって占有されうる前記シンボルの中から、前記共通チャネルによって占有されるシンボルを除外し、または、判定結果が「含まない」である場合に、前記第1のセカンダリキャリアの前記サブフレーム内の前記PDCCHおよび／もしくは前記PDSCHを受信し、もしくは復号するときに、前記サブフレーム内の前記PDCCHおよび／もしくは前記PDSCHによって占有されうる前記シンボルの中から、前記共通チャネルによって占有されるシンボルを除外するのをスキップする、ようにさらに構成することができ、あるいは、
前記第2のキャリア構成情報に従って、前記第1のセカンダリキャリアにおいて前記拡張フォーマットの前記共通チャネルが用いられるかどうか判定し、判定結果が「用いられる」である場合に、前記第1のセカンダリキャリアの前記サブフレーム内の前記PDCCHおよび／もしくは前記PDSCHを受信し、もしくは復号するときに、前記サブフレーム内の前記PDCCHおよび／もしくは前記PDSCHによって占有されうる前記シンボルの中から、前記拡張フォーマットの前記共通チャネルによって占有されるシンボルを除外し、または、判定結果が「用いられない」である場合に、前記第1のセカンダリキャリアの前記サブフレーム内の前記PDCCHおよび／もしくは前記PDSCHを受信し、もしくは復号するときに、前記サブフレーム内の前記PDCCHおよび／もしくは前記PDSCHによって占有されうる前記シンボルの中から、前記拡張フォーマットの前記共通チャネルによって占有されるシンボルを除外するのをスキップするようにさらに構成されている、
請求項29から36のいずれか一項に記載の端末。
【請求項３８】
前記プロセッサは、前記第2のキャリア構成情報が前記第1の指示情報を含むと判定される場合、もしくは前記第2のキャリア構成情報が前記システムブロードキャスト情報を含まないと判定される場合に、前記第1のセカンダリキャリアは前記共通チャネルを含まないと判定する、ように特に構成されており、または、
前記第2のキャリア構成情報が前記第1の指示情報を含まないと判定される場合、もしくは前記第2のキャリア構成情報が前記システムブロードキャスト情報を含むと判定される場合に、前記第1のセカンダリキャリアは前記共通チャネルを含むと判定する、ように特に構成されている、
請求項37に記載の端末。
【請求項３９】
前記プロセッサは、前記第2のキャリア構成情報が前記第2の指示情報を含むと判定される場合、前記第1のセカンダリキャリアにおいて前記拡張フォーマットの前記共通チャネルが用いられると判定する、ように特に構成されており、または、
前記第2のキャリア構成情報が前記第2の指示情報を含まないと判定される場合、前記第1のセカンダリキャリアにおいて非拡張フォーマットの共通チャネルが用いられると判定する、ように特に構成されている、
請求項37または38に記載の端末。
【請求項４０】
ネットワーク側デバイスによって第1のキャリアについて配信される第1のキャリア構成情報を受信するように構成された、受信機であって、前記第1のキャリア構成情報は、
前記第1のキャリアのシステムブロードキャスト情報であって、前記システムブロードキャスト情報は前記第1のキャリアが共通チャネルを含むことを指示することができ、前記共通チャネルは、物理ブロードキャストチャネルPBCH、プライマリ同期チャネルPSS、セカンダリ同期チャネルSSS、もしくは参照信号のうちのいずれか1つもしくは複数を含む、前記第1のキャリアの前記システムブロードキャスト情報、
第1の指示情報であって、前記第1の指示情報は前記第1のキャリアが共通チャネルを含まないことを指示するのに用いられる、前記第1の指示情報、または、
第2の指示情報であって、前記第2の指示情報は前記第1のキャリアで用いられる共通チャネルが拡張フォーマットの共通チャネルであることを指示するのに用いられる、前記第2の指示情報
の任意の1つまたは複数の種類情報を含む、前記受信機と、
前記第1のキャリア構成情報に従って、前記第1のキャリアが前記共通チャネルを含むかどうか判定し、判定結果が「含む」である場合に、前記第1のキャリアのサブフレーム内の物理ダウンリンク制御チャネルPDCCHおよび／もしくは物理ダウンリンク共有チャネルPDSCHを受信し、もしくは復号するときに、前記サブフレーム内の前記PDCCHおよび／もしくは前記PDSCHによって占有されうるシンボルの中から前記共通チャネルによって占有されるシンボルを除外し、または、判定結果が「含まない」である場合に、前記第1のキャリアのサブフレーム内のPDCCHおよび／もしくはPDSCHを受信し、もしくは復号するときに、前記サブフレーム内の前記PDCCHおよび／もしくは前記PDSCHによって占有されうるシンボルの中から前記共通チャネルによって占有されるシンボルを除外するのをスキップし、あるいは、
前記第1のキャリア構成情報に従って、前記第1のキャリアにおいて前記拡張フォーマットの前記共通チャネルが用いられるかどうか判定し、判定結果が「用いられる」である場合に、前記第1のキャリアのサブフレーム内のPDCCHおよび／もしくはPDSCHを受信し、もしくは復号するときに、前記サブフレーム内の前記PDCCHおよび／もしくは前記PDSCHによって占有されうるシンボルの中から、前記拡張フォーマットの前記共通チャネルによって占有されるシンボルを除外し、または、判定結果が「用いられない」である場合に、前記第1のキャリアのサブフレーム内のPDCCHおよび／もしくはPDSCHを受信し、もしくは復号するときに、前記サブフレーム内の前記PDCCHおよび／もしくは前記PDSCHによって占有されうるシンボルの中から、前記拡張フォーマットの前記共通チャネルによって占有されるシンボルを除外するのをスキップする、
ように構成された、前記プロセッサと、
を含む、端末。
【請求項４１】
前記プロセッサは、前記第1のキャリア構成情報が前記第1の指示情報を含むと判定される場合、もしくは前記第1のキャリア構成情報が前記システムブロードキャスト情報を含まないと判定される場合に、前記第1のキャリアは前記共通チャネルを含まないと判定する、ように特に構成されており、または、
前記第1のキャリア構成情報が前記第1の指示情報を含まないと判定される場合、もしくは前記第1のキャリア構成情報が前記システムブロードキャスト情報を含むと判定される場合に、前記第1のキャリアは前記共通チャネルを含むと判定する、ように特に構成されている、
請求項40に記載の端末。
【請求項４２】
前記プロセッサは、前記第1のキャリア構成情報が前記第2の指示情報を含むと判定される場合、前記第1のキャリアにおいて前記拡張フォーマットの前記共通チャネルが用いられると判定する、ように特に構成されており、または、
前記第1のキャリア構成情報が前記第2の指示情報を含まないと判定される場合、前記第1のキャリアにおいて非拡張フォーマットの共通チャネルが用いられると判定する、ように特に構成されている、
請求項40または41に記載の端末。
【請求項４３】
ネットワーク側デバイスが、端末の第1のセカンダリキャリアの第1のキャリア構成情報を決定するステップであって、前記第1のセカンダリキャリアは不連続キャリアであり、前記第1のキャリア構成情報は前記第1のセカンダリキャリアの最大連続チャネル占有持続期間およびチャネルリスニング持続期間を含み、前記第1のセカンダリキャリアのチャネル占有開始基準時点および／または前記第1のセカンダリキャリアのチャネルリスニング開始基準時点をさらに含む、前記ステップと、
前記端末が前記受信した第1のキャリア構成情報に従って、前記第1のセカンダリキャリア内の特殊サブフレームを決定する動作であって、前記特殊サブフレームはギャップシンボルの全部または一部を含み、前記ギャップシンボルはチャネルリスニング持続期間によって完全に、または一部が占有されるシンボルである、前記動作と、前記特殊サブフレーム内の前記ギャップシンボルを除くすべてのシンボルを物理ダウンリンク制御チャネルPDCCHおよび／または物理ダウンリンク共有チャネルPDSCHによって占有されうるシンボルとして用い、前記PDCCHおよび／または前記PDSCHによって占有されうる前記決定されたシンボルに従って前記特殊サブフレーム内の前記PDCCHおよび／または前記PDSCHをしかるべく受信し、または復号する動作と、を行うように、前記端末へ前記決定された第1のキャリア構成情報を送信するステップと、
を含む、サブフレーム処理方法。
【請求項４４】
前記端末へ前記決定された第1のキャリア構成情報を送信するステップの前に、前記方法は、
前記第1のセカンダリキャリアがクロススケジュールキャリアであると判定される場合、前記第1のセカンダリキャリアのPDSCH開始シンボル位置を指定するステップ、
をさらに含み、
前記端末へ前記決定された第1のキャリア構成情報を送信する前記ステップは、
前記第1のセカンダリキャリアがクロススケジュールキャリアであると判定されるときに、前記端末が前記第1のキャリア構成情報に従って前記第1のセカンダリキャリア内の前記特殊サブフレームを決定した後で、前記端末が、シンボル位置指示情報で指示される前記PDSCH開始シンボル位置に従って、前記特殊サブフレーム内の前記PDSCH開始シンボル位置後の各非ギャップシンボルを前記PDSCHによって占有されうるシンボルとして用いるように、前記端末へ、前記PDSCH開始シンボル位置を指示するのに用いられる前記シンボル位置指示情報を搬送する前記第1のキャリア構成情報を送信するステップ、
を含む、請求項43に記載のサブフレーム処理方法。
【請求項４５】
第1のセカンダリキャリアの第1のキャリア構成情報を決定する前記ステップの後に、前記方法は、
前記第1のセカンダリキャリアに対応するチャネルが前記チャネルリスニング持続期間に対応する期間に別のネットワーク側デバイスによって占有されているかどうかモニタするステップと、
モニタリング結果が「占有されている」である場合、前記端末が、キャリア解放メッセージに従って、前記第1のセカンダリキャリアに対して行われるデータ受信または復号動作を停止するように、前記端末へ前記キャリア解放メッセージを送信するステップと、
をさらに含む、請求項43または44に記載のサブフレーム処理方法。
【請求項４６】
前記端末へ前記決定された第1のキャリア構成情報を送信する前記ステップは、
無線リソース制御プロトコルRRCメッセージ、媒体アクセス制御MAC層プロトコル・データ・ユニットPDUメッセージ、または物理層シグナリングのいずれか1つまたは複数の種類のシグナリングを用いて前記端末へ前記決定された第1のキャリア構成情報を送信するステップ、
を含む、請求項43から45のいずれか一項に記載のサブフレーム処理方法。
【請求項４７】
前記端末へ前記決定された第1のキャリア構成情報を送信する前記ステップは、
前記第1のセカンダリキャリアが前記チャネルを占有し始めた後の任意の時点に前記端末へ前記第1のキャリア構成情報において前記チャネル占有開始時点および／または前記チャネルリスニング開始時点を送信するステップと、
前記端末のために前記第1のセカンダリキャリアを構成するときに、前記端末へ前記第1のキャリア構成情報において前記第1のセカンダリキャリアの前記最大連続チャネル占有持続期間および前記チャネルリスニング持続期間を送信するステップと、
を含む、請求項43から46のいずれか一項に記載のサブフレーム処理方法。
【請求項４８】
前記方法は、
前記第1のセカンダリキャリアの第2のキャリア構成情報を決定するステップであって、前記第2のキャリア構成情報は、
前記第1のセカンダリキャリアのシステムブロードキャスト情報であって、前記システムブロードキャスト情報は前記第1のセカンダリキャリアが共通チャネルを含むことを指示することができ、前記共通チャネルは、物理ブロードキャストチャネルPBCH、プライマリ同期チャネルPSS、セカンダリ同期チャネルSSS、もしくは参照信号のうちのいずれか1つもしくは複数を含む、前記第1のセカンダリキャリアの前記システムブロードキャスト情報、
第1の指示情報であって、前記第1の指示情報は前記第1のセカンダリキャリアが共通チャネルを含まないことを指示するのに用いられる、前記第1の指示情報、または、
第2の指示情報であって、前記第2の指示情報は前記第1のセカンダリキャリアで用いられる共通チャネルが拡張フォーマットの共通チャネルであることを指示するのに用いられる、前記第2の指示情報
のいずれか1つまたは複数の種類の情報を含む、前記ステップと、
前記端末が前記受信した第2のキャリア構成情報に従って、
前記第1のセカンダリキャリアが前記共通チャネルを含むかどうか判定し、判定結果が「含む」である場合に、前記第1のセカンダリキャリアの前記サブフレーム内の前記PDCCHおよび／もしくは前記PDSCHを受信し、もしくは復号するときに、前記サブフレーム内の前記PDCCHおよび／もしくは前記PDSCHによって占有されうる前記シンボルの中から、前記共通チャネルによって占有されるシンボルを除外し、または、判定結果が「含まない」である場合に、前記第1のセカンダリキャリアの前記サブフレーム内の前記PDCCHおよび／もしくは前記PDSCHを受信し、もしくは復号するときに、前記サブフレーム内の前記PDCCHおよび／もしくは前記PDSCHによって占有されうる前記シンボルの中から、前記共通チャネルによって占有されるシンボルを除外するのをスキップする動作、あるいは、
前記第1のセカンダリキャリアにおいて前記拡張フォーマットの前記共通チャネルが用いられるかどうか判定し、判定結果が「用いられる」である場合に、前記第1のセカンダリキャリアの前記サブフレーム内の前記PDCCHおよび／もしくは前記PDSCHを受信し、もしくは復号するときに、前記サブフレーム内の前記PDCCHおよび／もしくは前記PDSCHによって占有されうる前記シンボルの中から、前記拡張フォーマットの前記共通チャネルによって占有されるシンボルを除外し、または、判定結果が「用いられない」である場合に、前記第1のセカンダリキャリアの前記サブフレーム内の前記PDCCHおよび／もしくは前記PDSCHを受信し、もしくは復号するときに、前記サブフレーム内の前記PDCCHおよび／もしくは前記PDSCHによって占有されうるシンボルの中から、前記拡張フォーマットの前記共通チャネルによって占有されるシンボルを除外するのをスキップする動作
を行うように、前記端末へ前記決定された第2のキャリア構成情報を送信するステップと、
をさらに含む、請求項43から47のいずれか一項に記載のサブフレーム処理方法。
【請求項４９】
ネットワーク側デバイスが、端末の第1のキャリアの第1のキャリア構成情報を決定するステップであって、前記第1のキャリア構成情報は、
前記第1のキャリアのシステムブロードキャスト情報であって、前記システムブロードキャスト情報は前記第1のキャリアが共通チャネルを含むことを指示することができ、前記共通チャネルは、物理ブロードキャストチャネルPBCH、プライマリ同期チャネルPSS、セカンダリ同期チャネルSSS、もしくは参照信号のうちのいずれか1つもしくは複数を含む、前記第1のキャリアの前記システムブロードキャスト情報、
第1の指示情報であって、前記第1の指示情報は前記第1のキャリアが共通チャネルを含まないことを指示するのに用いられる、前記第1の指示情報、または、
第2の指示情報であって、前記第2の指示情報は前記第1のキャリアで用いられる共通チャネルが拡張フォーマットの共通チャネルであることを指示するのに用いられる、前記第2の指示情報
の任意の1つまたは複数の種類情報を含む、前記ステップと、
前記端末が前記受信した第1のキャリア構成情報に従って、
前記第1のキャリアが前記共通チャネルを含むかどうか判定し、判定結果が「含む」である場合に、前記第1のキャリアのサブフレーム内の物理ダウンリンク制御チャネルPDCCHおよび／もしくは物理ダウンリンク共有チャネルPDSCHを受信し、もしくは復号するときに、前記サブフレーム内の前記PDCCHおよび／もしくは前記PDSCHによって占有されうるシンボルの中から、前記共通チャネルによって占有されるシンボルを除外し、または、判定結果が「含まない」である場合に、前記第1のキャリアのサブフレーム内のPDCCHおよび／もしくはPDSCHを受信し、もしくは復号するときに、前記サブフレーム内の前記PDCCHおよび／もしくは前記PDSCHによって占有されうるシンボルの中から、前記共通チャネルによって占有されるシンボルを除外するのをスキップする動作、あるいは、
前記第1のキャリアにおいて前記拡張フォーマットの前記共通チャネルが用いられるかどうか判定し、判定結果が「用いられる」である場合に、前記第1のキャリアのサブフレーム内のPDCCHおよび／もしくはPDSCHを受信し、もしくは復号するときに、前記サブフレーム内の前記PDCCHおよび／もしくは前記PDSCHによって占有されうるシンボルの中から、前記拡張フォーマットの前記共通チャネルによって占有されるシンボルを除外し、または、判定結果が「用いられない」である場合に、前記第1のキャリアのサブフレーム内のPDCCHおよび／もしくはPDSCHを受信し、もしくは復号するときに、前記サブフレーム内の前記PDCCHおよび／もしくは前記PDSCHによって占有されうるシンボルの中から、前記拡張フォーマットの前記共通チャネルによって占有されるシンボルを除外するのをスキップする動作
を行うように、前記端末へ前記決定された第1のキャリア構成情報を送信するステップと、
を含む、サブフレーム処理方法。
【請求項５０】
端末が、第1のセカンダリキャリアの第1のキャリア構成情報を獲得するステップであって、前記第1のセカンダリキャリアは不連続キャリアであり、前記第1のキャリア構成情報は前記第1のセカンダリキャリアの最大連続チャネル占有持続期間およびチャネルリスニング持続期間を含み、前記第1のセカンダリキャリアのチャネル占有開始基準時点および／またはチャネルリスニング開始基準時点をさらに含む、前記ステップと、
前記獲得された第1のキャリア構成情報に従って前記第1のセカンダリキャリア内の特殊サブフレームを決定するステップであって、前記特殊サブフレームはギャップシンボルの全部または一部を含み、前記ギャップシンボルは前記チャネルリスニング持続期間によって完全に、または一部が占有されるシンボルである、前記ステップと、
前記特殊サブフレーム内の前記ギャップシンボルを除くすべてのシンボルを物理ダウンリンク制御チャネルPDCCHおよび／または物理ダウンリンク共有チャネルPDSCHによって占有されうるシンボルとして用い、前記PDCCHおよび／または前記PDSCHによって占有されうる前記決定されたシンボルに従って前記特殊サブフレーム内の前記PDCCHおよび／または前記PDSCHをしかるべく受信し、または復号するステップと、
を含む、サブフレーム処理方法。
【請求項５１】
前記獲得された第1のキャリア構成情報に従って前記第1のセカンダリキャリア内の特殊サブフレームを決定する前記ステップは、
前記第1のキャリア構成情報に含まれる前記最大連続チャネル占有持続期間、前記チャネルリスニング持続期間、ならびに前記チャネル占有開始基準時点および／または前記チャネルリスニング開始基準時点に従って前記第1のセカンダリキャリアのチャネル占有終了時点またはチャネルリスニング開始時点を決定し、前記決定されたチャネル占有終了時点または決定されたチャネルリスニング開始時点後のM個のシンボルを前記ギャップシンボルとして用い、前記M個のシンボルの全部または一部のシンボルを含む前記サブフレームを前記特殊サブフレームとして用いるステップであって、前記M個のシンボルは前記チャネルリスニング持続期間に従って決定され、Mは1以上の正の整数である、前記ステップ、
を含む、請求項50に記載のサブフレーム処理方法。
【請求項５２】
前記第1のセカンダリキャリアのチャネル占有の終了がサブフレーム境界だけに制限される場合、前記獲得された第1のキャリア構成情報に従って前記不連続セカンダリキャリア内の特殊サブフレームを決定する前記ステップは、
前記第1のキャリア構成情報に含まれる前記最大連続チャネル占有持続期間、前記チャネルリスニング持続期間、前記チャネル占有開始基準時点および／または前記チャネルリスニング開始基準時点、ならびにサブフレーム境界情報に従って前記第1のセカンダリキャリアの前記チャネル占有終了時点または前記チャネルリスニング開始時点を決定し、前記決定されたチャネル占有終了時点または前記決定されたチャネルリスニング開始時点後の前記M個のシンボルを前記ギャップシンボルとして用い、前記M個のシンボルの全部または一部のシンボルを含む前記サブフレームを前記特殊サブフレームとして用いるステップ、
を含む、請求項50または51に記載のサブフレーム処理方法。
【請求項５３】
前記特殊サブフレーム内の前記ギャップシンボルを除くすべてのシンボルをPDCCHおよび／またはPDSCHによって占有されうるシンボルとして用いる前記ステップは、
前記第1のキャリア構成情報がPDSCH開始シンボル位置を指示するのに用いられるシンボル位置指示情報を搬送すると判定される場合、前記シンボル位置指示情報で指示される前記PDSCH開始シンボル位置に従って、前記特殊サブフレーム内の前記PDSCH開始シンボル位置後の各非ギャップシンボルを前記PDSCHによって占有されうるシンボルとして用いるステップ、または、
前記特殊サブフレームの第1のシンボルから物理制御フォーマット指示チャネルPFICHを読み取り、前記PFICHに従って、前記PDCCHによって占有されうる前記シンボルを決定し、前記特殊サブフレーム内の前記ギャップシンボルおよび前記PDCCHによって占有されうる前記シンボルを除くすべてのシンボルを前記PDSCHによって占有されうる前記シンボルとして用いるステップ、または、
前記特殊サブフレームの第（M＋1）のシンボルからPFICHを読み取り、前記PFICHに従って、前記PDCCHによって占有されうる前記シンボルを決定し、前記特殊サブフレーム内の前記ギャップシンボルおよび前記PDCCHによって占有されうる前記シンボルを除くすべてのシンボルを前記PDSCHによって占有されうる前記シンボルとして用いるステップ、
を含む、請求項50から52のいずれか一項に記載のサブフレーム処理方法。
【請求項５４】
前記方法は、
任意のギャップシンボルについて、前記ギャップシンボルに関するエネルギー検出を行い、検出されたエネルギーが指定されたエネルギー閾値より高いと判定したときに、前記ギャップシンボルの全部または一部のシンボルを含む前記特殊サブフレームの受信もしくは復号を停止するステップ、および／または、
前記第1のセカンダリキャリアについてのキャリア解放メッセージがネットワーク側デバイスから受信されるかどうかモニタし、受信される場合、前記第1のセカンダリキャリアに対して行われるデータ受信もしくは復号動作を停止するステップ、
をさらに含む、請求項50から53のいずれか一項に記載のサブフレーム処理方法。
【請求項５５】
前記第1のキャリア構成情報は前記ネットワーク側デバイスによって前記端末へ送信される、請求項50から54のいずれか一項に記載のサブフレーム処理方法。
【請求項５６】
前記第1のキャリア構成情報は、無線リソース制御プロトコルRRCメッセージ、媒体アクセス制御MAC層プロトコル・データ・ユニットPDUメッセージ、または物理層シグナリングのいずれか1つまたは複数の種類のシグナリングを用いて前記ネットワーク側デバイスによって前記端末へ送信される、請求項55に記載のサブフレーム処理方法。
【請求項５７】
前記第1のキャリア構成情報内の前記チャネル占有開始基準時点および／または前記チャネルリスニング開始基準時点は、前記第1のセカンダリキャリアが前記チャネルを占有し始めた後の任意の時点に前記ネットワーク側デバイスによって前記端末へ送信され、
前記第1のキャリア構成情報内の前記第1のセカンダリキャリアの前記最大連続チャネル占有持続期間および前記チャネルリスニング持続期間は、前記ネットワーク側デバイスが前記端末のために前記第1のセカンダリキャリアを構成するときに前記端末へ送信される、請求項55または56に記載のサブフレーム処理方法。
【請求項５８】
前記方法は、
前記ネットワーク側デバイスによって前記第1のセカンダリキャリアについて配信される第2のキャリア構成情報を受信するステップであって、前記第2のキャリア構成情報は、
前記第1のセカンダリキャリアのシステムブロードキャスト情報であって、前記システムブロードキャスト情報は前記第1のセカンダリキャリアが共通チャネルを含むことを指示することができ、前記共通チャネルは、物理ブロードキャストチャネルPBCH、プライマリ同期チャネルPSS、セカンダリ同期チャネルSSS、もしくは参照信号のうちのいずれか1つもしくは複数を含む、前記第1のセカンダリキャリアの前記システムブロードキャスト情報、
第1の指示情報であって、前記第1の指示情報は前記第1のセカンダリキャリアが共通チャネルを含まないことを指示するのに用いられる、前記第1の指示情報、または、
第2の指示情報であって、前記第2の指示情報は前記第1のセカンダリキャリアで用いられる共通チャネルが拡張フォーマットの共通チャネルであることを指示するのに用いられる、前記第2の指示情報
のいずれか1つまたは複数の種類の情報を含む、前記ステップと、
前記第2のキャリア構成情報に従って、前記第1のセカンダリキャリアが前記共通チャネルを含むかどうか判定し、判定結果が「含む」である場合に、前記第1のセカンダリキャリアの前記サブフレーム内の前記PDCCHおよび／もしくは前記PDSCHを受信し、もしくは復号するときに、前記サブフレーム内の前記PDCCHおよび／もしくは前記PDSCHによって占有されうる前記シンボルの中から、前記共通チャネルによって占有されるシンボルを除外し、または、判定結果が「含まない」である場合に、前記第1のセカンダリキャリアの前記サブフレーム内の前記PDCCHおよび／もしくは前記PDSCHを受信し、もしくは復号するときに、前記サブフレーム内の前記PDCCHおよび／もしくは前記PDSCHによって占有されうる前記シンボルの中から、前記共通チャネルによって占有されるシンボルを除外するのをスキップするステップ、あるいは、
前記第2のキャリア構成情報に従って、前記第1のセカンダリキャリアにおいて前記拡張フォーマットの前記共通チャネルが用いられるかどうか判定し、判定結果が「用いられる」である場合に、前記第1のセカンダリキャリアの前記サブフレーム内の前記PDCCHおよび／もしくは前記PDSCHを受信し、もしくは復号するときに、前記サブフレーム内の前記PDCCHおよび／もしくは前記PDSCHによって占有されうる前記シンボルの中から、前記拡張フォーマットの前記共通チャネルによって占有されるシンボルを除外し、または、判定結果が「用いられない」である場合に、前記第1のセカンダリキャリアの前記サブフレーム内の前記PDCCHおよび／もしくは前記PDSCHを受信し、もしくは復号するときに、前記サブフレーム内の前記PDCCHおよび／もしくは前記PDSCHによって占有されうる前記シンボルの中から、前記拡張フォーマットの前記共通チャネルによって占有されるシンボルを除外するのをスキップするステップと、
をさらに含む、請求項50から57のいずれか一項に記載のサブフレーム処理方法。
【請求項５９】
前記第2のキャリア構成情報に従って、前記第1のセカンダリキャリアが前記共通チャネルを含むかどうか判定する前記ステップは、
前記第2のキャリア構成情報が前記第1の指示情報を含むと判定される場合、もしくは前記第2のキャリア構成情報が前記システムブロードキャスト情報を含まないと判定される場合に、前記第1のセカンダリキャリアは前記共通チャネルを含まないと判定するステップ、または、
前記第2のキャリア構成情報が前記第1の指示情報を含まないと判定される場合、もしくは前記第2のキャリア構成情報が前記システムブロードキャスト情報を含むと判定される場合に、前記第1のセカンダリキャリアは前記共通チャネルを含むと判定するステップ、
を含む、請求項58に記載のサブフレーム処理方法。
【請求項６０】
前記第2のキャリア構成情報に従って、前記第1のセカンダリキャリアにおいて前記拡張フォーマットの前記共通チャネルが用いられるかどうか判定する前記ステップは、
前記第2のキャリア構成情報が前記第2の指示情報を含むと判定される場合、前記第1のセカンダリキャリアにおいて前記拡張フォーマットの前記共通チャネルが用いられると判定するステップ、または、
前記第2のキャリア構成情報が前記第2の指示情報を含まないと判定される場合、前記第1のセカンダリキャリアにおいて非拡張フォーマットの共通チャネルが用いられると判定するステップ、
を含む、請求項58または59に記載のサブフレーム処理方法。
【請求項６１】
端末が、ネットワーク側デバイスによって第1のキャリアについて配信される第1のキャリア構成情報を受信するステップであって、前記第1のキャリア構成情報は、
前記第1のキャリアのシステムブロードキャスト情報であって、前記システムブロードキャスト情報は前記第1のキャリアが共通チャネルを含むことを指示することができ、前記共通チャネルは、物理ブロードキャストチャネルPBCH、プライマリ同期チャネルPSS、セカンダリ同期チャネルSSS、もしくは参照信号のうちのいずれか1つもしくは複数を含む、前記第1のキャリアの前記システムブロードキャスト情報、
第1の指示情報であって、前記第1の指示情報は前記第1のキャリアが共通チャネルを含まないことを指示するのに用いられる、前記第1の指示情報、または、
第2の指示情報であって、前記第2の指示情報は前記第1のキャリアで用いられる共通チャネルが拡張フォーマットの共通チャネルであることを指示するのに用いられる、前記第2の指示情報
の任意の1つまたは複数の種類情報を含む、前記ステップと、
前記第1のキャリア構成情報に従って、前記第1のキャリアが前記共通チャネルを含むかどうか判定し、判定結果が「含む」である場合に、前記第1のキャリアのサブフレーム内の物理ダウンリンク制御チャネルPDCCHおよび／もしくは物理ダウンリンク共有チャネルPDSCHを受信し、もしくは復号するときに、前記サブフレーム内の前記PDCCHおよび／もしくは前記PDSCHによって占有されうるシンボルの中から前記共通チャネルによって占有されるシンボルを除外し、または、判定結果が「含まない」である場合に、前記第1のキャリアのサブフレーム内のPDCCHおよび／もしくはPDSCHを受信し、もしくは復号するときに、前記サブフレーム内の前記PDCCHおよび／もしくは前記PDSCHによって占有されうるシンボルの中から前記共通チャネルによって占有されるシンボルを除外するのをスキップするステップ、あるいは、
前記第1のキャリア構成情報に従って、前記第1のキャリアにおいて前記拡張フォーマットの前記共通チャネルが用いられるかどうか判定し、判定結果が「用いられる」である場合に、前記第1のキャリアのサブフレーム内のPDCCHおよび／もしくはPDSCHを受信し、もしくは復号するときに、前記サブフレーム内の前記PDCCHおよび／もしくは前記PDSCHによって占有されうるシンボルの中から、前記拡張フォーマットの前記共通チャネルによって占有されるシンボルを除外し、または、判定結果が「用いられない」である場合に、前記第1のキャリアのサブフレーム内のPDCCHおよび／もしくはPDSCHを受信し、もしくは復号するときに、前記サブフレーム内の前記PDCCHおよび／もしくは前記PDSCHによって占有されうるシンボルの中から、前記拡張フォーマットの前記共通チャネルによって占有されるシンボルを除外するのをスキップするステップと、
を含む、サブフレーム処理方法。
【請求項６２】
前記第1のキャリア構成情報に従って、前記第1のキャリアが前記共通チャネルを含むかどうか判定する前記ステップは、
前記第1のキャリア構成情報が前記第1の指示情報を含むと判定される場合、もしくは前記第1のキャリア構成情報が前記システムブロードキャスト情報を含まないと判定される場合に、前記第1のキャリアは前記共通チャネルを含まないと判定するステップ、または、
前記第1のキャリア構成情報が前記第1の指示情報を含まないと判定される場合、もしくは前記第1のキャリア構成情報が前記システムブロードキャスト情報を含むと判定される場合に、前記第1のキャリアは前記共通チャネルを含むと判定するステップ、
を含む、請求項61に記載のサブフレーム処理方法。
【請求項６３】
前記第1のキャリア構成情報に従って、前記第1のキャリアにおいて前記拡張フォーマットの前記共通チャネルが用いられるかどうか判定する前記ステップは、
前記第1のキャリア構成情報が前記第2の指示情報を含むと判定される場合、前記第1のキャリアにおいて前記拡張フォーマットの前記共通チャネルが用いられると判定するステップ、または、
前記第1のキャリア構成情報が前記第2の指示情報を含まないと判定される場合、前記第1のキャリアにおいて前記非拡張フォーマットの前記共通チャネルが用いられると判定するステップ、
を含む、請求項61または62に記載のサブフレーム処理方法。
【発明の詳細な説明】
【技術分野】
【０００１】
本発明は通信技術の分野に関し、詳細には、サブフレーム処理方法およびサブフレーム処理デバイスに関する。
【背景技術】
【０００２】
LTE（Long Term Evolution、ロング・ターム・エボルーション）システムまたはLTE−A（LTE−Advanced、ロング・ターム・エボルーション・アドバンスト）システムにおいては、システムのアップリンクピーク速度およびダウンリンクピーク速度を上げるために、CA（Carrier Aggregation、キャリアアグリゲーション）技術が導入され、すなわち、必要な速度を提供するために、必要に応じてUE（User Equipment、ユーザ機器）に同時にサービスするように複数の連続キャリアまたは不連続キャリアが集約される。CA技術はリソース利用を最大化し、離散的なスペクトルリソースを効果的に利用するのに用いることができる。
【０００３】
具体的には、CA技術において、基地局といったネットワーク側デバイスはUEごとに複数の動作キャリアを構成することができ、1つのキャリアはプライマリキャリアであり、その他のキャリアはセカンダリキャリアである。加えて、リソース利用を最大化するために、各セカンダリキャリアは免許不要スペクトルで構成することができる。免許不要スペクトルは、一般に、共通スペクトル、すなわち、任意の組織または任意の個人によって用いられうるスペクトルをいう。したがって、一般に、免許不要スペクトルの使用に際しては、送信前のリスニングの規則に従う必要があり、すなわち、スペクトルがアイドル状態であることが検出されるときに限り、免許不要スペクトルで信号を送信することができる。言い換えると、セカンダリキャリアが免許不要スペクトルで配置される場合には、セカンダリキャリアの使用に際して送信前のリスニングの規則に従うことも必要である。したがって、セカンダリキャリアでの送信は不連続的となりうる。
【０００４】
具体的には、免許不要スペクトルといったスペクトルに配置された不連続キャリアについて、基地局は、一般に、チャネルを用いることができるかどうか判定するために、不連続キャリアによって占有されるチャネルがアイドル状態であるかどうか評価するようにCCA（Clear Channel Assessment、クリアチャネル評価）を行うことができる。一般に、基地局がCCAを行うときには、CCAの最小持続期間（チャネルリスニング持続期間またはチャネル評価持続期間とも呼ぶことができる）は20s以上である。加えて、基地局が不連続キャリアを用いて信号を送信する最大持続期間は毎回13msを超えてはならない（すなわち、不連続キャリアの最大連続チャネル占有持続期間は13msを超えてはならない）。加えて、基地局がチャネルは長時間にわたって他のデバイスによって占有されていないと判定した場合、基地局はチャネルを周期的に占有し、その場合には基地局による2つの占有持続期間ごとに1つのCCAで隔てられうる。
【０００５】
以上の内容からわかるように、任意のUEについて、UEのために構成された複数の動作キャリア内に不連続キャリアがあるときには、不連続キャリアがいかなる信号も送信することができない20sの最小持続期間（すなわちCCA持続期間）が存在する。CCA持続期間はサブフレーム内の1シンボル未満を占有しうるにすぎないが、UEはCCAが行われる時点を知らないため、UEはCCAが行われるサブフレーム全体からCCAによって占有されるシンボルを除外することができない。したがって、CCAが行われるサブフレーム全体の14シンボルにおいて信号を送信することができず、リソース利用が低減する。
【発明の概要】
【課題を解決するための手段】
【０００６】
本発明の実施形態は、CCAによって生じるギャップシンボルをサブフレーム全体から除外することができないためにリソース利用が低いという現存する問題を解決するために、サブフレーム処理方法およびサブフレーム処理デバイスを提供する。
【０００７】
第1の態様によれば、ネットワーク側デバイスが提供され、本ネットワーク側デバイスは、
端末の第1のセカンダリキャリアの第1のキャリア構成情報を決定するように構成された、情報決定モジュールであって、第1のセカンダリキャリアは不連続キャリアであり、第1のキャリア構成情報は第1のセカンダリキャリアの最大連続チャネル占有持続期間およびチャネルリスニング持続期間を含み、第1のセカンダリキャリアのチャネル占有開始基準時点および／または第1のセカンダリキャリアのチャネルリスニング開始基準時点をさらに含む、情報決定モジュールと、
端末が受信した第1のキャリア構成情報に従って、第1のセカンダリキャリア内の特殊サブフレームを決定する動作であって、特殊サブフレームはギャップシンボルの全部または一部を含み、ギャップシンボルはチャネルリスニング持続期間によって完全に、または一部が占有されるシンボルである、動作と、特殊サブフレーム内のギャップシンボルを除くすべてのシンボルをPDCCH（Physical Downlink Control Channel、物理ダウンリンク制御チャネル）および／またはPDSCH（Physical Downlink Shared Channel、物理ダウンリンク共有チャネル）によって占有されうるシンボルとして用い、PDCCHおよび／またはPDSCHによって占有されうる決定されたシンボルに従って特殊サブフレーム内のPDCCHおよび／またはPDSCHをしかるべく受信し、または復号する動作と、を行うように、端末へ情報決定モジュールによって決定された第1のキャリア構成情報を送信するように構成された、情報送信モジュールと、
を含む。
【０００８】
第1の態様に関連して、第1の態様の第1の可能な実施態様において、ネットワーク側デバイスはシンボル指定モジュールをさらに含み、
シンボル指定モジュールは、第1のセカンダリキャリアがクロススケジュールキャリアであると判定される場合、決定された第1のキャリア構成情報が端末へ送信される前に第1のセカンダリキャリアのPDSCH開始シンボル位置を指定するように構成されており、
情報送信モジュールは、端末が第1のキャリア構成情報に従って第1のセカンダリキャリア内の特殊サブフレームを決定した後で、端末が、シンボル位置指示情報で指示されるPDSCH開始シンボル位置に従って、特殊サブフレーム内のPDSCH開始シンボル位置後の各非ギャップシンボルをPDSCHによって占有されうるシンボルとして用いるように、第1のセカンダリキャリアがクロススケジュールキャリアであると判定されるときに端末へ、PDSCH開始シンボル位置を指示するのに用いられるシンボル位置指示情報を搬送する第1のキャリア構成情報を送信するように特に構成されている。
【０００９】
第1の態様または第1の態様の第1の可能な実施態様に関連して、第1の態様の第2の可能な実施態様において、ネットワーク側デバイスはチャネル・モニタリング・モジュールをさらに含み、
チャネル・モニタリング・モジュールは、第1のセカンダリキャリアの第1のキャリア構成情報が決定された後で、第1のセカンダリキャリアに対応するチャネルがチャネルリスニング持続期間に対応する期間に別のネットワーク側デバイスによって占有されているかどうかモニタするように構成されており、
情報送信モジュールは、チャネル・モニタリング・モジュールのモニタリング結果が「占有されている」であるときに、端末が、キャリア解放メッセージに従って、第1のセカンダリキャリアに対して行われるデータ受信または復号動作を停止するように、端末へキャリア解放メッセージを送信するようにさらに構成されている。
【００１０】
第1の態様または第1の態様の第1もしくは第2の可能な実施態様に関連して、第1の態様の第3の可能な実施態様において、情報送信モジュールは、RRC（Radio Resource Control、無線リソース制御）メッセージ、MAC（Media access control、媒体アクセス制御）層PDU（Protocol Data Unit、プロトコル・データ・ユニット）メッセージ、または物理層シグナリングのいずれか1つまたは複数の種類のシグナリングを用いて端末へ情報決定モジュールによって決定された第1のキャリア構成情報を送信するように特に構成されている。
【００１１】
第1の態様または第1の態様の第1から第3の可能な実施態様のいずれか1つに関連して、第1の態様の第4の可能な実施態様において、情報送信モジュールは、第1のセカンダリキャリアがチャネルを占有し始めた後の任意の時点に端末へ第1のキャリア構成情報においてチャネル占有開始時点および／またはチャネルリスニング開始時点を送信し、第1のセカンダリキャリアが端末のために構成されるときに端末へ第1のキャリア構成情報において第1のセカンダリキャリアの最大連続チャネル占有持続期間およびチャネルリスニング持続期間を送信するように特に構成されている。
【００１２】
第1の態様または第1の態様の第1から第4の可能な実施態様のいずれか1つに関連して、第1の態様の第5の可能な実施態様において、情報決定モジュールは第1のセカンダリキャリアの第2のキャリア構成情報を決定するようにさらに構成されており、第2のキャリア構成情報は、
第1のセカンダリキャリアのシステムブロードキャスト情報であって、システムブロードキャスト情報は第1のセカンダリキャリアが共通チャネルを含むことを指示することができ、共通チャネルは、PBCH（Physical broadcast channel、物理ブロードキャストチャネル）、PSS（Primary synchronization channel、プライマリ同期チャネル）、SSS（Secondary synchronization、セカンダリ同期チャネル）、もしくは参照信号のうちのいずれか1つもしくは複数を含む、第1のセカンダリキャリアのシステムブロードキャスト情報、
第1の指示情報であって、第1の指示情報は第1のセカンダリキャリアが共通チャネルを含まないことを指示するのに用いられる、第1の指示情報、または、
第2の指示情報であって、第2の指示情報は第1のセカンダリキャリアで用いられる共通チャネルが拡張フォーマットの共通チャネルであることを指示するのに用いられる、第2の指示情報
のいずれか1つまたは複数の種類の情報を含み、
情報送信モジュールは、端末が受信した第2のキャリア構成情報に従って、
第1のセカンダリキャリアが共通チャネルを含むかどうか判定し、判定結果が「含む」である場合に、第1のセカンダリキャリアのサブフレーム内のPDCCHおよび／もしくはPDSCHを受信し、もしくは復号するときに、サブフレーム内のPDCCHおよび／もしくはPDSCHによって占有されうるシンボルの中から、共通チャネルによって占有されるシンボルを除外し、または、判定結果が「含まない」である場合に、第1のセカンダリキャリアのサブフレーム内のPDCCHおよび／もしくはPDSCHを受信し、もしくは復号するときに、サブフレーム内のPDCCHおよび／もしくはPDSCHによって占有されうるシンボルの中から、共通チャネルによって占有されるシンボルを除外するのをスキップする動作、あるいは、
第1のセカンダリキャリアにおいて拡張フォーマットの共通チャネルが用いられるかどうか判定し、判定結果が「用いられる」である場合に、第1のセカンダリキャリアのサブフレーム内のPDCCHおよび／もしくはPDSCHを受信し、もしくは復号するときに、サブフレーム内のPDCCHおよび／もしくはPDSCHによって占有されうるシンボルの中から、拡張フォーマットの共通チャネルによって占有されるシンボルを除外し、または、判定結果が「用いられない」である場合に、第1のセカンダリキャリアのサブフレーム内のPDCCHおよび／もしくはPDSCHを受信し、もしくは復号するときに、サブフレーム内のPDCCHおよび／もしくはPDSCHによって占有されうるシンボルの中から、拡張フォーマットの共通チャネルによって占有されるシンボルを除外するのをスキップする動作
を行うように、端末へ情報決定モジュールによって決定された第2のキャリア構成情報を送信するようにさらに構成されている。
【００１３】
第2の態様によれば、ネットワーク側デバイスが提供され、本ネットワーク側デバイスは、
端末の第1のキャリアの第1のキャリア構成情報を決定するように構成された、情報決定モジュールであって、第1のキャリア構成情報は、
第1のキャリアのシステムブロードキャスト情報であって、システムブロードキャスト情報は第1のキャリアが共通チャネルを含むことを指示することができ、共通チャネルはPBCH、PSS、SSS、または参照信号のうちのいずれか1つまたは複数を含む、第1のキャリアのシステムブロードキャスト情報、
第1の指示情報であって、第1の指示情報は第1のキャリアが共通チャネルを含まないことを指示するのに用いられる、第1の指示情報、または、
第2の指示情報であって、第2の指示情報は第1のキャリアで用いられる共通チャネルが拡張フォーマットの共通チャネルであることを指示するのに用いられる、第2の指示情報
のいずれか1つまたは複数の種類の情報を含む、情報決定モジュールと、
端末が受信した第1のキャリア構成情報に従って、
第1のキャリアが共通チャネルを含むかどうか判定し、判定結果が「含む」である場合に、第1のキャリアのサブフレーム内のPDCCHおよび／もしくはPDSCHを受信し、もしくは復号するときに、サブフレーム内のPDCCHおよび／もしくはPDSCHによって占有されうるシンボルの中から、共通チャネルによって占有されるシンボルを除外し、または、判定結果が「含まない」である場合に、第1のキャリアのサブフレーム内のPDCCHおよび／もしくはPDSCHを受信し、もしくは復号するときに、サブフレーム内のPDCCHおよび／もしくはPDSCHによって占有されうるシンボルの中から、共通チャネルによって占有されるシンボルを除外するのをスキップする動作、あるいは、
第1のキャリアにおいて拡張フォーマットの共通チャネルが用いられるかどうか判定し、判定結果が「用いられる」である場合に、第1のキャリアのサブフレーム内のPDCCHおよび／もしくはPDSCHを受信し、もしくは復号するときに、サブフレーム内のPDCCHおよび／もしくはPDSCHによって占有されうるシンボルの中から、拡張フォーマットの共通チャネルによって占有されるシンボルを除外し、または、判定結果が「用いられない」である場合に、第1のキャリアのサブフレーム内のPDCCHおよび／もしくはPDSCHを受信し、もしくは復号するときに、サブフレーム内のPDCCHおよび／もしくはPDSCHによって占有されうるシンボルの中から、拡張フォーマットの共通チャネルによって占有されるシンボルを除外するのをスキップする動作
を行うように、端末へ情報決定モジュールによって決定された第1のキャリア構成情報を送信するように構成された、情報送信モジュールと、
を含む。
【００１４】
第3の態様によれば、端末が提供され、本端末は、
第1のセカンダリキャリアの第1のキャリア構成情報を獲得するように構成された、情報獲得モジュールであって、第1のセカンダリキャリアは不連続キャリアであり、第1のキャリア構成情報は第1のセカンダリキャリアの最大連続チャネル占有持続期間およびチャネルリスニング持続期間を含み、第1のセカンダリキャリアのチャネル占有開始基準時点および／またはチャネルリスニング開始基準時点をさらに含む、情報獲得モジュールと、
情報獲得モジュールによって獲得された第1のキャリア構成情報に従って第1のセカンダリキャリア内の特殊サブフレームを決定するように構成された、サブフレーム決定モジュールであって、特殊サブフレームはギャップシンボルの全部または一部を含み、ギャップシンボルはチャネルリスニング持続期間によって完全に、または一部が占有されるシンボルである、サブフレーム決定モジュールと、
サブフレーム決定モジュールによって決定された特殊サブフレーム内のギャップシンボルを除くすべてのシンボルをPDCCHおよび／またはPDSCHによって占有されうるシンボルとして用い、PDCCHおよび／またはPDSCHによって占有されうる決定されたシンボルに従って特殊サブフレーム内のPDCCHおよび／またはPDSCHをしかるべく受信し、または復号するように構成された、サブフレーム処理モジュールと、
を含む。
【００１５】
第3の態様に関連して、第3の態様の第1の可能な実施態様において、サブフレーム決定モジュールは、第1のキャリア構成情報に含まれる最大連続チャネル占有持続期間、チャネルリスニング持続期間、ならびにチャネル占有開始基準時点および／またはチャネルリスニング開始基準時点に従って第1のセカンダリキャリアのチャネル占有終了時点またはチャネルリスニング開始時点を決定し、決定されたチャネル占有終了時点または決定されたチャネルリスニング開始時点後のM個のシンボルをギャップシンボルとして用い、M個のシンボルの全部または一部のシンボルを含むサブフレームを特殊サブフレームとして用いるように特に構成されており、M個のシンボルはチャネルリスニング持続期間に従って決定され、Mは1以上の正の整数である。
【００１６】
第3の態様または第3の態様の第1の可能な実施態様に関連して、第3の態様の第2の可能な実施態様において、第1のセカンダリキャリアのチャネル占有の終了がサブフレーム境界だけに制限される場合、
サブフレーム決定モジュールは、第1のキャリア構成情報に含まれる最大連続チャネル占有持続期間、チャネルリスニング持続期間、チャネル占有開始基準時点および／またはチャネルリスニング開始基準時点、ならびにサブフレーム境界情報に従って第1のセカンダリキャリアのチャネル占有終了時点またはチャネルリスニング開始時点を決定し、決定されたチャネル占有終了時点または決定されたチャネルリスニング開始時点後のM個のシンボルをギャップシンボルとして用い、M個のシンボルの全部または一部のシンボルを含むサブフレームを特殊サブフレームとして用いるように特に構成されている。
【００１７】
第3の態様または第3の態様の第1もしくは第2の可能な実施態様に関連して、第3の態様の第3の可能な実施態様において、サブフレーム処理モジュールは、第1のキャリア構成情報がPDSCH開始シンボル位置を指示するのに用いられるシンボル位置指示情報を搬送すると判定される場合、シンボル位置指示情報で指示されるPDSCH開始シンボル位置に従って、特殊サブフレーム内のPDSCH開始シンボル位置後の各非ギャップシンボルをPDSCHによって占有されうるシンボルとして用いる、ように特に構成されており、または、
特殊サブフレームの第1のシンボルからPFICH（physical control format indicator channel、物理制御フォーマット指示チャネル）を読み取り、PFICHに従って、PDCCHによって占有されうるシンボルを決定し、特殊サブフレーム内のギャップシンボルおよびPDCCHによって占有されうるシンボルを除くすべてのシンボルをPDSCHによって占有されうるシンボルとして用いるように特に構成されており、または、
特殊サブフレームの第（M＋1）のシンボルからPFICHを読み取り、PFICHに従って、PDCCHによって占有されうるシンボルを決定し、特殊サブフレーム内のギャップシンボルおよびPDCCHによって占有されうるシンボルを除くすべてのシンボルをPDSCHによって占有されうるシンボルとして用いるように特に構成されている。
【００１８】
第3の態様または第3の態様の第1から第3の可能な実施態様のいずれか1つに関連して、第3の態様の第4の可能な実施態様において、端末は情報モニタリングモジュールをさらに含み、
情報モニタリングモジュールは、任意のギャップシンボルについて、ギャップシンボルに関するエネルギー検出を行う、ように構成されており、かつ／もしくは第1のセカンダリキャリアについてのキャリア解放メッセージがネットワーク側デバイスから受信されるかどうかモニタするように構成されており、
サブフレーム処理モジュールは、任意のギャップシンボルについて、情報モニタリングモジュールによって検出されたギャップシンボルのエネルギーが指定されたエネルギー閾値より高いと判定されるときに、ギャップシンボルの全部もしくは一部のシンボルを含む特殊サブフレームの受信もしくは復号を停止する、ようにさらに構成されており、または、情報モニタリングモジュールが、第1のセカンダリキャリアについてのキャリア解放メッセージがネットワーク側デバイスから受信されたことを検出したときに、第1のセカンダリキャリアに対して行われるデータ受信または復号動作を停止するようにさらに構成されている。
【００１９】
第3の態様または第3の態様の第1から第4の可能な実施態様のいずれか1つに関連して、第3の態様の第5の可能な実施態様において、情報獲得モジュールによって獲得された第1のキャリア構成情報はネットワーク側デバイスによって端末へ送信される。
【００２０】
第3の態様の第5の可能な実施態様に関連して、第3の態様の第6の可能な実施態様において、情報獲得モジュールによって獲得された第1のキャリア構成情報は、RRCメッセージ、MAC層PDUメッセージ、または物理層シグナリングのいずれか1つまたは複数の種類のシグナリングを用いてネットワーク側デバイスによって端末へ送信される。
【００２１】
第3の態様の第5または第6の可能な実施態様に関連して、第3の態様の第7の可能な実施態様において、情報獲得モジュールによって獲得された第1のキャリア構成情報内のチャネル占有開始基準時点および／またはチャネルリスニング開始基準時点は、第1のセカンダリキャリアがチャネルを占有し始めた後の任意の時点にネットワーク側デバイスによって端末へ送信され、
情報獲得モジュールによって獲得された第1のキャリア構成情報内の第1のセカンダリキャリアの最大連続チャネル占有持続期間およびチャネルリスニング持続期間は、ネットワーク側デバイスが端末のために第1のセカンダリキャリアを構成するときに端末へ送信される。
【００２２】
第3の態様または第3の態様の第1から第7の可能な実施態様のいずれか1つに関連して、第3の態様の第8の可能な実施態様において、情報獲得モジュールはネットワーク側デバイスによって第1のセカンダリキャリアについて配信される第2のキャリア構成情報を受信するようにさらに構成されており、第2のキャリア構成情報は、
第1のセカンダリキャリアのシステムブロードキャスト情報であって、システムブロードキャスト情報は第1のセカンダリキャリアが共通チャネルを含むことを指示することができ、共通チャネルはPBCH、PSS、SSS、または参照信号のうちのいずれか1つまたは複数を含む、第1のセカンダリキャリアのシステムブロードキャスト情報、
第1の指示情報であって、第1の指示情報は第1のセカンダリキャリアが共通チャネルを含まないことを指示するのに用いられる、第1の指示情報、または、
第2の指示情報であって、第2の指示情報は第1のセカンダリキャリアで用いられる共通チャネルが拡張フォーマットの共通チャネルであることを指示するのに用いられる、第2の指示情報
のいずれか1つまたは複数の種類の情報を含み、
サブフレーム処理モジュールは、第2のキャリア構成情報に従って、第1のセカンダリキャリアが共通チャネルを含むかどうか判定し、判定結果が「含む」である場合に、第1のセカンダリキャリアのサブフレーム内のPDCCHおよび／もしくはPDSCHを受信し、もしくは復号するときに、サブフレーム内のPDCCHおよび／もしくはPDSCHによって占有されうるシンボルの中から、共通チャネルによって占有されるシンボルを除外し、または、判定結果が「含まない」である場合に、第1のセカンダリキャリアのサブフレーム内のPDCCHおよび／もしくはPDSCHを受信し、もしくは復号するときに、サブフレーム内のPDCCHおよび／もしくはPDSCHによって占有されうるシンボルの中から、共通チャネルによって占有されるシンボルを除外するのをスキップする、ようにさらに構成されており、あるいは、
第2のキャリア構成情報に従って、第1のセカンダリキャリアにおいて拡張フォーマットの共通チャネルが用いられるかどうか判定し、判定結果が「用いられる」である場合に、第1のセカンダリキャリアのサブフレーム内のPDCCHおよび／もしくはPDSCHを受信し、もしくは復号するときに、サブフレーム内のPDCCHおよび／もしくはPDSCHによって占有されうるシンボルの中から、拡張フォーマットの共通チャネルによって占有されるシンボルを除外し、または、判定結果が「用いられない」である場合に、第1のセカンダリキャリアのサブフレーム内のPDCCHおよび／もしくはPDSCHを受信し、もしくは復号するときに、サブフレーム内のPDCCHおよび／もしくはPDSCHによって占有されうるシンボルの中から、拡張フォーマットの共通チャネルによって占有されるシンボルを除外するのをスキップするようにさらに構成されている。
【００２３】
第3の態様の第8の可能な実施態様に関連して、第3の態様の第9の可能な実施態様において、サブフレーム処理モジュールは、第2のキャリア構成情報が第1の指示情報を含むと判定される場合、もしくは第2のキャリア構成情報がシステムブロードキャスト情報を含まないと判定される場合に、第1のセカンダリキャリアは共通チャネルを含まないと判定する、ように特に構成されており、または、
第2のキャリア構成情報が第1の指示情報を含まないと判定される場合、もしくは第2のキャリア構成情報がシステムブロードキャスト情報を含むと判定される場合に、第1のセカンダリキャリアは共通チャネルを含むと判定する、ように特に構成されている。
【００２４】
第3の態様の第8または第9の可能な実施態様に関連して、第3の態様の第10の可能な実施態様において、サブフレーム処理モジュールは、第2のキャリア構成情報が第2の指示情報を含むと判定される場合、第1のセカンダリキャリアにおいて拡張フォーマットの共通チャネルが用いられると判定する、ように特に構成されており、または、
第2のキャリア構成情報が第2の指示情報を含まないと判定される場合、第1のセカンダリキャリアにおいて非拡張フォーマットの共通チャネルが用いられると判定する、ように特に構成されている。
【００２５】
第4の態様によれば、端末が提供され、本端末は、
ネットワーク側デバイスによって第1のキャリアについて配信される第1のキャリア構成情報を受信するように構成された、情報受信モジュールであって、第1のキャリア構成情報は、
第1のキャリアのシステムブロードキャスト情報であって、システムブロードキャスト情報は第1のキャリアが共通チャネルを含むことを指示することができ、共通チャネルはPBCH、PSS、SSS、または参照信号のうちのいずれか1つまたは複数を含む、第1のキャリアのシステムブロードキャスト情報、
第1の指示情報であって、第1の指示情報は第1のキャリアが共通チャネルを含まないことを指示するのに用いられる、第1の指示情報、または、
第2の指示情報であって、第2の指示情報は第1のキャリアで用いられる共通チャネルが拡張フォーマットの共通チャネルであることを指示するのに用いられる、第2の指示情報
の任意の1つまたは複数の種類情報を含む、情報受信モジュールと、
第1のキャリア構成情報に従って、第1のキャリアが共通チャネルを含むかどうか判定し、判定結果が「含む」である場合に、第1のキャリアのサブフレーム内のPDCCHおよび／もしくはPDSCHを受信し、もしくは復号するときに、サブフレーム内のPDCCHおよび／もしくはPDSCHによって占有されうるシンボルの中から共通チャネルによって占有されるシンボルを除外し、または、判定結果が「含まない」である場合に、第1のキャリアのサブフレーム内のPDCCHおよび／もしくはPDSCHを受信し、もしくは復号するときに、サブフレーム内のPDCCHおよび／もしくはPDSCHによって占有されうるシンボルの中から共通チャネルによって占有されるシンボルを除外するのをスキップし、あるいは、
第1のキャリア構成情報に従って、第1のキャリアにおいて拡張フォーマットの共通チャネルが用いられるかどうか判定し、判定結果が「用いられる」である場合に、第1のキャリアのサブフレーム内のPDCCHおよび／もしくはPDSCHを受信し、もしくは復号するときに、サブフレーム内のPDCCHおよび／もしくはPDSCHによって占有されうるシンボルの中から、拡張フォーマットの共通チャネルによって占有されるシンボルを除外し、または、判定結果が「用いられない」である場合に、第1のキャリアのサブフレーム内のPDCCHおよび／もしくはPDSCHを受信し、もしくは復号するときに、サブフレーム内のPDCCHおよび／もしくはPDSCHによって占有されうるシンボルの中から、拡張フォーマットの共通チャネルによって占有されるシンボルを除外するのをスキップする、
ように構成された、サブフレーム処理モジュールと、
を含む。
【００２６】
第4の態様に関連して、第4の態様の第1の可能な実施態様において、サブフレーム処理モジュールは、第1のキャリア構成情報が第1の指示情報を含むと判定される場合、もしくは第1のキャリア構成情報がシステムブロードキャスト情報を含まないと判定される場合に、第1のキャリアは共通チャネルを含まないと判定する、ように特に構成されており、または、
第1のキャリア構成情報が第1の指示情報を含まないと判定される場合、もしくは第1のキャリア構成情報がシステムブロードキャスト情報を含むと判定される場合に、第1のキャリアは共通チャネルを含むと判定する、ように特に構成されている。
【００２７】
第4の態様または第4の態様の第1の可能な実施態様に関連して、第4の態様の第2の可能な実施態様において、サブフレーム処理モジュールは、第1のキャリア構成情報が第2の指示情報を含むと判定される場合、第1のキャリアにおいて拡張フォーマットの共通チャネルが用いられると判定する、ように特に構成されており、または、
第1のキャリア構成情報が第2の指示情報を含まないと判定される場合、第1のキャリアにおいて非拡張フォーマットの共通チャネルが用いられると判定する、ように特に構成されている。
【００２８】
第5の態様によれば、ネットワーク側デバイスが提供され、本ネットワーク側デバイスは、
端末の第1のセカンダリキャリアの第1のキャリア構成情報を決定するように構成された、プロセッサであって、第1のセカンダリキャリアは不連続キャリアであり、第1のキャリア構成情報は第1のセカンダリキャリアの最大連続チャネル占有持続期間およびチャネルリスニング持続期間を含み、第1のセカンダリキャリアのチャネル占有開始基準時点および／または第1のセカンダリキャリアのチャネルリスニング開始基準時点をさらに含む、プロセッサと、
端末が受信した第1のキャリア構成情報に従って、第1のセカンダリキャリア内の特殊サブフレームを決定する動作であって、特殊サブフレームはギャップシンボルの全部または一部を含み、ギャップシンボルはチャネルリスニング持続期間によって完全に、または一部が占有されるシンボルである、動作と、特殊サブフレーム内のギャップシンボルを除くすべてのシンボルをPDCCHおよび／またはPDSCHによって占有されうるシンボルとして用い、PDCCHおよび／またはPDSCHによって占有されうる決定されたシンボルに従って特殊サブフレーム内のPDCCHおよび／またはPDSCHをしかるべく受信し、または復号する動作と、を行うように、端末へプロセッサによって決定された第1のキャリア構成情報を送信するように構成された、送信機と、
を含む。
【００２９】
第5の態様に関連して、第5の態様の第1の可能な実施態様において、プロセッサは、第1のセカンダリキャリアがクロススケジュールキャリアであると判定される場合、決定された第1のキャリア構成情報が端末へ送信される前に第1のセカンダリキャリアのPDSCH開始シンボル位置を指定するようにさらに構成されており、
送信機は、端末が第1のキャリア構成情報に従って第1のセカンダリキャリア内の特殊サブフレームを決定した後で、端末が、シンボル位置指示情報で指示されるPDSCH開始シンボル位置に従って、特殊サブフレーム内のPDSCH開始シンボル位置後の各非ギャップシンボルをPDSCHによって占有されうるシンボルとして用いるように、第1のセカンダリキャリアがクロススケジュールキャリアであると判定されるときに端末へ、PDSCH開始シンボル位置を指示するのに用いられるシンボル位置指示情報を搬送する第1のキャリア構成情報を送信するように特に構成されている。
【００３０】
第5の態様または第5の態様の第1の可能な実施態様に関連して、第5の態様の第2の可能な実施態様において、ネットワーク側デバイスはモニタをさらに含み、
モニタは、第1のセカンダリキャリアの第1のキャリア構成情報が決定された後で、第1のセカンダリキャリアに対応するチャネルがチャネルリスニング持続期間に対応する期間に別のネットワーク側デバイスによって占有されているかどうかモニタするように構成されており、
送信機は、モニタのモニタリング結果が「占有されている」であるときに、端末が、キャリア解放メッセージに従って、第1のセカンダリキャリアに対して行われるデータ受信または復号動作を停止するように、端末へキャリア解放メッセージを送信するようにさらに構成されている。
【００３１】
第5の態様または第5の態様の第1もしくは第2の可能な実施態様に関連して、第5の態様の第3の可能な実施態様において、送信機は、RRCメッセージ、MAC層PDUメッセージ、または物理層シグナリングのいずれか1つまたは複数の種類のシグナリングを用いて端末へプロセッサによって決定された第1のキャリア構成情報を送信するように特に構成されている。
【００３２】
第5の態様または第5の態様の第1から第3の可能な実施態様のいずれか1つに関連して、第5の態様の第4の可能な実施態様において、送信機は、第1のセカンダリキャリアがチャネルを占有し始めた後の任意の時点に端末へ第1のキャリア構成情報においてチャネル占有開始時点および／またはチャネルリスニング開始時点を送信し、第1のセカンダリキャリアが端末のために構成されるときに端末へ第1のキャリア構成情報において第1のセカンダリキャリアの最大連続チャネル占有持続期間およびチャネルリスニング持続期間を送信するように特に構成されている。
【００３３】
第5の態様または第5の態様の第1から第4の可能な実施態様のいずれか1つに関連して、第5の態様の第5の可能な実施態様において、プロセッサは第1のセカンダリキャリアの第2のキャリア構成情報を決定するようにさらに構成されており、第2のキャリア構成情報は、
第1のセカンダリキャリアのシステムブロードキャスト情報であって、システムブロードキャスト情報は第1のセカンダリキャリアが共通チャネルを含むことを指示することができ、共通チャネルはPBCH、PSS、SSS、または参照信号のうちのいずれか1つまたは複数を含む、第1のセカンダリキャリアのシステムブロードキャスト情報、
第1の指示情報であって、第1の指示情報は第1のセカンダリキャリアが共通チャネルを含まないことを指示するのに用いられる、第1の指示情報、または、
第2の指示情報であって、第2の指示情報は第1のセカンダリキャリアで用いられる共通チャネルが拡張フォーマットの共通チャネルであることを指示するのに用いられる、第2の指示情報
のいずれか1つまたは複数の種類の情報を含み、
送信機は、端末が受信した第2のキャリア構成情報に従って、
第1のセカンダリキャリアが共通チャネルを含むかどうか判定し、判定結果が「含む」である場合に、第1のセカンダリキャリアのサブフレーム内のPDCCHおよび／もしくはPDSCHを受信し、もしくは復号するときに、サブフレーム内のPDCCHおよび／もしくはPDSCHによって占有されうるシンボルの中から、共通チャネルによって占有されるシンボルを除外し、または、判定結果が「含まない」である場合に、第1のセカンダリキャリアのサブフレーム内のPDCCHおよび／もしくはPDSCHを受信し、もしくは復号するときに、サブフレーム内のPDCCHおよび／もしくはPDSCHによって占有されうるシンボルの中から、共通チャネルによって占有されるシンボルを除外するのをスキップする動作、あるいは、
第1のセカンダリキャリアにおいて拡張フォーマットの共通チャネルが用いられるかどうか判定し、判定結果が「用いられる」である場合に、第1のセカンダリキャリアのサブフレーム内のPDCCHおよび／もしくはPDSCHを受信し、もしくは復号するときに、サブフレーム内のPDCCHおよび／もしくはPDSCHによって占有されうるシンボルの中から、拡張フォーマットの共通チャネルによって占有されるシンボルを除外し、または、判定結果が「用いられない」である場合に、第1のセカンダリキャリアのサブフレーム内のPDCCHおよび／もしくはPDSCHを受信し、もしくは復号するときに、サブフレーム内のPDCCHおよび／もしくはPDSCHによって占有されうるシンボルの中から、拡張フォーマットの共通チャネルによって占有されるシンボルを除外するのをスキップする動作
を行うように、端末へプロセッサによって決定された第2のキャリア構成情報を送信するようにさらに構成されている。
【００３４】
第6の態様によれば、ネットワーク側デバイスが提供され、本ネットワーク側デバイスは、
端末の第1のキャリアの第1のキャリア構成情報を決定するように構成された、プロセッサであって、第1のキャリア構成情報は、
第1のキャリアのシステムブロードキャスト情報であって、システムブロードキャスト情報は第1のキャリアが共通チャネルを含むことを指示することができ、共通チャネルはPBCH、PSS、SSS、または参照信号のうちのいずれか1つまたは複数を含む、第1のキャリアのシステムブロードキャスト情報、
第1の指示情報であって、第1の指示情報は第1のキャリアが共通チャネルを含まないことを指示するのに用いられる、第1の指示情報、または、
第2の指示情報であって、第2の指示情報は第1のキャリアで用いられる共通チャネルが拡張フォーマットの共通チャネルであることを指示するのに用いられる、第2の指示情報
の任意の1つまたは複数の種類の情報を含む、プロセッサと、
端末が受信した第1のキャリア構成情報に従って、
第1のキャリアが共通チャネルを含むかどうか判定し、判定結果が「含む」である場合に、第1のキャリアのサブフレーム内のPDCCHおよび／もしくはPDSCHを受信し、もしくは復号するときに、サブフレーム内のPDCCHおよび／もしくはPDSCHによって占有されうるシンボルの中から、共通チャネルによって占有されるシンボルを除外し、または、判定結果が「含まない」である場合に、第1のキャリアのサブフレーム内のPDCCHおよび／もしくはPDSCHを受信し、もしくは復号するときに、サブフレーム内のPDCCHおよび／もしくはPDSCHによって占有されうるシンボルの中から、共通チャネルによって占有されるシンボルを除外するのをスキップする動作、あるいは、
第1のキャリアにおいて拡張フォーマットの共通チャネルが用いられるかどうか判定し、判定結果が「用いられる」である場合に、第1のキャリアのサブフレーム内のPDCCHおよび／もしくはPDSCHを受信し、もしくは復号するときに、サブフレーム内のPDCCHおよび／もしくはPDSCHによって占有されうるシンボルの中から、拡張フォーマットの共通チャネルによって占有されるシンボルを除外し、または、判定結果が「用いられない」である場合に、第1のキャリアのサブフレーム内のPDCCHおよび／もしくはPDSCHを受信し、もしくは復号するときに、サブフレーム内のPDCCHおよび／もしくはPDSCHによって占有されうるシンボルの中から、拡張フォーマットの共通チャネルによって占有されるシンボルを除外するのをスキップする動作
を行うように、端末へプロセッサによって決定された第1のキャリア構成情報を送信するように構成された、送信機と、
を含む。
【００３５】
第7の態様によれば、端末が提供され、本端末は、
第1のセカンダリキャリアの第1のキャリア構成情報を獲得するように構成された、受信機であって、第1のセカンダリキャリアは不連続キャリアであり、第1のキャリア構成情報は第1のセカンダリキャリアの最大連続チャネル占有持続期間およびチャネルリスニング持続期間を含み、第1のセカンダリキャリアのチャネル占有開始基準時点および／またはチャネルリスニング開始基準時点をさらに含む、受信機と、
受信機によって獲得された第1のキャリア構成情報に従って第1のセカンダリキャリア内の特殊サブフレームを決定するように構成された、プロセッサであって、特殊サブフレームはギャップシンボルの全部または一部を含み、ギャップシンボルはチャネルリスニング持続期間によって完全に、または一部が占有されるシンボルであり、プロセッサは、決定された特殊サブフレーム内のギャップシンボルを除くすべてのシンボルをPDCCHおよび／またはPDSCHによって占有されうるシンボルとして用い、PDCCHおよび／またはPDSCHによって占有されうる決定されたシンボルに従って特殊サブフレーム内のPDCCHおよび／またはPDSCHをしかるべく受信し、または復号するように構成されている、プロセッサと、
を含む。
【００３６】
第7の態様に関連して、第7の態様の第1の可能な実施態様において、プロセッサは、第1のキャリア構成情報に含まれる最大連続チャネル占有持続期間、チャネルリスニング持続期間、ならびにチャネル占有開始基準時点および／またはチャネルリスニング開始基準時点に従って第1のセカンダリキャリアのチャネル占有終了時点またはチャネルリスニング開始時点を決定し、決定されたチャネル占有終了時点または決定されたチャネルリスニング開始時点後のM個のシンボルをギャップシンボルとして用い、M個のシンボルの全部または一部のシンボルを含むサブフレームを特殊サブフレームとして用いるように特に構成されており、M個のシンボルはチャネルリスニング持続期間に従って決定され、Mは1以上の正の整数である。
【００３７】
第7の態様または第7の態様の第1の可能な実施態様に関連して、第7の態様の第2の可能な実施態様において、第1のセカンダリキャリアのチャネル占有の終了がサブフレーム境界だけに制限される場合、
プロセッサは、第1のキャリア構成情報に含まれる最大連続チャネル占有持続期間、チャネルリスニング持続期間、チャネル占有開始基準時点および／またはチャネルリスニング開始基準時点、ならびにサブフレーム境界情報に従って第1のセカンダリキャリアのチャネル占有終了時点またはチャネルリスニング開始時点を決定し、決定されたチャネル占有終了時点または決定されたチャネルリスニング開始時点後のM個のシンボルをギャップシンボルとして用い、M個のシンボルの全部または一部のシンボルを含むサブフレームを特殊サブフレームとして用いるように特に構成されている。
【００３８】
第7の態様または第7の態様の第1もしくは第2の可能な実施態様に関連して、第7の態様の第3の可能な実施態様において、プロセッサは、第1のキャリア構成情報がPDSCH開始シンボル位置を指示するのに用いられるシンボル位置指示情報を搬送すると判定される場合、シンボル位置指示情報で指示されるPDSCH開始シンボル位置に従って、特殊サブフレーム内のPDSCH開始シンボル位置後の各非ギャップシンボルをPDSCHによって占有されうるシンボルとして用いる、ように特に構成されており、または、
特殊サブフレームの第1のシンボルから物理制御フォーマット指示チャネルPFICHを読み取り、PFICHに従って、PDCCHによって占有されうるシンボルを決定し、特殊サブフレーム内のギャップシンボルおよびPDCCHによって占有されうるシンボルを除くすべてのシンボルをPDSCHによって占有されうるシンボルとして用いるように特に構成されており、または、
特殊サブフレームの第（M＋1）のシンボルからPFICHを読み取り、PFICHに従って、PDCCHによって占有されうるシンボルを決定し、特殊サブフレーム内のギャップシンボルおよびPDCCHによって占有されうるシンボルを除くすべてのシンボルをPDSCHによって占有されうるシンボルとして用いるように特に構成されている。
【００３９】
第7の態様または第7の態様の第1から第3の可能な実施態様のいずれか1つに関連して、第7の態様の第4の可能な実施態様において、端末はモニタをさらに含み、
モニタは、任意のギャップシンボルについて、ギャップシンボルに関するエネルギー検出を行う、ように構成されており、かつ／もしくは第1のセカンダリキャリアについてのキャリア解放メッセージがネットワーク側デバイスから受信されるかどうかモニタするように構成されており、
プロセッサは、任意のギャップシンボルについて、モニタによって検出されたギャップシンボルのエネルギーが指定されたエネルギー閾値より高いと判定されるときに、ギャップシンボルの全部もしくは一部のシンボルを含む特殊サブフレームの受信もしくは復号を停止する、ようにさらに構成されており、または、モニタが、第1のセカンダリキャリアについてのキャリア解放メッセージがネットワーク側デバイスから受信されたことを検出したときに、第1のセカンダリキャリアに対して行われるデータ受信または復号動作を停止するようにさらに構成されている。
【００４０】
第7の態様または第7の態様の第1から第4の可能な実施態様のいずれか1つに関連して、第7の態様の第5の可能な実施態様において、受信機によって獲得された第1のキャリア構成情報はネットワーク側デバイスによって端末へ送信される。
【００４１】
第7の態様の第5の可能な実施態様に関連して、第7の態様の第6の可能な実施態様において、受信機によって獲得された第1のキャリア構成情報は、RRCメッセージ、MAC層PDUメッセージ、または物理層シグナリングのいずれか1つまたは複数の種類のシグナリングを用いてネットワーク側デバイスによって端末へ送信される。
【００４２】
第7の態様の第5または第6の可能な実施態様に関連して、第7の態様の第7の可能な実施態様において、受信機によって獲得された第1のキャリア構成情報内のチャネル占有開始基準時点および／またはチャネルリスニング開始基準時点は、第1のセカンダリキャリアがチャネルを占有し始めた後の任意の時点にネットワーク側デバイスによって端末へ送信され、
受信機によって獲得された第1のキャリア構成情報内の第1のセカンダリキャリアの最大連続チャネル占有持続期間およびチャネルリスニング持続期間は、ネットワーク側デバイスが端末のために第1のセカンダリキャリアを構成するときに端末へ送信される。
【００４３】
第7の態様または第7の態様の第1から第7の可能な実施態様のいずれか1つに関連して、第7の態様の第8の可能な実施態様において、受信機はネットワーク側デバイスによって第1のセカンダリキャリアについて配信される第2のキャリア構成情報を受信するようにさらに構成されており、第2のキャリア構成情報は、
第1のセカンダリキャリアのシステムブロードキャスト情報であって、システムブロードキャスト情報は第1のセカンダリキャリアが共通チャネルを含むことを指示することができ、共通チャネルはPBCH、PSS、SSS、または参照信号のうちのいずれか1つまたは複数を含む、第1のセカンダリキャリアのシステムブロードキャスト情報、
第1の指示情報であって、第1の指示情報は第1のセカンダリキャリアが共通チャネルを含まないことを指示するのに用いられる、第1の指示情報、または、
第2の指示情報であって、第2の指示情報は第1のセカンダリキャリアで用いられる共通チャネルが拡張フォーマットの共通チャネルであることを指示するのに用いられる、第2の指示情報
のいずれか1つまたは複数の種類の情報を含み、
プロセッサは、第2のキャリア構成情報に従って、第1のセカンダリキャリアが共通チャネルを含むかどうか判定し、判定結果が「含む」である場合に、第1のセカンダリキャリアのサブフレーム内のPDCCHおよび／もしくはPDSCHを受信し、もしくは復号するときに、サブフレーム内のPDCCHおよび／もしくはPDSCHによって占有されうるシンボルの中から、共通チャネルによって占有されるシンボルを除外し、または、判定結果が「含まない」である場合に、第1のセカンダリキャリアのサブフレーム内のPDCCHおよび／もしくはPDSCHを受信し、もしくは復号するときに、サブフレーム内のPDCCHおよび／もしくはPDSCHによって占有されうるシンボルの中から、共通チャネルによって占有されるシンボルを除外するのをスキップする、ようにさらに構成されており、あるいは、
第2のキャリア構成情報に従って、第1のセカンダリキャリアにおいて拡張フォーマットの共通チャネルが用いられるかどうか判定し、判定結果が「用いられる」である場合に、第1のセカンダリキャリアのサブフレーム内のPDCCHおよび／もしくはPDSCHを受信し、もしくは復号するときに、サブフレーム内のPDCCHおよび／もしくはPDSCHによって占有されうるシンボルの中から、拡張フォーマットの共通チャネルによって占有されるシンボルを除外し、または、判定結果が「用いられない」である場合に、第1のセカンダリキャリアのサブフレーム内のPDCCHおよび／もしくはPDSCHを受信し、もしくは復号するときに、サブフレーム内のPDCCHおよび／もしくはPDSCHによって占有されうるシンボルの中から、拡張フォーマットの共通チャネルによって占有されるシンボルを除外するのをスキップするようにさらに構成されている。
【００４４】
第7の態様の第8の可能な実施態様に関連して、第7の態様の第9の可能な実施態様において、プロセッサは、第2のキャリア構成情報が第1の指示情報を含むと判定される場合、もしくは第2のキャリア構成情報がシステムブロードキャスト情報を含まないと判定される場合に、第1のセカンダリキャリアは共通チャネルを含まないと判定する、ように特に構成されており、または、
第2のキャリア構成情報が第1の指示情報を含まないと判定される場合、もしくは第2のキャリア構成情報がシステムブロードキャスト情報を含むと判定される場合に、第1のセカンダリキャリアは共通チャネルを含むと判定する、ように特に構成されている。
【００４５】
第7の態様の第8または第9の可能な実施態様に関連して、第7の態様の第10の可能な実施態様において、プロセッサは、第2のキャリア構成情報が第2の指示情報を含むと判定される場合、第1のセカンダリキャリアにおいて拡張フォーマットの共通チャネルが用いられると判定する、ように特に構成されており、または、
第2のキャリア構成情報が第2の指示情報を含まないと判定される場合、第1のセカンダリキャリアにおいて非拡張フォーマットの共通チャネルが用いられると判定する、ように特に構成されている。
【００４６】
第8の態様によれば、端末が提供され、本端末は、
ネットワーク側デバイスによって第1のキャリアについて配信される第1のキャリア構成情報を受信するように構成された、受信機であって、第1のキャリア構成情報は、
第1のキャリアのシステムブロードキャスト情報であって、システムブロードキャスト情報は第1のキャリアが共通チャネルを含むことを指示することができ、共通チャネルはPBCH、PSS、SSS、または参照信号のうちのいずれか1つまたは複数を含む、第1のキャリアのシステムブロードキャスト情報、
第1の指示情報であって、第1の指示情報は第1のキャリアが共通チャネルを含まないことを指示するのに用いられる、第1の指示情報、または、
第2の指示情報であって、第2の指示情報は第1のキャリアで用いられる共通チャネルが拡張フォーマットの共通チャネルであることを指示するのに用いられる、第2の指示情報
のいずれか1つまたは複数の種類の情報を含む、受信機と、
第1のキャリア構成情報に従って、第1のキャリアが共通チャネルを含むかどうか判定し、判定結果が「含む」である場合に、第1のキャリアのサブフレーム内のPDCCHおよび／もしくはPDSCHを受信し、もしくは復号するときに、サブフレーム内のPDCCHおよび／もしくはPDSCHによって占有されうるシンボルの中から共通チャネルによって占有されるシンボルを除外し、または、判定結果が「含まない」である場合に、第1のキャリアのサブフレーム内のPDCCHおよび／もしくはPDSCHを受信し、もしくは復号するときに、サブフレーム内のPDCCHおよび／もしくはPDSCHによって占有されうるシンボルの中から共通チャネルによって占有されるシンボルを除外するのをスキップし、あるいは、
第1のキャリア構成情報に従って、第1のキャリアにおいて拡張フォーマットの共通チャネルが用いられるかどうか判定し、判定結果が「用いられる」である場合に、第1のキャリアのサブフレーム内のPDCCHおよび／もしくはPDSCHを受信し、もしくは復号するときに、サブフレーム内のPDCCHおよび／もしくはPDSCHによって占有されうるシンボルの中から、拡張フォーマットの共通チャネルによって占有されるシンボルを除外し、または、判定結果が「用いられない」である場合に、第1のキャリアのサブフレーム内のPDCCHおよび／もしくはPDSCHを受信し、もしくは復号するときに、サブフレーム内のPDCCHおよび／もしくはPDSCHによって占有されうるシンボルの中から、拡張フォーマットの共通チャネルによって占有されるシンボルを除外するのをスキップする、ように構成された、プロセッサと、
を含む。
【００４７】
第8の態様に関連して、第8の態様の第1の可能な実施態様において、プロセッサは、第1のキャリア構成情報が第1の指示情報を含むと判定される場合、もしくは第1のキャリア構成情報がシステムブロードキャスト情報を含まないと判定される場合に、第1のキャリアは共通チャネルを含まないと判定する、ように特に構成されており、または、
第1のキャリア構成情報が第1の指示情報を含まないと判定される場合、もしくは第1のキャリア構成情報がシステムブロードキャスト情報を含むと判定される場合に、第1のキャリアは共通チャネルを含むと判定する、ように特に構成されている。
【００４８】
第8の態様または第8の態様の第1の可能な実施態様に関連して、第8の態様の第2の可能な実施態様において、プロセッサは、第1のキャリア構成情報が第2の指示情報を含むと判定される場合、第1のキャリアにおいて拡張フォーマットの共通チャネルが用いられると判定する、ように特に構成されており、または、
第1のキャリア構成情報が第2の指示情報を含まないと判定される場合、第1のキャリアにおいて非拡張フォーマットの共通チャネルが用いられると判定する、ように特に構成されている。
【００４９】
第9の態様によれば、サブフレーム処理方法が提供され、本方法は、
ネットワーク側デバイスが、端末の第1のセカンダリキャリアの第1のキャリア構成情報を決定するステップであって、第1のセカンダリキャリアは不連続キャリアであり、第1のキャリア構成情報は第1のセカンダリキャリアの最大連続チャネル占有持続期間およびチャネルリスニング持続期間を含み、第1のセカンダリキャリアのチャネル占有開始基準時点および／または第1のセカンダリキャリアのチャネルリスニング開始基準時点をさらに含む、ステップと、
端末が受信した第1のキャリア構成情報に従って、第1のセカンダリキャリア内の特殊サブフレームを決定する動作であって、特殊サブフレームはギャップシンボルの全部または一部を含み、ギャップシンボルはチャネルリスニング持続期間によって完全に、または一部が占有されるシンボルである、動作と、特殊サブフレーム内のギャップシンボルを除くすべてのシンボルをPDCCHおよび／またはPDSCHによって占有されうるシンボルとして用い、PDCCHおよび／またはPDSCHによって占有されうる決定されたシンボルに従って特殊サブフレーム内のPDCCHおよび／またはPDSCHをしかるべく受信し、または復号する動作と、を行うように、端末へ決定された第1のキャリア構成情報を送信するステップと、
を含む。
【００５０】
第9の態様に関連して、第9の態様の第1の可能な実施態様において、端末へ決定された第1のキャリア構成情報を送信するステップの前に、本方法は、
第1のセカンダリキャリアがクロススケジュールキャリアであると判定される場合、第1のセカンダリキャリアのPDSCH開始シンボル位置を指定するステップ、
をさらに含み、
端末へ決定された第1のキャリア構成情報を送信するステップは、
第1のセカンダリキャリアがクロススケジュールキャリアであると判定されるときに、端末が第1のキャリア構成情報に従って第1のセカンダリキャリア内の特殊サブフレームを決定した後で、端末が、シンボル位置指示情報で指示されるPDSCH開始シンボル位置に従って、特殊サブフレーム内のPDSCH開始シンボル位置後の各非ギャップシンボルをPDSCHによって占有されうるシンボルとして用いるように、端末へ、PDSCH開始シンボル位置を指示するのに用いられるシンボル位置指示情報を搬送する第1のキャリア構成情報を送信するステップ、
を含む。
【００５１】
第9の態様または第9の態様の第1の可能な実施態様に関連して、第9の態様の第2の可能な実施態様において、第1のセカンダリキャリアの第1のキャリア構成情報を決定するステップの後に、本方法は、
第1のセカンダリキャリアに対応するチャネルがチャネルリスニング持続期間に対応する期間に別のネットワーク側デバイスによって占有されているかどうかモニタするステップと、
モニタリング結果が「占有されている」である場合、端末が、キャリア解放メッセージに従って、第1のセカンダリキャリアに対して行われるデータ受信または復号動作を停止するように、端末へキャリア解放メッセージを送信するステップと、
をさらに含む。
【００５２】
第9の態様または第9の態様の第1もしくは第2の可能な実施態様に関連して、第9の態様の第3の可能な実施態様において、端末へ決定された第1のキャリア構成情報を送信するステップは、
RRCメッセージ、MAC層PDUメッセージ、または物理層シグナリングのいずれか1つまたは複数の種類のシグナリングを用いて端末へ決定された第1のキャリア構成情報を送信するステップ、
を含む。
【００５３】
第9の態様または第9の態様の第1から第3の可能な実施態様のいずれか1つに関連して、第9の態様の第4の可能な実施態様において、端末へ決定された第1のキャリア構成情報を送信するステップは、
第1のセカンダリキャリアがチャネルを占有し始めた後の任意の時点に端末へ第1のキャリア構成情報においてチャネル占有開始時点および／またはチャネルリスニング開始時点を送信するステップと、
端末のために第1のセカンダリキャリアを構成するときに、端末へ第1のキャリア構成情報において第1のセカンダリキャリアの最大連続チャネル占有持続期間およびチャネルリスニング持続期間を送信するステップと、
を含む。
【００５４】
第9の態様または第9の態様の第1から第4の可能な実施態様のいずれか1つに関連して、第9の態様の第5の可能な実施態様において、本方法は、
第1のセカンダリキャリアの第2のキャリア構成情報を決定するステップであって、第2のキャリア構成情報は、
第1のセカンダリキャリアのシステムブロードキャスト情報であって、システムブロードキャスト情報は第1のセカンダリキャリアが共通チャネルを含むことを指示することができ、共通チャネルはPBCH、PSS、SSS、または参照信号のうちのいずれか1つまたは複数を含む、第1のセカンダリキャリアのシステムブロードキャスト情報、
第1の指示情報であって、第1の指示情報は第1のセカンダリキャリアが共通チャネルを含まないことを指示するのに用いられる、第1の指示情報、または、
第2の指示情報であって、第2の指示情報は第1のセカンダリキャリアで用いられる共通チャネルが拡張フォーマットの共通チャネルであることを指示するのに用いられる、第2の指示情報
のいずれか1つまたは複数の種類の情報を含む、ステップと、
端末が受信した第2のキャリア構成情報に従って、
第1のセカンダリキャリアが共通チャネルを含むかどうか判定し、判定結果が「含む」である場合に、第1のセカンダリキャリアのサブフレーム内のPDCCHおよび／もしくはPDSCHを受信し、もしくは復号するときに、サブフレーム内のPDCCHおよび／もしくはPDSCHによって占有されうるシンボルの中から、共通チャネルによって占有されるシンボルを除外し、または、判定結果が「含まない」である場合に、第1のセカンダリキャリアのサブフレーム内のPDCCHおよび／もしくはPDSCHを受信し、もしくは復号するときに、サブフレーム内のPDCCHおよび／もしくはPDSCHによって占有されうるシンボルの中から、共通チャネルによって占有されるシンボルを除外するのをスキップする動作、あるいは、
第1のセカンダリキャリアにおいて拡張フォーマットの共通チャネルが用いられるかどうか判定し、判定結果が「用いられる」である場合に、第1のセカンダリキャリアのサブフレーム内のPDCCHおよび／もしくはPDSCHを受信し、もしくは復号するときに、サブフレーム内のPDCCHおよび／もしくはPDSCHによって占有されうるシンボルの中から、拡張フォーマットの共通チャネルによって占有されるシンボルを除外し、または、判定結果が「用いられない」である場合に、第1のセカンダリキャリアのサブフレーム内のPDCCHおよび／もしくはPDSCHを受信し、もしくは復号するときに、サブフレーム内のPDCCHおよび／もしくはPDSCHによって占有されうるシンボルの中から、拡張フォーマットの共通チャネルによって占有されるシンボルを除外するのをスキップする動作
を行うように、端末へ決定された第2のキャリア構成情報を送信するステップと、
をさらに含む。
【００５５】
第10の態様によれば、サブフレーム処理方法が提供され、本方法は、
ネットワーク側デバイスが、端末の第1のキャリアの第1のキャリア構成情報を決定するステップであって、第1のキャリア構成情報は、
第1のキャリアのシステムブロードキャスト情報であって、システムブロードキャスト情報は第1のキャリアが共通チャネルを含むことを指示することができ、共通チャネルはPBCH、PSS、SSS、または参照信号のうちのいずれか1つまたは複数を含む、第1のキャリアのシステムブロードキャスト情報、
第1の指示情報であって、第1の指示情報は第1のキャリアが共通チャネルを含まないことを指示するのに用いられる、第1の指示情報、または、
第2の指示情報であって、第2の指示情報は第1のキャリアで用いられる共通チャネルが拡張フォーマットの共通チャネルであることを指示するのに用いられる、第2の指示情報
の任意の1つまたは複数の種類の情報を含む、ステップと、
端末が受信した第1のキャリア構成情報に従って、
第1のキャリアが共通チャネルを含むかどうか判定し、判定結果が「含む」である場合に、第1のキャリアのサブフレーム内のPDCCHおよび／もしくはPDSCHを受信し、もしくは復号するときに、サブフレーム内のPDCCHおよび／もしくはPDSCHによって占有されうるシンボルの中から、共通チャネルによって占有されるシンボルを除外し、または、判定結果が「含まない」である場合に、第1のキャリアのサブフレーム内のPDCCHおよび／もしくはPDSCHを受信し、もしくは復号するときに、サブフレーム内のPDCCHおよび／もしくはPDSCHによって占有されうるシンボルの中から、共通チャネルによって占有されるシンボルを除外するのをスキップする動作、あるいは、
第1のキャリアにおいて拡張フォーマットの共通チャネルが用いられるかどうか判定し、判定結果が「用いられる」である場合に、第1のキャリアのサブフレーム内のPDCCHおよび／もしくはPDSCHを受信し、もしくは復号するときに、サブフレーム内のPDCCHおよび／もしくはPDSCHによって占有されうるシンボルの中から、拡張フォーマットの共通チャネルによって占有されるシンボルを除外し、または、判定結果が「用いられない」である場合に、第1のキャリアのサブフレーム内のPDCCHおよび／もしくはPDSCHを受信し、もしくは復号するときに、サブフレーム内のPDCCHおよび／もしくはPDSCHによって占有されうるシンボルの中から、拡張フォーマットの共通チャネルによって占有されるシンボルを除外するのをスキップする動作
を行うように、端末へ決定された第1のキャリア構成情報を送信するステップと、
を含む。
【００５６】
第11の態様によれば、サブフレーム処理方法が提供され、本方法は、
端末が、第1のセカンダリキャリアの第1のキャリア構成情報を獲得するステップであって、第1のセカンダリキャリアは不連続キャリアであり、第1のキャリア構成情報は第1のセカンダリキャリアの最大連続チャネル占有持続期間およびチャネルリスニング持続期間を含み、第1のセカンダリキャリアのチャネル占有開始基準時点および／またはチャネルリスニング開始基準時点をさらに含む、ステップと、
獲得された第1のキャリア構成情報に従って第1のセカンダリキャリア内の特殊サブフレームを決定するステップであって、特殊サブフレームはギャップシンボルの全部または一部を含み、ギャップシンボルはチャネルリスニング持続期間によって完全に、または一部が占有されるシンボルである、ステップと、
特殊サブフレーム内のギャップシンボルを除くすべてのシンボルをPDCCHおよび／またはPDSCHによって占有されうるシンボルとして用い、PDCCHおよび／またはPDSCHによって占有されうる決定されたシンボルに従って特殊サブフレーム内のPDCCHおよび／またはPDSCHをしかるべく受信し、または復号するステップと、
を含む。
【００５７】
第11の態様に関連して、第11の態様の第1の可能な実施態様において、獲得された第1のキャリア構成情報に従って第1のセカンダリキャリア内の特殊サブフレームを決定するステップは、
第1のキャリア構成情報に含まれる最大連続チャネル占有持続期間、チャネルリスニング持続期間、ならびにチャネル占有開始基準時点および／またはチャネルリスニング開始基準時点に従って第1のセカンダリキャリアのチャネル占有終了時点またはチャネルリスニング開始時点を決定し、決定されたチャネル占有終了時点または決定されたチャネルリスニング開始時点後のM個のシンボルをギャップシンボルとして用い、M個のシンボルの全部または一部のシンボルを含むサブフレームを特殊サブフレームとして用いるステップであって、M個のシンボルはチャネルリスニング持続期間に従って決定され、Mは1以上の正の整数である、ステップ、
を含む。
【００５８】
第11の態様または第11の態様の第1の可能な実施態様に関連して、第11の第2の可能な実施態様において、第1のセカンダリキャリアのチャネル占有の終了がサブフレーム境界だけに制限される場合、獲得された第1のキャリア構成情報に従って不連続セカンダリキャリア内の特殊サブフレームを決定するステップは、
第1のキャリア構成情報に含まれる最大連続チャネル占有持続期間、チャネルリスニング持続期間、チャネル占有開始基準時点および／またはチャネルリスニング開始基準時点、ならびにサブフレーム境界情報に従って第1のセカンダリキャリアのチャネル占有終了時点またはチャネルリスニング開始時点を決定し、決定されたチャネル占有終了時点または決定されたチャネルリスニング開始時点後のM個のシンボルをギャップシンボルとして用い、M個のシンボルの全部または一部のシンボルを含むサブフレームを特殊サブフレームとして用いるステップ、
を含む。
【００５９】
第11の態様または第11の態様の第1もしくは第2の可能な実施態様に関連して、第11の第3の可能な実施態様において、特殊サブフレーム内のギャップシンボルを除くすべてのシンボルをPDCCHおよび／またはPDSCHによって占有されうるシンボルとして用いるステップは、
第1のキャリア構成情報がPDSCH開始シンボル位置を指示するのに用いられるシンボル位置指示情報を搬送すると判定される場合、シンボル位置指示情報で指示されるPDSCH開始シンボル位置に従って、特殊サブフレーム内のPDSCH開始シンボル位置後の各非ギャップシンボルをPDSCHによって占有されうるシンボルとして用いるステップ、または、
特殊サブフレームの第1のシンボルからPFICHを読み取り、PFICHに従って、PDCCHによって占有されうるシンボルを決定し、特殊サブフレーム内のギャップシンボルおよびPDCCHによって占有されうるシンボルを除くすべてのシンボルをPDSCHによって占有されうるシンボルとして用いるステップ、または、
特殊サブフレームの第（M＋1）のシンボルからPFICHを読み取り、PFICHに従って、PDCCHによって占有されうるシンボルを決定し、特殊サブフレーム内のギャップシンボルおよびPDCCHによって占有されうるシンボルを除くすべてのシンボルをPDSCHによって占有されうるシンボルとして用いるステップ、
を含む。
【００６０】
第11の態様または第11の態様の第1から第3の可能な実施態様のいずれか1つに関連して、第11の態様の第4の可能な実施態様において、本方法は、
任意のギャップシンボルについて、ギャップシンボルに関するエネルギー検出を行い、検出されたエネルギーが指定されたエネルギー閾値より高いと判定したときに、ギャップシンボルの全部または一部のシンボルを含む特殊サブフレームの受信もしくは復号を停止するステップ、および／または
第1のセカンダリキャリアについてのキャリア解放メッセージがネットワーク側デバイスから受信されるかどうかモニタし、受信される場合、第1のセカンダリキャリアに対して行われるデータ受信もしくは復号動作を停止するステップ、
をさらに含む。
【００６１】
第11の態様または第11の態様の第1から第4の可能な実施態様のいずれか1つに関連して、第11の態様の第5の可能な実施態様において、第1のキャリア構成情報はネットワーク側デバイスによって端末へ送信される。
【００６２】
第11の態様の第5の可能な実施態様に関連して、第11の態様の第6の可能な実施態様において、第1のキャリア構成情報は、RRCメッセージ、MAC層PDUメッセージ、または物理層シグナリングのいずれか1つまたは複数の種類のシグナリングを用いてネットワーク側デバイスによって端末へ送信される。
【００６３】
第11の態様の第5または第6の可能な実施態様に関連して、第11の態様の第7の可能な実施態様において、第1のキャリア構成情報内のチャネル占有開始基準時点および／またはチャネルリスニング開始基準時点は、第1のセカンダリキャリアがチャネルを占有し始めた後の任意の時点にネットワーク側デバイスによって端末へ送信され、
第1のキャリア構成情報内の第1のセカンダリキャリアの最大連続チャネル占有持続期間およびチャネルリスニング持続期間は、ネットワーク側デバイスが端末のために第1のセカンダリキャリアを構成するときに端末へ送信される。
【００６４】
第11の態様または第11の態様の第1から第7の可能な実施態様のいずれか1つに関連して、第11の態様の第8の可能な実施態様において、本方法は、
ネットワーク側デバイスによって第1のセカンダリキャリアについて配信される第2のキャリア構成情報を受信するステップであって、第2のキャリア構成情報は、
第1のセカンダリキャリアのシステムブロードキャスト情報であって、システムブロードキャスト情報は第1のセカンダリキャリアが共通チャネルを含むことを指示することができ、共通チャネルはPBCH、PSS、SSS、または参照信号のうちのいずれか1つまたは複数を含む、第1のセカンダリキャリアのシステムブロードキャスト情報、
第1の指示情報であって、第1の指示情報は第1のセカンダリキャリアが共通チャネルを含まないことを指示するのに用いられる、第1の指示情報、または、
第2の指示情報であって、第2の指示情報は第1のセカンダリキャリアで用いられる共通チャネルが拡張フォーマットの共通チャネルであることを指示するのに用いられる、第2の指示情報
のいずれか1つまたは複数の種類の情報を含む、ステップと、
第2のキャリア構成情報に従って、第1のセカンダリキャリアが共通チャネルを含むかどうか判定し、判定結果が「含む」である場合に、第1のセカンダリキャリアのサブフレーム内のPDCCHおよび／もしくはPDSCHを受信し、もしくは復号するときに、サブフレーム内のPDCCHおよび／もしくはPDSCHによって占有されうるシンボルの中から、共通チャネルによって占有されるシンボルを除外し、または、判定結果が「含まない」である場合に、第1のセカンダリキャリアのサブフレーム内のPDCCHおよび／もしくはPDSCHを受信し、もしくは復号するときに、サブフレーム内のPDCCHおよび／もしくはPDSCHによって占有されうるシンボルの中から、共通チャネルによって占有されるシンボルを除外するのをスキップするステップ、あるいは、
第2のキャリア構成情報に従って、第1のセカンダリキャリアにおいて拡張フォーマットの共通チャネルが用いられるかどうか判定し、判定結果が「用いられる」である場合に、第1のセカンダリキャリアのサブフレーム内のPDCCHおよび／もしくはPDSCHを受信し、もしくは復号するときに、サブフレーム内のPDCCHおよび／もしくはPDSCHによって占有されうるシンボルの中から、拡張フォーマットの共通チャネルによって占有されるシンボルを除外し、または、判定結果が「用いられない」である場合に、第1のセカンダリキャリアのサブフレーム内のPDCCHおよび／もしくはPDSCHを受信し、もしくは復号するときに、サブフレーム内のPDCCHおよび／もしくはPDSCHによって占有されうるシンボルの中から、拡張フォーマットの共通チャネルによって占有されるシンボルを除外するのをスキップするステップと、
をさらに含む。
【００６５】
第11の態様の第8の可能な実施態様に関連して、第11の態様の第9の可能な実施態様において、第2のキャリア構成情報に従って、第1のセカンダリキャリアが共通チャネルを含むかどうか判定するステップは、
第2のキャリア構成情報が第1の指示情報を含むと判定される場合、もしくは第2のキャリア構成情報がシステムブロードキャスト情報を含まないと判定される場合に、第1のセカンダリキャリアは共通チャネルを含まないと判定するステップ、または、
第2のキャリア構成情報が第1の指示情報を含まないと判定される場合、もしくは第2のキャリア構成情報がシステムブロードキャスト情報を含むと判定される場合に、第1のセカンダリキャリアは共通チャネルを含むと判定するステップ、
を含む。
【００６６】
第11の態様の第8または第9の可能な実施態様に関連して、第11の態様の第10の可能な実施態様において、第2のキャリア構成情報に従って、第1のセカンダリキャリアにおいて拡張フォーマットの共通チャネルが用いられるかどうか判定するステップは、
第2のキャリア構成情報が第2の指示情報を含むと判定される場合、第1のセカンダリキャリアにおいて拡張フォーマットの共通チャネルが用いられると判定するステップ、または、
第2のキャリア構成情報が第2の指示情報を含まないと判定される場合、第1のセカンダリキャリアにおいて非拡張フォーマットの共通チャネルが用いられると判定するステップ、
を含む。
【００６７】
第12の態様によれば、サブフレーム処理方法が提供され、本方法は、
端末が、ネットワーク側デバイスによって第1のキャリアについて配信される第1のキャリア構成情報を受信するステップであって、第1のキャリア構成情報は、
第1のキャリアのシステムブロードキャスト情報であって、システムブロードキャスト情報は第1のキャリアが共通チャネルを含むことを指示することができ、共通チャネルはPBCH、PSS、SSS、または参照信号のうちのいずれか1つまたは複数を含む、第1のキャリアのシステムブロードキャスト情報、
第1の指示情報であって、第1の指示情報は第1のキャリアが共通チャネルを含まないことを指示するのに用いられる、第1の指示情報、または、
第2の指示情報であって、第2の指示情報は第1のキャリアで用いられる共通チャネルが拡張フォーマットの共通チャネルであることを指示するのに用いられる、第2の指示情報
のいずれか1つまたは複数の種類の情報を含む、ステップと、
第1のキャリア構成情報に従って、第1のキャリアが共通チャネルを含むかどうか判定し、判定結果が「含む」である場合に、第1のキャリアのサブフレーム内のPDCCHおよび／もしくはPDSCHを受信し、もしくは復号するときに、サブフレーム内のPDCCHおよび／もしくはPDSCHによって占有されうるシンボルの中から共通チャネルによって占有されるシンボルを除外し、または、判定結果が「含まない」である場合に、第1のキャリアのサブフレーム内のPDCCHおよび／もしくはPDSCHを受信し、もしくは復号するときに、サブフレーム内のPDCCHおよび／もしくはPDSCHによって占有されうるシンボルの中から共通チャネルによって占有されるシンボルを除外するのをスキップするステップ、あるいは、
第1のキャリア構成情報に従って、第1のキャリアにおいて拡張フォーマットの共通チャネルが用いられるかどうか判定し、判定結果が「用いられる」である場合に、第1のキャリアのサブフレーム内のPDCCHおよび／もしくはPDSCHを受信し、もしくは復号するときに、サブフレーム内のPDCCHおよび／もしくはPDSCHによって占有されうるシンボルの中から、拡張フォーマットの共通チャネルによって占有されるシンボルを除外し、または、判定結果が「用いられない」である場合に、第1のキャリアのサブフレーム内のPDCCHおよび／もしくはPDSCHを受信し、もしくは復号するときに、サブフレーム内のPDCCHおよび／もしくはPDSCHによって占有されうるシンボルの中から、拡張フォーマットの共通チャネルによって占有されるシンボルを除外するのをスキップするステップと、
を含む。
【００６８】
第12の態様に関連して、第12の態様の第1の可能な実施態様において、第1のキャリア構成情報に従って、第1のキャリアが共通チャネルを含むかどうか判定するステップは、
第1のキャリア構成情報が第1の指示情報を含むと判定される場合、もしくは第1のキャリア構成情報がシステムブロードキャスト情報を含まないと判定される場合に、第1のキャリアは共通チャネルを含まないと判定するステップ、または、
第1のキャリア構成情報が第1の指示情報を含まないと判定される場合、もしくは第1のキャリア構成情報がシステムブロードキャスト情報を含むと判定される場合に、第1のキャリアは共通チャネルを含むと判定するステップ、
を含む。
【００６９】
第12の態様または第12の態様の第1の可能な実施態様に関連して、第12の態様の第2の可能な実施態様において、第1のキャリア構成情報に従って、第1のキャリアにおいて拡張フォーマットの共通チャネルが用いられるかどうか判定するステップは、
第1のキャリア構成情報が第2の指示情報を含むと判定される場合、第1のキャリアにおいて拡張フォーマットの共通チャネルが用いられると判定するステップ、または、
第1のキャリア構成情報が第2の指示情報を含まないと判定される場合、第1のキャリアにおいて非拡張フォーマットの共通チャネルが用いられると判定するステップ、
を含む。
【００７０】
本発明の実施形態の技術的解決策においては、任意の不連続セカンダリキャリアについて、端末は、不連続セカンダリキャリアの最大連続チャネル占有持続期間およびチャネルリスニング持続期間、ならびに獲得される不連続セカンダリキャリアのチャネル占有開始基準時点および／またはチャネルリスニング開始基準時点に従って不連続セカンダリキャリア内の特殊サブフレームを決定することができ、特殊サブフレームはチャネルリスニング持続期間によって占有されるギャップシンボルの全部または一部を含み、任意の特殊サブフレームについて、端末は、特殊サブフレーム内のギャップシンボルを除くすべてのシンボルをPDCCHおよび／またはPDSCHによって占有されうるシンボルとして用い、PDCCHおよび／またはPDSCHによって占有されうるシンボルに従って特殊サブフレーム内のPDCCHおよび／またはPDSCHをしかるべく受信し、または復号することができる。このようにして、CCAによって生じるギャップシンボルをサブフレーム全体から除外することができないためにリソース利用が低いという現存する問題が解決され、チャネルが不連続的に占有される場合のチャネル利用が改善される。
【００７１】
本発明の実施形態における技術的解決策をより明確に説明するために、以下で、これらの実施形態を説明するのに必要な添付の図面について簡単に述べる。明らかに、以下の説明における添付の図面は単に本発明のいくつかの実施形態を示すにすぎず、当業者は、これら添付の図面から難なく他の図面をさらに導出することができる。
【図面の簡単な説明】
【００７２】
【図１】本発明の実施形態1によるネットワーク側デバイスを示す概略的構造図である。
【図２】本発明の実施形態2によるネットワーク側デバイスを示す概略的構造図である。
【図３】本発明の実施形態3による端末を示す概略的構造図である。
【図４】本発明の実施形態3によるギャップシンボルおよび特殊サブフレームの位置を示す概略的構造図である。
【図５】本発明の実施形態4による端末を示す概略的構造図である。
【図６】本発明の実施形態5によるネットワーク側デバイスを示す概略的構造図である。
【図７】本発明の実施形態6によるネットワーク側デバイスを示す概略的構造図である。
【図８】本発明の実施形態7による端末を示す概略的構造図である。
【図９】本発明の実施形態8による端末を示す概略的構造図である。
【図１０】本発明の実施形態9によるサブフレーム処理方法を示す概略的流れ図である。
【図１１】本発明の実施形態11によるサブフレーム処理方法を示す概略的流れ図である。
【発明を実施するための形態】
【００７３】
本発明の目的、技術的解決策、および利点をより明確にするために、以下で、添付の図面に関連して本発明を詳細にさらに説明する。明らかに、説明される実施形態は本発明の実施形態の全部ではなく一部にすぎない。本発明の実施形態に基づいて当業者によって難なく得られる他のすべての実施形態は、本発明の保護範囲内に含まれるものとする。
【００７４】
実施形態1
本発明の実施形態1はネットワーク側デバイスを提供し、本ネットワーク側デバイスは基地局といったデバイスとすることができ、これについては本発明の本実施形態では限定されない。具体的には、図1に示すように、図1は本発明の実施形態1のネットワーク側デバイスの概略的構造図である。本ネットワーク側デバイスは、情報決定モジュール11と、情報送信モジュール12とを含むことができる。
【００７５】
情報決定モジュール11は、端末の第1のセカンダリキャリアの第1のキャリア構成情報を決定するように構成することができ、第1のセカンダリキャリアは不連続キャリアであり、第1のキャリア構成情報は第1のセカンダリキャリアの最大連続チャネル占有持続期間およびチャネルリスニング持続期間を含み、第1のセカンダリキャリアのチャネル占有開始基準時点および／または第1のセカンダリキャリアのチャネルリスニング開始基準時点をさらに含む。
【００７６】
具体的には、本発明の本実施形態において、第1のセカンダリキャリアは、一般に、基地局といったネットワーク側デバイスによって端末のために構成された少なくとも1つの不連続セカンダリキャリアにおける任意の不連続セカンダリキャリアを指すことができる。加えて、第1のセカンダリキャリアは、免許不要スペクトルのキャリア、非対称キャリア、または単一ダウンリンクキャリアなどとすることもできる。本発明の本実施形態では詳細を述べない。
【００７７】
さらに、基地局といったネットワーク側デバイスが不連続セカンダリキャリアを送信するときには、一般に、最大連続チャネル占有持続期間は指定された第1の持続期間閾値（例えば13ms）を上回ってはならない。したがって、第1のセカンダリキャリアの決定される最大連続チャネル占有持続期間も指定された第1の持続期間閾値の任意の数値を上回ってはならない。加えて、LTEシステムの無線フレーム構造にマッチするように、第1のセカンダリキャリアの最大連続チャネル占有持続期間は、一般に、サブフレームによって占有される持続期間（1ms）の非ゼロの整数倍、例えば、無線フレームによって占有される持続期間（10ms）とすることができ、または、サブフレーム内のシンボル、すなわち、OFDM（Orthogonal Frequency Division Multiplexing、直交周波数分割多重化）シンボルによって占有される持続期間の非ゼロの整数倍とすることもでき、これについては本発明の本実施形態では限定されない。
【００７８】
さらに、基地局といったネットワーク側デバイスが不連続セカンダリキャリアを送信するときには、一般に、チャネルリスニングを行うのに必要とされるチャネルリスニング持続期間は毎回指定された第2の閾値（例えば20s）未満であってはならないことに留意すべきである。したがって、本発明の本実施形態の解決策では、第1のセカンダリキャリアの決定されるチャネルリスニング持続期間も、一般に、指定された第2の持続期間閾値（例えば20s）未満としてはならない。当然ながら、一般に、第1のセカンダリキャリアのチャネルリスニング持続期間も、指定された第3の持続期間閾値、例えば、サブフレームによって占有される持続期間を上回らないことに留意すべきであり、これについては本発明の本実施形態では限定されない。
【００７９】
さらに、本発明の本実施形態では、第1のセカンダリキャリアの決定されるチャネル占有開始基準時点は、一般に、第1のセカンダリキャリアが任意のときにチャネルを占有するチャネル占有開始点を指すことができ、第1のセカンダリキャリアの決定されるチャネルリスニング開始基準時点は、一般に、第1のセカンダリキャリアがチャネルを占有し始めた後の任意の回のチャネルリスニングでのチャネルリスニング開始時点を指すことができることに留意すべきであり、これについては本発明の本実施形態では限定されない。
【００８０】
加えて、端末が第1のセカンダリキャリアを受信し始める時間は定まっておらず、すなわち、端末は、第1のセカンダリキャリアがチャネルを占有し始める時点に第1のセカンダリキャリアを受信し始める場合もあり、または、第1のセカンダリキャリアが第N回目（Nは任意の自然数）にチャネルを占有する時点後に初めて第1のセカンダリキャリアを受信し始める場合もあるため、好ましくは、第1のキャリア構成情報内のチャネル占有開始基準時点は、端末が第1のセカンダリキャリアを受信し始める時点またはその時点後のあるチャネル占有時間に対応するチャネル占有開始時点とすることができ、第1のキャリア構成情報内のチャネルリスニング開始基準時点は、端末が第1のセカンダリキャリアを受信し始める時点に対応するチャネルリスニング開始時点またはその時点後のあるチャネルリスニング時間に対応するチャネルリスニング開始時点とすることができることにも留意すべきである。
【００８１】
加えて、本発明の本実施形態では、第1のキャリア構成情報は1つまたは複数のチャネル占有開始基準時点を含むことができ、1つまたは複数チャネルリスニング開始基準時点を含むことができることにも留意すべきであり、これについては本発明の本実施形態では限定されない。
【００８２】
情報送信モジュール12は、端末が受信した第1のキャリア構成情報に従って、第1のセカンダリキャリア内の特殊サブフレームを決定する動作であって、特殊サブフレームはギャップシンボルの全部または一部を含み、ギャップシンボルはチャネルリスニング持続期間によって完全に、または一部が占有されるシンボルである、動作と、特殊サブフレーム内のギャップシンボルを除くすべてのシンボルをPDCCHおよび／またはPDSCHによって占有されうるシンボルとして用い、PDCCHおよび／またはPDSCHによって占有されうる決定されたシンボルに従って特殊サブフレーム内のPDCCHおよび／またはPDSCHをしかるべく受信し、または復号する動作と、を行うように、端末へ情報決定モジュール11によって決定された第1のキャリア構成情報を送信するように構成することができる。
【００８３】
具体的には、情報送信モジュール12は、RRCメッセージ、MAC層PDUメッセージ、または物理層シグナリングなどのいずれか1つまたは複数の種類のシグナリングを用いて端末へ情報決定モジュール11によって決定された第1のキャリア構成情報を送信するように特に構成することができる。
【００８４】
さらに、情報送信モジュール12は、同じメッセージまたは異なるメッセージを用いて端末へ第1のキャリア構成情報に含まれる任意の2つの情報を送信するように特に構成することができることに留意すべきである。例えば、RRCメッセージは端末へ第1のセカンダリキャリアの最大連続チャネル占有持続期間またはチャネルリスニング持続期間を送信するのに用いることができ、MAC層PDUメッセージまたは物理層シグナリングは端末へ第1のセカンダリキャリアのチャネル占有開始基準時点またはチャネルリスニング開始基準時点などを送信するのに用いことができる。
【００８５】
加えて、情報送信モジュール12は、同じ時点または異なる時点に端末へ第1のキャリア構成情報に含まれる任意の2つの情報を送信することができることにも留意すべきである。例えば、第1のキャリア構成情報内のチャネル占有開始時点および／またはチャネルリスニング開始時点は、第1のセカンダリキャリアがチャネルを占有し始めた後の任意の時点に端末へ送信することができ、第1のキャリア構成情報内の第1のセカンダリキャリアの最大連続チャネル占有持続期間およびチャネルリスニング持続期間は、第1のセカンダリキャリアが端末のために構成されるときに端末へ送信することができる。
【００８６】
さらに、ネットワーク側デバイスはシンボル指定モジュール13をさらに含むことができる。
【００８７】
シンボル指定モジュール13は、第1のセカンダリキャリアがクロススケジュールキャリアであると判定される場合、決定された第1のキャリア構成情報が端末へ送信される前に第1のセカンダリキャリアのPDSCH開始シンボル位置を指定するように構成することができる。具体的には、任意のキャリアについて、キャリアのPDSCHが別のキャリアのPDCCHによってスケジュールされるときに、そのスケジューリングをクロスキャリアスケジューリングといい、それに対応して、そのキャリアをクロススケジュールキャリアと呼ぶことができる。例えば、プライマリキャリアF1およびセカンダリキャリアF2について、セカンダリキャリアF2のPDSCHがプライマリキャリアF1のPDCCHによってスケジュールされるように構成される場合、セカンダリキャリアF2は対応するクロススケジュールキャリアである。この場合には、端末はセカンダリキャリアF2内のPDCCHを読み取らなくてもよい。加えて、ネットワーク側デバイスは、端末がプライマリキャリアF1のPDSCH開始シンボル位置およびPDCCHスケジューリング情報に従って対応するPDSCHを直接読み取ることができるように、セカンダリキャリアF2内の各サブフレームのPDSCH開始シンボル位置を直接構成することができる。すなわち、PDSCH開始シンボル位置は、クロススケジュールキャリアとして用いられる第1のセカンダリキャリアの各サブフレーム内のPDSCHシンボルの開始位置を指定するのに用いることができる。PDSCH開始シンボル位置が0である場合、これは、クロススケジュールキャリアとして用いられる第1のセカンダリキャリアの任意のサブフレーム内のすべてのシンボルがPDSCH送信に用いることができることを指示しうる。
【００８８】
これに対応して、情報送信モジュール12は、端末が第1のキャリア構成情報に従って第1のセカンダリキャリア内の特殊サブフレームを決定した後で、端末が、シンボル位置指示情報で指示されるPDSCH開始シンボル位置に従って、特殊サブフレーム内のPDSCH開始シンボル位置後の各非ギャップシンボルをPDSCHによって占有されうるシンボルとして用いるように、第1のセカンダリキャリアがクロススケジュールキャリアであると判定されるときに端末へ、PDSCH開始シンボル位置を指示するのに用いられるシンボル位置指示情報を搬送する第1のキャリア構成情報を送信するように特に構成することができる。
【００８９】
さらに、ネットワーク側デバイスはチャネル・モニタリング・モジュール14をさらに含むことができる。
【００９０】
チャネル・モニタリング・モジュール14は、第1のセカンダリキャリアの第1のキャリア構成情報が決定された後で、第1のセカンダリキャリアに対応するチャネルがチャネルリスニング持続期間に対応する期間に別のネットワーク側デバイスによって占有されているかどうかモニタするように構成することができ、具体的には、チャネルリスニング持続期間に対応する期間における信号エネルギーが指定されたエネルギー閾値より大きいかどうかモニタすることによって、第1のセカンダリキャリアに対応するチャネルが別のネットワーク側デバイスによって占有されているかどうか判定することができ、例えば、チャネルリスニング持続期間に対応する期間における信号エネルギーが指定されたエネルギー閾値より大きいことが検出される場合、第1のセカンダリキャリアに対応するチャネルは別のネットワーク側デバイスによって占有されていると判定することができ、これについては本発明の本実施形態ではこれ以上説明しない。
【００９１】
これに対応して、情報送信モジュール12は、チャネル・モニタリング・モジュール14のモニタリング結果が「占有されている」であるときに（すなわち、チャネル・モニタリング・モジュール14が、第1のセカンダリキャリアに対応するチャネルがチャネルリスニング持続期間に対応する期間に別のネットワーク側デバイスによって占有されていることを検出したときに）、端末が、キャリア解放メッセージに従って、第1のセカンダリキャリアに対して行われるデータ受信または復号動作を停止するように、端末へキャリア解放メッセージを送信するようにさらに構成することができる。
【００９２】
さらに、本発明の本実施形態において、情報決定モジュール11は、第1のセカンダリキャリアの第2のキャリア構成情報を決定するようにさらに構成することができ、第2のキャリア構成情報は、
第1のセカンダリキャリアのシステムブロードキャスト情報であって、システムブロードキャスト情報は第1のセカンダリキャリアが共通チャネルを含むことを指示することができ、共通チャネルはPBCH、PSS、SSS、または参照信号（例えば、CRS（Common Reference Signal、共通パイロット）やCSI−RS（Channel State Information Reference Signal、チャネル状態情報参照信号））のうちのいずれか1つまたは複数を含む、第1のセカンダリキャリアのシステムブロードキャスト情報、
第1の指示情報であって、第1の指示情報は第1のセカンダリキャリアが共通チャネルを含まないことを指示するのに用いられる、第1の指示情報、または、
第2の指示情報であって、第2の指示情報は第1のセカンダリキャリアで用いられる共通チャネルが拡張フォーマットの共通チャネルであることを指示するのに用いられ、拡張フォーマットの共通チャネルは、共通チャネルが位置するシンボルもしくは周波数位置が先行技術の非拡張フォーマットの共通チャネルが位置するシンボルもしくは周波数位置と異なることを指示する、第2の指示情報
のいずれか1つまたは複数の種類の情報を含む。具体的には、拡張フォーマットの共通チャネルは、第1のセカンダリキャリアがデータ伝送に用いることのできるシンボル位置がより多くなるように、より少ない無線リソースを占有しうる。具体的には、例えば、先行技術では、非拡張フォーマットのPSS／SSSはタイムスロット0およびタイムスロット10の最後の2つのシンボルを占有するが、拡張フォーマットのPSS／SSSはタイムスロット0の第1のシンボルだけを占有しうる。このようにして、2つのタイムスロット0および10においてデータ伝送に3つ多くシンボルを利用することができる。
【００９３】
これに対応して、情報送信モジュール12は、端末が受信した第2のキャリア構成情報に従って、
第1のセカンダリキャリアが共通チャネルを含むかどうか判定し、判定結果が「含む」である場合に、第1のセカンダリキャリアのサブフレーム内のPDCCHおよび／もしくはPDSCHを受信し、もしくは復号するときに、サブフレーム内のPDCCHおよび／もしくはPDSCHによって占有されうるシンボルの中から、共通チャネルによって占有されるシンボルを除外し、または、判定結果が「含まない」である場合に、第1のセカンダリキャリアのサブフレーム内のPDCCHおよび／もしくはPDSCHを受信し、もしくは復号するときに、サブフレーム内のPDCCHおよび／もしくはPDSCHによって占有されうるシンボルの中から、共通チャネルによって占有されるシンボルを除外するのをスキップする動作、あるいは、
第1のセカンダリキャリアにおいて拡張フォーマットの共通チャネルが用いられるかどうか判定し、判定結果が「用いられる」である場合に、第1のセカンダリキャリアのサブフレーム内のPDCCHおよび／もしくはPDSCHを受信し、もしくは復号するときに、サブフレーム内のPDCCHおよび／もしくはPDSCHによって占有されうるシンボルの中から、拡張フォーマットの共通チャネルによって占有されるシンボルを除外し、または、判定結果が「用いられない」である場合に、第1のセカンダリキャリアのサブフレーム内のPDCCHおよび／もしくはPDSCHを受信し、もしくは復号するときに、サブフレーム内のPDCCHおよび／もしくはPDSCHによって占有されうるシンボルの中から、拡張フォーマットの共通チャネルによって占有されるシンボルを除外するのをスキップする動作
を行うように、端末へ情報決定モジュール11によって決定された第2のキャリア構成情報を送信するようにさらに構成することができる。
【００９４】
本発明の実施形態1はネットワーク側デバイスを提供する。本発明の実施形態1の技術的解決策においては、端末のために構成された任意の不連続セカンダリキャリアについて、ネットワーク側デバイスは、端末が、受信したキャリア構成情報に従って不連続セカンダリキャリア内の特殊サブフレームを決定し、特殊サブフレーム内のギャップシンボルを除くすべてのシンボルをPDCCHおよび／またはPDSCHによって占有されうるシンボルとして用い、PDCCHおよび／またはPDSCHによって占有されうる決定されたシンボルに従って特殊サブフレーム内のPDCCHおよび／またはPDSCHをしかるべく受信し、または復号するように、不連続セカンダリキャリアの最大連続チャネル占有持続期間およびチャネルリスニング持続期間や、不連続セカンダリキャリアのチャネル占有開始基準時点および／またはチャネルリスニング開始基準時点といったキャリア構成情報を決定し、決定されたキャリア構成情報を端末へ送信することができる。このようにして、CCAによって生じるギャップシンボルを端末がサブフレーム全体から除外することができないためにリソース利用が低いという現存する問題が解決され、チャネルが不連続的に占有される場合のチャネル利用が改善される
【００９５】
加えて、端末のために構成された任意のキャリアについて、ネットワーク側デバイスは、端末がキャリアのサブフレーム内のPDCCHおよび／またはPDSCHを受信し、または復号するときに、端末が、共通チャネルが含まれるかどうかに関する受信した指示情報に従って、共通チャネルによって占有されるシンボルを除外し、または除外をスキップするよう柔軟に選択することができるように、端末へ、キャリアに共通チャネルが含まれるかどうかに関する指示情報を送信することができる。このようにして、端末が共通チャネルによって占有される特定の位置に従って対応する共通チャネルが構成されないセカンダリキャリア内の共通チャネルによって占有されるシンボルを依然として除外するためにスループットが増加するという現存する問題が解決され、端末が共通チャネルによって占有されるシンボルを除外する際の柔軟性の改善に基づいて、スループット損失が低減され、端末がPDCCHおよび／またはPDSCHを受信し、または復号する際の効率が改善されるという効果が得られる。
【００９６】
実施形態2
本発明の実施形態2はネットワーク側デバイスを提供し、本ネットワーク側デバイスは基地局といったデバイスとすることができ、これについては本発明の本実施形態では限定されない。具体的には、図2に示すように、図2は本発明の実施形態2のネットワーク側デバイスの概略的構造図である。本ネットワーク側デバイスは、情報決定モジュール21と、情報送信モジュール22とを含むことができる。
【００９７】
情報決定モジュール21は端末の第1のキャリアの第1のキャリア構成情報を決定するように構成することができ、第1のキャリア構成情報は、
第1のキャリアのシステムブロードキャスト情報であって、システムブロードキャスト情報は第1のキャリアが共通チャネルを含むことを指示することができ、共通チャネルはPBCH、PSS、SSS、または参照信号のうちのいずれか1つまたは複数を含む、第1のキャリアのシステムブロードキャスト情報、第1の指示情報であって、第1の指示情報は第1のキャリアが共通チャネルを含まないことを指示するのに用いられる、第1の指示情報、または、第2の指示情報であって、第2の指示情報は第1のキャリアで用いられる共通チャネルが拡張フォーマットの共通チャネルであることを指示するのに用いられる、第2の指示情報、
のいずれか1つまたは複数の種類の情報を含む。
【００９８】
情報送信モジュール22は、端末が受信した第1のキャリア構成情報に従って、
第1のキャリアが共通チャネルを含むかどうか判定し、判定結果が「含む」である場合に、第1のキャリアのサブフレーム内のPDCCHおよび／もしくはPDSCHを受信し、もしくは復号するときに、サブフレーム内のPDCCHおよび／もしくはPDSCHによって占有されうるシンボルの中から、共通チャネルによって占有されるシンボルを除外し、または、判定結果が「含まない」である場合に、第1のキャリアのサブフレーム内のPDCCHおよび／もしくはPDSCHを受信し、もしくは復号するときに、サブフレーム内のPDCCHおよび／もしくはPDSCHによって占有されうるシンボルの中から、共通チャネルによって占有されるシンボルを除外するのをスキップする動作、あるいは、
第1のキャリアにおいて拡張フォーマットの共通チャネルが用いられるかどうか判定し、判定結果が「用いられる」である場合に、第1のキャリアのサブフレーム内のPDCCHおよび／もしくはPDSCHを受信し、もしくは復号するときに、サブフレーム内のPDCCHおよび／もしくはPDSCHによって占有されうるシンボルの中から、拡張フォーマットの共通チャネルによって占有されるシンボルを除外し、または、判定結果が「用いられない」である場合に、第1のキャリアのサブフレーム内のPDCCHおよび／もしくはPDSCHを受信し、もしくは復号するときに、サブフレーム内のPDCCHおよび／もしくはPDSCHによって占有されうるシンボルの中から、拡張フォーマットの共通チャネルによって占有されるシンボルを除外するのをスキップする動作
を行うように、端末へ情報決定モジュール21によって決定された第1のキャリア構成情報を送信するように構成することができる。
【００９９】
具体的には、情報決定モジュール21は、ネットワーク側デバイスが端末のために対応する第1のキャリアを構成するときに第1のキャリアの第1のキャリア構成情報を決定することができ、または、ネットワーク側デバイスが端末のために対応する第1のキャリアを構成した後で第1のキャリアの第1のキャリア構成情報を決定することもでき、これについては本発明の本実施形態では限定されない。さらに、第1のキャリアは、端末のためにネットワーク側デバイスによって構成された任意の不連続キャリアまたは任意の連続キャリアとすることができ、これについても本発明の本実施形態では限定されない。
【０１００】
すなわち、本発明の実施形態2の技術的解決策においては、端末のために構成された任意のキャリアについて、ネットワーク側デバイスは、端末がキャリアのサブフレーム内のPDCCHおよび／またはPDSCHを受信し、または復号するときに、端末が、共通チャネルが含まれるかどうかに関する受信した指示情報に従って、共通チャネルによって占有されるシンボルを除外し、または除外をスキップするよう柔軟に選択することができるように、端末へ、キャリアに共通チャネルが含まれるかどうかに関する指示情報を送信することができる。このようにして、端末が共通チャネルによって占有される特定の位置に従って対応する共通チャネルが構成されないセカンダリキャリア内の共通チャネルによって占有されるシンボルを依然として除外するためにスループットが増加するという現存する問題が解決され、端末が共通チャネルによって占有されるシンボルを除外する際の柔軟性の改善に基づいて、スループット損失が低減され、端末がPDCCHおよび／またはPDSCHを受信し、または復号する際の効率が改善されるという効果が得られる。
【０１０１】
実施形態3
本発明の実施形態3は端末を提供し、本端末は、ネットワーク側デバイスとの通信および対話を行うことができる携帯電話といったデバイスとすることができ、これについては本発明の本実施形態では限定されない。具体的には、図3に示すように、図3は本発明の実施形態3の端末の概略的構造図である。本端末は具体的には、情報獲得モジュール31と、サブフレーム決定モジュール32と、サブフレーム処理モジュール33とを含むことができる。
【０１０２】
情報獲得モジュール31は、第1のセカンダリキャリアの第1のキャリア構成情報を獲得するように構成することができ、第1のセカンダリキャリアは不連続キャリアであり、第1のキャリア構成情報は第1のセカンダリキャリアの最大連続チャネル占有持続期間およびチャネルリスニング持続期間を含み、第1のセカンダリキャリアのチャネル占有開始基準時点および／またはチャネルリスニング開始基準時点をさらに含む。
【０１０３】
サブフレーム決定モジュール32は、情報獲得モジュール31によって獲得された第1のキャリア構成情報に従って第1のセカンダリキャリア内の特殊サブフレームを決定するように構成することができ、特殊サブフレームはギャップシンボルの全部または一部を含み、ギャップシンボルはチャネルリスニング持続期間によって完全に、または一部が占有されるシンボルである。
【０１０４】
サブフレーム処理モジュール33は、サブフレーム決定モジュール32によって決定された特殊サブフレーム内のギャップシンボルを除くすべてのシンボルをPDCCHおよび／またはPDSCHによって占有されうるシンボルとして用い、PDCCHおよび／またはPDSCHによって占有されうる決定されたシンボルに従って特殊サブフレーム内のPDCCHおよび／またはPDSCHをしかるべく受信し、または復号するように構成することができる。
【０１０５】
具体的には、第1のキャリア構成情報は、一般に、基地局といったネットワーク側デバイスによって構成され、端末へ送信されうる。当然ながら、第1のキャリア構成情報は、指定された規則に従って事前定義し、端末に記憶することもできることに留意すべきであり、これについては本発明の本実施形態では限定されない。
【０１０６】
さらに、第1のキャリア構成情報がネットワーク側デバイスによって端末へ送信されるときには、第1のキャリア構成情報は、RRCメッセージ、MAC層PDUメッセージ、または物理層シグナリングなどのいずれか1つまたは複数の種類のシグナリングを用いてネットワーク側デバイスによって端末へ送信されうる。加えて、第1のキャリア構成情報に含まれる任意の2つの情報がネットワーク側デバイスによって端末へ送信される際には同じメッセージが用いられても異なるメッセージが用いられてもよい。加えて、第1のキャリア構成情報に含まれる任意の2つの情報がネットワーク側デバイスによって端末へ送信されるのは同じ時点であっても異なる時点であってもよい。例えば、第1のキャリア構成情報内のチャネル占有開始基準時点および／またはチャネルリスニング開始基準時点は、第1のセカンダリキャリアがチャネルを占有し始めた後の任意の時点にネットワーク側デバイスによって端末へ送信されてよく、第1のキャリア構成情報内の第1のセカンダリキャリアの最大連続チャネル占有持続期間およびチャネルリスニング持続期間は、ネットワーク側デバイスが端末のために第1のセカンダリキャリアを構成するときに端末へ送信されてよく、これについては本発明の本実施形態では限定されない。
【０１０７】
さらに、サブフレーム決定モジュール32は、第1のキャリア構成情報に含まれる最大連続チャネル占有持続期間、チャネルリスニング持続期間、ならびにチャネル占有開始基準時点および／またはチャネルリスニング開始基準時点に従って第1のセカンダリキャリアのチャネル占有終了時点またはチャネルリスニング開始時点を決定し、決定されたチャネル占有終了時点または決定されたチャネルリスニング開始時点後のM個のシンボルをギャップシンボルとして用い、M個のシンボルの全部または一部のシンボルを含むサブフレームを特殊サブフレームとして用いるように特に構成することができ、M個のシンボルはチャネルリスニング持続期間に従って決定され、Mは1以上の正の整数である。
【０１０８】
さらに、本発明の本実施形態では、第1のセカンダリキャリアのチャネル占有の終了がサブフレーム境界だけに制限される場合もあり、または、終了はサブフレーム境界だけに制限されず、第1のセカンダリキャリアのチャネル占有の終了がサブフレーム境界だけに制限されるときには、プライマリキャリアのサブフレーム境界情報や端末の第2のセカンダリキャリア（第2のセカンダリキャリアは連続キャリアである）のサブフレーム境界情報といった対応するサブフレーム境界情報が獲得される必要がある。したがって、これに対応して、第1のセカンダリキャリアのチャネル占有の終了がサブフレーム境界だけに制限されるときには、端末（具体的にはサブフレーム決定モジュール32とすることができる）は、プライマリキャリアのサブフレーム境界情報や端末の第2のセカンダリキャリアのサブフレーム境界情報といったサブフレーム境界情報を決定するために、サブフレーム境界検出を行う必要がさらにある。
【０１０９】
これに対応して、この場合には、サブフレーム決定モジュール32は、第1のキャリア構成情報に含まれる最大連続チャネル占有持続期間、チャネルリスニング持続期間、チャネル占有開始基準時点および／またはチャネルリスニング開始基準時点、ならびにサブフレーム境界情報に従って第1のセカンダリキャリアのチャネル占有終了時点またはチャネルリスニング開始時点を決定し、決定されたチャネル占有終了時点または決定されたチャネルリスニング開始時点後のM個のシンボルをギャップシンボルとして用い、M個のシンボルの全部または一部のシンボルを含むサブフレームを特殊サブフレームとして用いるように特に構成することができる。
【０１１０】
さらに、例えば、第1のセカンダリキャリアのチャネル占有の終了はサブフレーム境界だけに制限されず、第1のキャリア構成情報は第1のセカンダリキャリアのチャネル占有開始基準時点を含み、チャネル占有開始基準時点は、第1のセカンダリキャリアが第1回目にチャネルを占有するときのチャネル占有開始時点をいう。サブフレーム決定モジュール32は、次式に従って、第1のセカンダリキャリアが第N回目にチャネルを占有するときのチャネル占有終了時点tN（または第N回目のチャネルリスニングにおけるチャネルリスニング開始時点）tNを決定することができる：
tN＝（t10＋T1）＋（N−1）（CCA＋T1）、式中、t10はチャネル占有開始基準時点を示し、T1は第1のセカンダリキャリアの最大連続チャネル占有持続期間を示し、CCAはチャネルリスニング持続期間を示し、Nは1以上の正の整数である。
【０１１１】
さらに、例えば、第1のセカンダリキャリアのチャネル占有の終了はサブフレーム境界だけに制限されず、第1のキャリア構成情報は第1のセカンダリキャリアのチャネルリスニング開始基準時点を含み、チャネルリスニング開始基準時点は、第1のセカンダリキャリアがチャネルを占有し始めた後の第1回目のチャネルリスニングにおけるチャネルリスニング開始時点をいう。サブフレーム決定モジュール32は、次式に従って、第1のセカンダリキャリアが第N回目にチャネルを占有するときのチャネル占有終了時点tN（または第N回目のチャネルリスニングにおけるチャネルリスニング開始時点）を決定することができる：
tN＝t20＋（N−1）（CCA＋T1）、式中、t20はチャネルリスニング開始基準時点を示し、T1は第1のセカンダリキャリアの最大連続チャネル占有持続期間を示し、CCAは第1のセカンダリキャリアのチャネルリスニング持続期間を示す。
【０１１２】
これに対応して、第1のセカンダリキャリアが第N回目にチャネルを占有するときのチャネル占有終了時点または第N回目のチャネルリスニングにおけるチャネルリスニング開始時点が決定された後で、対応するギャップシンボルおよび対応する特殊サブフレームが第1のセカンダリキャリアのチャネルリスニング持続期間に従って決定される。
【０１１３】
第1のセカンダリキャリアのチャネル占有の終了がサブフレーム境界だけに制限されないときには、第1のセカンダリキャリアが第N回目にチャネルを占有するときの決定されるチャネル占有終了時点または第N回目のチャネルリスニングにおけるチャネルリスニング開始時点（すなわち、CCAの開始時点）は対応するサブフレームの開始位置だけに限定されないため、ギャップシンボルの位置も動的に変更され、ギャップシンボルはサブフレーム内の任意の位置で発生しうることに留意すべきであり、これについては本発明の本実施形態ではこれ以上説明しない。
【０１１４】
さらに、例えば、第1のセカンダリキャリアのチャネル占有の終了はサブフレーム境界だけに制限され、第1のキャリア構成情報は第1のセカンダリキャリアのチャネル占有開始基準時点を含み、チャネル占有開始基準時点は、第1のセカンダリキャリアが第1回目にチャネルを占有するときのチャネル占有開始時点をいう。サブフレーム決定モジュール32は、以下の方法に従って、第1のセカンダリキャリアが第N回目にチャネルを占有するときのチャネル占有終了時点（または第N回目のチャネルリスニングにおけるチャネルリスニング開始時点）を決定することができる：
Nの値が1であるときには、第1のキャリア構成情報に含まれるサブフレーム境界情報に従って、第1のセカンダリキャリアの最大連続チャネル占有持続期間と第1のセカンダリキャリアのチャネル占有開始基準時点の和に対応する時点がサブフレーム境界に位置するかどうか判定し、「サブフレーム境界に位置する」場合、第1のセカンダリキャリアの最大連続チャネル占有持続期間と第1のセカンダリキャリアのチャネル占有開始基準時点の和に対応する時点を、第1のセカンダリキャリアが第1回目にチャネルを占有するときの終了時点として用い、「サブフレーム境界に位置しない」場合、第1のセカンダリキャリアの最大連続チャネル占有持続期間と第1のセカンダリキャリアのチャネル占有開始基準時点の和に対応する時点が位置するサブフレームのサブフレーム開始時点を、第1のセカンダリキャリアが第1回目にチャネルを占有するときの終了時点として用い、
Nの値が1より大きい正の整数であるときには、第1のセカンダリキャリアが第（N−1）回目にチャネルを占有するときの決定された終了時点を、第（N−1）の終了時点として用い、第1のセカンダリキャリアのチャネルリスニング持続期間と最大連続チャネル占有持続期間の和を第1の期間として用い、第1のキャリア構成情報に含まれるサブフレーム境界情報に従って、第1の期間と第（N−1）の終了時点の和に対応する時点がサブフレーム境界に位置するかどうか判定し、「サブフレーム境界に位置する」場合、第1の期間と第（N−1）の終了時点の和に対応する時点を、第1のセカンダリキャリアが第N回目にチャネルを占有するときの終了時点として用い、「サブフレーム境界に位置しない」場合、第1の期間と第（N−1）の終了時点の和に対応する時点が位置するサブフレームのサブフレーム開始時点を、第1のセカンダリキャリアが第N回目にチャネルを占有するときの終了時点として用いる。
【０１１５】
さらに、例えば、第1のセカンダリキャリアのチャネル占有の終了はサブフレーム境界だけに制限され、第1のキャリア構成情報は第1のセカンダリキャリアのチャネルリスニング開始基準時点を含み、チャネルリスニング開始基準時点は、第1のセカンダリキャリアがチャネルを占有し始めた後の第1回目のチャネルリスニングにおけるチャネルリスニング開始時点をいう。サブフレーム決定モジュール32は、以下の方法で、第1のセカンダリキャリアが第N回目にチャネルを占有するときのチャネル占有終了時点（または第N回目のチャネルリスニングにおけるチャネルリスニング開始時点）を決定することができる：
Nの値が1であるときには、第1のセカンダリキャリアのチャネルリスニング開始基準時点を第1のセカンダリキャリアが第1回目にチャネルを占有するときの終了時点として直接用い、Nの値が1より大きい正の整数であるときには、第1のセカンダリキャリアが第（N−1）回目にチャネルを占有するときの決定された終了時点を、第（N−1）の終了時点として用い、第1のセカンダリキャリアのチャネルリスニング持続期間と最大連続チャネル占有持続期間の和を第1の期間として用い、第1のキャリア構成情報に含まれるサブフレーム境界情報に従って、第1の期間と第（N−1）の終了時点の和に対応する時点がサブフレーム境界に位置するかどうか判定し、「サブフレーム境界に位置する」場合、第1の期間と第（N−1）の終了時点の和に対応する時点を、第1のセカンダリキャリアが第N回目にチャネルを占有するときの終了時点として用い、「サブフレーム境界に位置しない」場合、第1の期間と第（N−1）の終了時点の和に対応する時点が位置するサブフレームのサブフレーム開始時点を、第1のセカンダリキャリアが第N回目にチャネルを占有するときの終了時点として用いる。
【０１１６】
これに対応して、第1のセカンダリキャリアが第N回目にチャネルを占有するときのチャネル占有終了時点または第N回目のチャネルリスニングにおけるチャネルリスニング開始時点が決定された後で、対応するギャップシンボルおよび対応する特殊サブフレームが第1のセカンダリキャリアのチャネルリスニング持続期間に従って決定される。
【０１１７】
第1のセカンダリキャリアのチャネル占有の終了がサブフレーム境界だけに制限されるときには、第1のセカンダリキャリアが第N回目にチャネルを占有するときの決定されるチャネル占有終了時点または第N回目のチャネルリスニングにおけるチャネルリスニング開始時点（すなわち、CCAの開始時点）は対応するサブフレームの開始位置だけに制限されるため、ギャップシンボルの開始位置は対応するサブフレームの開始位置でもあることに留意すべきであり、これについては本発明の本実施形態ではこれ以上説明しない。
【０１１８】
本発明の本実施形態では、第1回目の第1のセカンダリキャリアのチャネル占有開始時点（すなわち第1回目）がプライマリキャリアまたは端末の別の連続セカンダリキャリア内の指定無線フレームのサブフレーム0のあるシンボルの位置に位置するときに、第1のセカンダリキャリアは、対応するサブフレーム境界を整合させる効果を得るために、実際には、プライマリキャリアまたは端末の別の連続セカンダリキャリア内の対応する指定無線フレームのサブフレーム1のサブフレーム開始時点の位置から対応するチャネルを使用し始めることができることに留意すべきであり、これについては本発明の本実施形態ではこれ以上説明しない。
【０１１９】
具体的には、以下で、具体例に従って、本発明の本実施形態における、第1のセカンダリキャリアが第N回目にチャネルを占有するときのチャネル占有終了時点（または第N回目のチャネルリスニングにおけるチャネルリスニング開始時点）、対応するギャップシンボル、および特殊サブフレームを決定するプロセスを簡単に説明する。
【０１２０】
図4に示すように、第1のキャリアおよび第2のキャリアといった少なくとも2つの動作キャリアが端末のために構成されるものと仮定し、第1のキャリアは免許不要スペクトルに配置された不連続セカンダリキャリアであり、第1のキャリアの最大連続チャネル占有持続期間は10ms（すなわち、無線フレームによって占有される持続期間）であり、チャネルリスニング持続期間は20s（すなわち、1シンボル未満）であり、第1のキャリアのチャネル占有開始基準時点は、第1のキャリアが第1回目にチャネルを占有するときのチャネル占有開始時点をいい、第1のキャリアは図4に示す無線フレーム1の第1のサブフレーム（サブフレーム0）の中央位置からチャネルを占有し始める（すなわち、第1回目のチャネル占有開始時点は無線フレーム1の第1のフレームの中央位置に対応する時点である）。
【０１２１】
第1のキャリアのチャネル占有の終了がサブフレーム境界に限定される場合、チャネル占有がサブフレーム境界で終了するように、第1のキャリアは第1回目にチャネルを占有するときに、無線フレーム1のサブフレーム9のサブフレーム終了時点（または無線フレーム2のサブフレーム0のサブフレーム開始時点）に終了される必要がある。この場合には、第1回目の第1のキャリアのチャネル占有終了時点は図4に示す無線フレーム1のサブフレーム9のサブフレーム終了時点（または無線フレーム2のサブフレーム0のサブフレーム開始時点）である。これに対応して、無線フレーム1のサブフレーム9のサブフレーム終了時点（または無線フレーム2のサブフレーム0のサブフレーム開始時点）後にチャネルリスニング持続期間によって占有されるシンボルがギャップシンボルであり、ギャップシンボルを有するサブフレームが特殊サブフレームである。具体的には、図4では、チャネルリスニング持続期間は1シンボル未満を占有するにすぎないと考えられうるため、決定されるギャップシンボルは無線フレーム2のサブフレーム0の第1のシンボルであり、決定されるサブフレームは無線フレーム2のサブフレーム0である。同様に、前述の方法によれば、第1のキャリアは、2回目にチャネルを占有するときに無線フレーム2のサブフレーム9のサブフレーム終了時点（または無線フレーム3のサブフレーム0のサブフレーム開始時点）で終了される必要があること、すなわち、2回目の第1のキャリアのチャネル占有終了時点は図4に示す無線フレーム2のサブフレーム9のサブフレーム終了時点（または無線フレーム3のサブフレーム0のサブフレーム開始時点）であるとさらに決定することができ、無線フレーム3のサブフレーム0の第1のシンボルはギャップシンボルであり、無線フレーム3のサブフレーム0は特殊サブフレームであるとさらに決定することができ、これについては本発明の本実施形態ではこれ以上説明しない。
【０１２２】
すなわち、図4に示すキャリアの概略的構造図において、第1のキャリアが第N回目にチャネルを占有するときの決定されるチャネル占有終了時点または第N回目のチャネルリスニングにおけるチャネルリスニング開始時点（すなわち、CCAの開始時点）は対応するサブフレームの開始位置（または対応するサブフレームに隣接した前のサブフレームの終了位置）に制限される。したがって、ギャップシンボルの開始位置は、一般に、対応するサブフレームの開始位置（または対応するサブフレームに隣接した前のサブフレームの終了位置）に位置し、これについては本発明の本実施形態ではこれ以上説明しない。
【０１２３】
さらに、図4に示すように、第1のキャリアのチャネル占有の終了がサブフレーム境界だけに制限されるときには、第1のキャリアがチャネルを占有する都度の実際の連続チャネル占有持続期間は10ms未満となりうることに留意すべきである。例えば、第2のキャリアのサブフレーム境界との整合のために、第1のキャリアは、一般に実際には、無線フレーム1のサブフレーム1からチャネルを使用し始めることができる。加えて、チャネル占有がサブフレーム境界で終了するように、第1のキャリアは第1回目にチャネルを占有するときに無線フレーム1のサブフレーム9で終了される必要があり、CCAは無線フレーム1のサブフレーム9のサブフレーム終了時点に開始される。この場合には、第1のキャリアの最大連続チャネル占有持続期間は10msとすることができるが、実際の占有はわずか9msにすぎない。当然ながら、第1回目の第1のキャリアのチャネル占有開始時点が無線フレームのサブフレーム0のサブフレーム開始時点である場合、第1のキャリアの実際の連続チャネル占有持続期間はやはり10msとなりうることに留意すべきであり、これについては本発明の本実施形態ではこれ以上説明しない。
【０１２４】
さらに、ギャップシンボルおよび対応する特殊サブフレームが決定された後で、サブフレーム処理モジュール33は、対応する特殊サブフレームに対する処理を行うのに用いられうる。
【０１２５】
具体的には、サブフレーム処理モジュール33は、第1のキャリア構成情報がPDSCH開始シンボル位置を指示するのに用いられるシンボル位置指示情報を搬送すると判定される場合、シンボル位置指示情報で指示されるPDSCH開始シンボル位置に従って、特殊サブフレーム内のPDSCH開始シンボル位置後の各非ギャップシンボルをPDSCHによって占有されうるシンボルとして用いる、ように特に構成することができ、シンボル位置指示情報は、ネットワーク側デバイスが第1のセカンダリキャリアはクロススケジュールキャリアであると判定したときに端末へ送信され、または、
サブフレーム処理モジュール33は、特殊サブフレームの第1のシンボルからPFICHを読み取り、PFICHに従って、PDCCHによって占有されうるシンボルを決定し、特殊サブフレーム内のギャップシンボルおよびPDCCHによって占有されうるシンボルを除くすべてのシンボルをPDSCHによって占有されうるシンボルとして用いるように特に構成することもでき、または
特殊サブフレームの第（M＋1）のシンボルからPFICHを読み取り、PFICHに従って、PDCCHによって占有されうるシンボルを決定し、特殊サブフレーム内のギャップシンボルおよびPDCCHによって占有されうるシンボルを除くすべてのシンボルをPDSCHによって占有されうるシンボルとして用いるように特に構成することもできる。
【０１２６】
第1のキャリア構成情報がPDSCH開始シンボル位置を指示するのに用いられるシンボル位置指示情報を搬送しないと判定される場合、サブフレーム処理モジュール33は、任意の特殊サブフレームについて、特殊サブフレームの第1のシンボルからPFICHを読み取り、または特殊サブフレームの第（M＋1）のシンボルからPFICHを読み取り、PFICHに従って、PDCCHによって占有されうるシンボルを決定し、特殊サブフレーム内のギャップシンボルおよびPDCCHによって占有されうるシンボルを除くすべてのシンボルをPDSCHによって占有されうるシンボルとして用いる、ように特に構成することができることに留意すべきである。
【０１２７】
さらに、PFICHを読み取る前述の方法が、PDCCHによって占有されうるシンボルおよびPDSCHによって占有されうるシンボルを決定するのに用いられるときには、サブフレーム処理モジュール33は、任意の特殊サブフレームについて、特殊サブフレーム内のギャップシンボルが特殊サブフレームの開始位置に位置しないと判定されるときには特殊サブフレームの第1のシンボルからPFICHを読み取り、特殊サブフレーム内のギャップシンボルが特殊サブフレームの開始位置に位置すると判定されるときには特殊サブフレーム内の第（M＋1）のシンボルからPFICHを読み取る、ように特に構成することができ、または、特殊サブフレーム内の第1のシンボルからPFICHをまず読み取り、読み取りに失敗したときに、特殊サブフレーム内の第（M＋1）のシンボルからPFICHを読み取るように構成することもでき、または、特殊サブフレーム内の第（M＋1）のシンボルからPFICHをまず読み取り、読み取りに失敗したときに、特殊サブフレーム内の第1のシンボルからPFICHを読み取るように構成することもできることに留意すべきであり、これについては本発明の本実施形態では限定されない。
【０１２８】
さらに、本発明の本実施形態では、任意の特殊サブフレームについて、特殊サブフレーム内のすべてのシンボルがギャップシンボルである、すなわち、チャネルリスニング持続期間はサブフレーム全体によって占有される持続期間を占有することができると判定されるときに、サブフレーム処理モジュール33は、特殊サブフレーム内のPDCCHおよび／またはPDSCHに対して行われる対応する受信または復号を停止するようにさらに構成することができることに留意すべきである。
【０１２９】
さらに、本端末は情報モニタリングモジュール34をさらに含むことができる。
【０１３０】
情報モニタリングモジュール34は、任意のギャップシンボルについて、ギャップシンボルに関するエネルギー検出を行う、ように構成し、かつ／または第1のセカンダリキャリアについてのキャリア解放メッセージがネットワーク側デバイスから受信されるかどうかモニタするように構成することができる。
【０１３１】
サブフレーム処理モジュール33は、任意のギャップシンボルについて、情報モニタリングモジュール34によって検出されたギャップシンボルのエネルギーが指定されたエネルギー閾値より高いと判定されるときに、ギャップシンボルの全部もしくは一部を含む特殊サブフレームの受信もしくは復号を停止するようにさらに構成することができ、これは、任意のギャップシンボルについて、ギャップシンボルが位置する位置では、ネットワーク側デバイスの第1のセカンダリキャリアはいかなるデータも送信しないからであり、ギャップシンボルが位置する位置において対応するエネルギーが検出される場合、これは、ギャップシンボルに対応するCCA期間において、第1のセカンダリキャリアによって占有されるチャネルが別のネットワーク側デバイスによって占有されており、したがって、ギャップシンボル位置後のPDCCHおよび／もしくはPDSCHに対して対応する受信もしくは復号を行うことも不要であることを指示するものであり、または、
サブフレーム処理モジュール33は、情報モニタリングモジュール34が、第1のセカンダリキャリアのためのキャリア解放メッセージがネットワーク側デバイスから受信されたことを検出したときに、第1のセカンダリキャリアに対して行われるデータ受信もしくは復号動作を停止する、ようにさらに構成することもできる。
【０１３２】
さらに、本発明の本実施形態において、情報獲得モジュール31は、ネットワーク側デバイスによって第1のセカンダリキャリアについて配信される第2のキャリア構成情報を受信するようにさらに構成することができ、第2のキャリア構成情報は、
第1のセカンダリキャリアのシステムブロードキャスト情報であって、システムブロードキャスト情報は第1のセカンダリキャリアが共通チャネルを含むことを指示することができ、共通チャネルはPBCH、PSS、SSS、または参照信号のうちのいずれか1つまたは複数を含む、第1のセカンダリキャリアのシステムブロードキャスト情報、第1の指示情報であって、第1の指示情報は第1のセカンダリキャリアが共通チャネルを含まないことを指示するのに用いられる、第1の指示情報、または、第2の指示情報であって、第2の指示情報は第1のセカンダリキャリアで用いられる共通チャネルが拡張フォーマットの共通チャネルであることを指示するのに用いられる、第2の指示情報、
のいずれか1つまたは複数の種類の情報を含むことができ、
サブフレーム処理モジュール33は、第2のキャリア構成情報に従って、第1のセカンダリキャリアが共通チャネルを含むかどうか判定し、判定結果が「含む」である場合に、第1のセカンダリキャリアのサブフレーム内のPDCCHおよび／もしくはPDSCHを受信し、もしくは復号するときに、サブフレーム内のPDCCHおよび／もしくはPDSCHによって占有されうるシンボルの中から、共通チャネルによって占有されるシンボルを除外し、または、判定結果が「含まない」である場合に、第1のセカンダリキャリアのサブフレーム内のPDCCHおよび／もしくはPDSCHを受信し、もしくは復号するときに、サブフレーム内のPDCCHおよび／もしくはPDSCHによって占有されうるシンボルの中から、共通チャネルによって占有されるシンボルを除外するのをスキップする、ようにさらに構成することができ、あるいは、
第2のキャリア構成情報に従って、第1のセカンダリキャリアにおいて拡張フォーマットの共通チャネルが用いられるかどうか判定し、判定結果が「用いられる」である場合に、第1のセカンダリキャリアのサブフレーム内のPDCCHおよび／もしくはPDSCHを受信し、もしくは復号するときに、サブフレーム内のPDCCHおよび／もしくはPDSCHによって占有されうるシンボルの中から、拡張フォーマットの共通チャネルによって占有されるシンボルを除外し、または、判定結果が「用いられない」である場合に、第1のセカンダリキャリアのサブフレーム内のPDCCHおよび／もしくはPDSCHを受信し、もしくは復号するときに、サブフレーム内のPDCCHおよび／もしくはPDSCHによって占有されうるシンボルの中から、拡張フォーマットの共通チャネルによって占有されるシンボルを除外するのをスキップするようにさらに構成することもできる。
【０１３３】
すなわち、任意のキャリアについて、端末がキャリアのサブフレーム内のPDCCHおよび／またはPDSCHを受信し、または復号するときに、端末は、共通チャネルが含まれるかどうかに関する受信した指示情報に従って、共通チャネルによって占有されるシンボルを除外し、または除外をスキップするよう柔軟に選択することができる。このようにして、端末が共通チャネルによって占有される特定の位置に従って対応する共通チャネルが構成されないセカンダリキャリア内の共通チャネルによって占有されるシンボルを依然として除外するためにスループットが増加するという現存する問題が解決され、端末が共通チャネルによって占有されるシンボルを除外する際の柔軟性の改善に基づいて、スループット損失が低減され、端末がPDCCHおよび／またはPDSCHを受信し、または復号する際の効率が改善されるという効果が得られる。
【０１３４】
具体的には、サブフレーム処理モジュール33は、第2のキャリア構成情報が第1の指示情報を含むと判定される場合、もしくは第2のキャリア構成情報がシステムブロードキャスト情報を含まないと判定される場合に、第1のセカンダリキャリアは共通チャネルを含まないと判定する、ように特に構成することができ、または、
第2のキャリア構成情報が第1の指示情報を含まないと判定される場合、もしくは第2のキャリア構成情報がシステムブロードキャスト情報を含むと判定される場合に、第1のセカンダリキャリアは共通チャネルを含むと判定する、ように特に構成することもできる。
【０１３５】
同様に、サブフレーム処理モジュール33は、第2のキャリア構成情報が第2の指示情報を含むと判定される場合、第1のセカンダリキャリアにおいて拡張フォーマットの共通チャネルが用いられると判定する、ように特にさらに構成することができ、または、
第2のキャリア構成情報が第2の指示情報を含まないと判定される場合、第1のセカンダリキャリアにおいて非拡張フォーマットの共通チャネルが用いられると判定する、ように特にさらに構成することもできる。
【０１３６】
すなわち、本発明の実施形態3の技術的解決策においては、任意の不連続セカンダリキャリアについて、本端末は、不連続セカンダリキャリアの最大連続チャネル占有持続期間およびチャネルリスニング持続期間、ならびに獲得される不連続セカンダリキャリアのチャネル占有開始基準時点および／またはチャネルリスニング開始基準時点に従って不連続セカンダリキャリア内の特殊サブフレームを決定することができ、特殊サブフレームはチャネルリスニング持続期間によって占有されるギャップシンボルの全部または一部を含み、任意の特殊サブフレームについて、本端末は、特殊サブフレーム内のギャップシンボルを除くすべてのシンボルをPDCCHおよび／またはPDSCHによって占有されうるシンボルとして用い、PDCCHおよび／またはPDSCHによって占有されうるシンボルに従って特殊サブフレーム内のPDCCHおよび／またはPDSCHをしかるべく受信し、または復号することができる。このようにして、CCAによって生じるギャップシンボルをサブフレーム全体から除外することができないためにリソース利用が低いという現存する問題が解決され、チャネルが不連続的に占有される場合のチャネル利用が改善される
【０１３７】
加えて、任意のキャリアについて、端末がキャリアのサブフレーム内のPDCCHおよび／またはPDSCHを受信し、または復号するときに、端末は、共通チャネルが含まれるかどうかに関する受信した指示情報に従って、共通チャネルによって占有されるシンボルを除外し、または除外をスキップするよう柔軟に選択することができる。このようにして、端末が共通チャネルによって占有される特定の位置に従って対応する共通チャネルが構成されないセカンダリキャリア内の共通チャネルによって占有されるシンボルを依然として除外するためにスループットが増加するという現存する問題が解決され、端末が共通チャネルによって占有されるシンボルを除外する際の柔軟性の改善に基づいて、スループット損失が低減され、端末がPDCCHおよび／またはPDSCHを受信し、または復号する際の効率が改善されるという効果が得られる。
【０１３８】
実施形態4
本発明の実施形態4は端末を提供し、本端末は、ネットワーク側デバイスとの通信および対話を行うことができる携帯電話といったデバイスとすることができ、これについては本発明の本実施形態では限定されない。具体的には、図5に示すように、図5は本発明の実施形態4の端末の概略的構造図である。本端末は具体的には、情報受信モジュール51と、サブフレーム処理モジュール52とを含むことができる。
【０１３９】
情報受信モジュール51は、ネットワーク側デバイスによって第1のキャリアについて配信される第1のキャリア構成情報を受信するように構成することができ、第1のキャリア構成情報は、
第1のキャリアのシステムブロードキャスト情報であって、システムブロードキャスト情報は第1のキャリアが共通チャネルを含むことを指示することができ、共通チャネルはPBCH、PSS、SSS、または参照信号のうちのいずれか1つまたは複数を含む、第1のキャリアのシステムブロードキャスト情報、第1の指示情報であって、第1の指示情報は第1のキャリアが共通チャネルを含まないことを指示するのに用いられる、第1の指示情報、または、第2の指示情報であって、第2の指示情報は第1のキャリアで用いられる共通チャネルが拡張フォーマットの共通チャネルであることを指示するのに用いられる、第2の指示情報、
のいずれか1つまたは複数の種類の情報を含む。
【０１４０】
サブフレーム処理モジュール52は、第1のキャリア構成情報に従って、第1のキャリアが共通チャネルを含むかどうか判定し、判定結果が「含む」である場合に、第1のキャリアのサブフレーム内の物理ダウンリンク制御チャネルPDCCHおよび／もしくは物理ダウンリンク共有チャネルPDSCHを受信し、もしくは復号するときに、サブフレーム内のPDCCHおよび／もしくはPDSCHによって占有されうるシンボルの中から共通チャネルによって占有されるシンボルを除外し、または、判定結果が「含まない」である場合に、第1のキャリアのサブフレーム内のPDCCHおよび／もしくはPDSCHを受信し、もしくは復号するときに、サブフレーム内のPDCCHおよび／もしくはPDSCHによって占有されうるシンボルの中から共通チャネルによって占有されるシンボルを除外するのをスキップし、あるいは、
第1のキャリア構成情報に従って、第1のキャリアにおいて拡張フォーマットの共通チャネルが用いられるかどうか判定し、判定結果が「用いられる」である場合に、第1のキャリアのサブフレーム内のPDCCHおよび／もしくはPDSCHを受信し、もしくは復号するときに、サブフレーム内のPDCCHおよび／もしくはPDSCHによって占有されうるシンボルの中から、拡張フォーマットの共通チャネルによって占有されるシンボルを除外し、または、判定結果が「用いられない」である場合に、第1のキャリアのサブフレーム内のPDCCHおよび／もしくはPDSCHを受信し、もしくは復号するときに、サブフレーム内のPDCCHおよび／もしくはPDSCHによって占有されうるシンボルの中から、拡張フォーマットの共通チャネルによって占有されるシンボルを除外するのをスキップする、
ように構成することができる。
【０１４１】
具体的には、サブフレーム処理モジュール52は、第1のキャリア構成情報が第1の指示情報を含むと判定される場合、もしくは第1のキャリア構成情報がシステムブロードキャスト情報を含まないと判定される場合に、第1のキャリアは共通チャネルを含まないと判定する、ように特に構成することができ、または、
第1のキャリア構成情報が第1の指示情報を含まないと判定される場合、もしくは第1のキャリア構成情報がシステムブロードキャスト情報を含むと判定される場合に、第1のキャリアは共通チャネルを含むと判定する、ように特に構成することもできる。
【０１４２】
同様に、サブフレーム処理モジュール52は、第1のキャリア構成情報が第2の指示情報を含むと判定される場合、第1のキャリアにおいて拡張フォーマットの共通チャネルが用いられると判定する、ように特にさらに構成ことができ、または、
第1のキャリア構成情報が第2の指示情報を含まないと判定される場合、第1のキャリアにおいて非拡張フォーマットの共通チャネルが用いられると判定する、ように特にさらに構成することもできる。
【０１４３】
すなわち、本発明の実施形態4の技術的解決策においては、端末のために構成された任意のキャリアについて、端末がキャリアのサブフレーム内のPDCCHおよび／またはPDSCHを受信し、または復号するときに、端末は、共通チャネルが含まれるかどうかに関する受信した指示情報に従って、共通チャネルによって占有されるシンボルを除外し、または除外をスキップするよう柔軟に選択することができる。このようにして、端末が共通チャネルによって占有される特定の位置に従って対応する共通チャネルが構成されないセカンダリキャリア内の共通チャネルによって占有されるシンボルを依然として除外するためにスループットが増加するという現存する問題が解決され、端末が共通チャネルによって占有されるシンボルを除外する際の柔軟性の改善に基づいて、スループット損失が低減され、端末がPDCCHおよび／またはPDSCHを受信し、または復号する際の効率が改善されるという効果が得られる。
【０１４４】
実施形態5
本発明の実施形態5はネットワーク側デバイスを提供し、本ネットワーク側デバイスは、本発明の実施形態1のネットワーク側デバイスと同じ発明概念に基づくネットワーク側エンティティデバイスである。具体的には、図6に示すように、図6は本発明の実施形態5のネットワーク側デバイスの概略的構造図である。本ネットワーク側デバイスは、プロセッサ61や送信機62といった構成要素を含むことができる。
【０１４５】
プロセッサ61は、端末の第1のセカンダリキャリアの第1のキャリア構成情報を決定するように構成することができ、第1のセカンダリキャリアは不連続キャリアであり、第1のキャリア構成情報は第1のセカンダリキャリアの最大連続チャネル占有持続期間およびチャネルリスニング持続期間を含み、第1のセカンダリキャリアのチャネル占有開始基準時点および／または第1のセカンダリキャリアのチャネルリスニング開始基準時点をさらに含む。
【０１４６】
送信機62は、端末が受信した第1のキャリア構成情報に従って、第1のセカンダリキャリア内の特殊サブフレームを決定する動作であって、特殊サブフレームはギャップシンボルの全部または一部を含み、ギャップシンボルはチャネルリスニング持続期間によって完全に、または一部が占有されるシンボルである、動作と、特殊サブフレーム内のギャップシンボルを除くすべてのシンボルをPDCCHおよび／またはPDSCHによって占有されうるシンボルとして用い、PDCCHおよび／またはPDSCHによって占有されうる決定されたシンボルに従って特殊サブフレーム内のPDCCHおよび／またはPDSCHをしかるべく受信し、または復号する動作と、を行うように、端末へプロセッサ61によって決定された第1のキャリア構成情報を送信するように構成することができる。
【０１４７】
具体的には、送信機62は、RRCメッセージ、MAC層PDUメッセージ、または物理層シグナリングなどのいずれか1つまたは複数の種類のシグナリングを用いて端末へプロセッサ61によって決定された第1のキャリア構成情報を送信するように特に構成することができる。加えて、送信機62は、端末へ第1のキャリア構成情報に含まれる任意の2つの情報を、同じメッセージを用いて送信するように特に構成することもでき、異なるメッセージを用いて送信するように構成することもできる。加えて、送信機62は、端末へ第1のキャリア構成情報に含まれる任意の2つの情報を、同じ時点に送信することもでき、異なる時点に送信することもできることにも留意すべきである。例えば、送信機62は、第1のセカンダリキャリアがチャネルを占有し始めた後の任意の時点に端末へ第1のキャリア構成情報においてチャネル占有開始時点および／またはチャネルリスニング開始時点を送信し、第1のセカンダリキャリアが端末のために構成されるときに端末へ第1のキャリア構成情報において第1のセカンダリキャリアの最大連続チャネル占有持続期間およびチャネルリスニング持続期間を送信するように特に構成することができ、これについては本発明の本実施形態では限定されない。
【０１４８】
さらに、プロセッサ61は、第1のセカンダリキャリアがクロススケジュールキャリアであると判定される場合、決定された第1のキャリア構成情報が端末へ送信される前に第1のセカンダリキャリアのPDSCH開始シンボル位置を指定するようにさらに構成することができる。
【０１４９】
これに対応して、送信機62は、端末が第1のキャリア構成情報に従って第1のセカンダリキャリア内の特殊サブフレームを決定した後で、端末が、シンボル位置指示情報で指示されるPDSCH開始シンボル位置に従って、特殊サブフレーム内のPDSCH開始シンボル位置後の各非ギャップシンボルをPDSCHによって占有されうるシンボルとして用いるように、第1のセカンダリキャリアがクロススケジュールキャリアであると判定されるときに端末へ、PDSCH開始シンボル位置を指示するのに用いられるシンボル位置指示情報を搬送する第1のキャリア構成情報を送信するように特に構成することができる。
【０１５０】
さらに、ネットワーク側デバイスはモニタ63をさらに含むことができる。
【０１５１】
モニタ63は、第1のセカンダリキャリアの第1のキャリア構成情報が決定された後で、第1のセカンダリキャリアに対応するチャネルがチャネルリスニング持続期間に対応する期間に別のネットワーク側デバイスによって占有されているかどうかモニタするように構成することができる。
【０１５２】
これに対応して、送信機62は、モニタ63のモニタリング結果が「占有されている」であるときに（すなわち、第1のセカンダリキャリアに対応するチャネルがチャネルリスニング持続期間に対応する期間に別のネットワーク側デバイスによって占有されていることが検出されるときに）、端末が、キャリア解放メッセージに従って、第1のセカンダリキャリアに対して行われるデータ受信または復号動作を停止するように、端末へキャリア解放メッセージを送信するようにさらに構成することができる。
【０１５３】
さらに、本発明の本実施形態において、プロセッサ61は、第1のセカンダリキャリアの第2のキャリア構成情報を決定するようにさらに構成することができ、第2のキャリア構成情報は、
第1のセカンダリキャリアのシステムブロードキャスト情報であって、システムブロードキャスト情報は第1のセカンダリキャリアが共通チャネルを含むことを指示することができ、共通チャネルはPBCH、PSS、SSS、または参照信号のうちのいずれか1つまたは複数を含む、第1のセカンダリキャリアのシステムブロードキャスト情報、第1の指示情報であって、第1の指示情報は第1のセカンダリキャリアが共通チャネルを含まないことを指示するのに用いられる、第1の指示情報、または、第2の指示情報であって、第2の指示情報は第1のセカンダリキャリアで用いられる共通チャネルが拡張フォーマットの共通チャネルであることを指示するのに用いられる、第2の指示情報、
のいずれか1つまたは複数の種類の情報を含む。
【０１５４】
これに対応して、送信機62は、端末が受信した第2のキャリア構成情報に従って、
第1のセカンダリキャリアが共通チャネルを含むかどうか判定し、判定結果が「含む」である場合に、第1のセカンダリキャリアのサブフレーム内のPDCCHおよび／もしくはPDSCHを受信し、もしくは復号するときに、サブフレーム内のPDCCHおよび／もしくはPDSCHによって占有されうるシンボルの中から、共通チャネルによって占有されるシンボルを除外し、または、判定結果が「含まない」である場合に、第1のセカンダリキャリアのサブフレーム内のPDCCHおよび／もしくはPDSCHを受信し、もしくは復号するときに、サブフレーム内のPDCCHおよび／もしくはPDSCHによって占有されうるシンボルの中から、共通チャネルによって占有されるシンボルを除外するのをスキップする動作、あるいは、
第1のセカンダリキャリアにおいて拡張フォーマットの共通チャネルが用いられるかどうか判定し、判定結果が「用いられる」である場合に、第1のセカンダリキャリアのサブフレーム内のPDCCHおよび／もしくはPDSCHを受信し、もしくは復号するときに、サブフレーム内のPDCCHおよび／もしくはPDSCHによって占有されうるシンボルの中から、拡張フォーマットの共通チャネルによって占有されるシンボルを除外し、または、判定結果が「用いられない」である場合に、第1のセカンダリキャリアのサブフレーム内のPDCCHおよび／もしくはPDSCHを受信し、もしくは復号するときに、サブフレーム内のPDCCHおよび／もしくはPDSCHによって占有されうるシンボルの中から、拡張フォーマットの共通チャネルによって占有されるシンボルを除外するのをスキップする動作
を行うように、端末へプロセッサ61によって決定された第2のキャリア構成情報を送信するようにさらに構成することができる。
【０１５５】
すなわち、本発明の実施形態5の技術的解決策においては、端末のために構成された任意の不連続セカンダリキャリアについて、ネットワーク側デバイスは、端末が、受信したキャリア構成情報に従って不連続セカンダリキャリア内の特殊サブフレームを決定し、特殊サブフレーム内のギャップシンボルを除くすべてのシンボルをPDCCHおよび／またはPDSCHによって占有されうるシンボルとして用い、PDCCHおよび／またはPDSCHによって占有されうる決定されたシンボルに従って特殊サブフレーム内のPDCCHおよび／またはPDSCHをしかるべく受信し、または復号するように、不連続セカンダリキャリアの最大連続チャネル占有持続期間およびチャネルリスニング持続期間や、不連続セカンダリキャリアのチャネル占有開始基準時点および／またはチャネルリスニング開始基準時点といったキャリア構成情報を決定し、決定されたキャリア構成情報を端末へ送信することができる。このようにして、CCAによって生じるギャップシンボルを端末がサブフレーム全体から除外することができないためにリソース利用が低いという現存する問題が解決され、チャネルが不連続的に占有される場合のチャネル利用が改善される
【０１５６】
加えて、端末のために構成された任意のキャリアについて、ネットワーク側デバイスは、端末がキャリアのサブフレーム内のPDCCHおよび／またはPDSCHを受信し、または復号するときに、端末が、共通チャネルが含まれるかどうかに関する受信した指示情報に従って、共通チャネルによって占有されるシンボルを除外し、または除外をスキップするよう柔軟に選択することができるように、端末へ、キャリアに共通チャネルが含まれるかどうかに関する指示情報を送信することができる。このようにして、端末が共通チャネルによって占有される特定の位置に従って対応する共通チャネルが構成されないセカンダリキャリア内の共通チャネルによって占有されるシンボルを依然として除外するためにスループットが増加するという現存する問題が解決され、端末が共通チャネルによって占有されるシンボルを除外する際の柔軟性の改善に基づいて、スループット損失が低減され、端末がPDCCHおよび／またはPDSCHを受信し、または復号する際の効率が改善されるという効果が得られる。
【０１５７】
実施形態6
本発明の実施形態6はネットワーク側デバイスを提供し、本ネットワーク側デバイスは、本発明の実施形態2のネットワーク側デバイスと同じ発明概念に基づくネットワーク側エンティティデバイスである。具体的には、図7に示すように、図7は本発明の実施形態6のネットワーク側デバイスの概略的構造図である。本ネットワーク側デバイスは、プロセッサ71や送信機72といった構成要素を含むことができる。
【０１５８】
プロセッサ71は、端末の第1のキャリアの第1のキャリア構成情報を決定するように構成することができ、第1のキャリア構成情報は、
第1のキャリアのシステムブロードキャスト情報であって、システムブロードキャスト情報は第1のキャリアが共通チャネルを含むことを指示することができ、共通チャネルはPBCH、PSS、SSS、または参照信号のうちのいずれか1つまたは複数を含む、第1のキャリアのシステムブロードキャスト情報、第1の指示情報であって、第1の指示情報は第1のキャリアが共通チャネルを含まないことを指示するのに用いられる、第1の指示情報、または、第2の指示情報であって、第2の指示情報は第1のキャリアで用いられる共通チャネルが拡張フォーマットの共通チャネルであることを指示するのに用いられる、第2の指示情報、
のいずれか1つまたは複数の種類の情報を含む。
【０１５９】
送信機72は、端末が受信した第1のキャリア構成情報に従って、
第1のキャリアが共通チャネルを含むかどうか判定し、判定結果が「含む」である場合に、第1のキャリアのサブフレーム内のPDCCHおよび／もしくはPDSCHを受信し、もしくは復号するときに、サブフレーム内のPDCCHおよび／もしくはPDSCHによって占有されうるシンボルの中から、共通チャネルによって占有されるシンボルを除外し、または、判定結果が「含まない」である場合に、第1のキャリアのサブフレーム内のPDCCHおよび／もしくはPDSCHを受信し、もしくは復号するときに、サブフレーム内のPDCCHおよび／もしくはPDSCHによって占有されうるシンボルの中から、共通チャネルによって占有されるシンボルを除外するのをスキップする動作、あるいは、
第1のキャリアにおいて拡張フォーマットの共通チャネルが用いられるかどうか判定し、判定結果が「用いられる」である場合に、第1のキャリアのサブフレーム内のPDCCHおよび／もしくはPDSCHを受信し、もしくは復号するときに、サブフレーム内のPDCCHおよび／もしくはPDSCHによって占有されうるシンボルの中から、拡張フォーマットの共通チャネルによって占有されるシンボルを除外し、または、判定結果が「用いられない」である場合に、第1のキャリアのサブフレーム内のPDCCHおよび／もしくはPDSCHを受信し、もしくは復号するときに、サブフレーム内のPDCCHおよび／もしくはPDSCHによって占有されうるシンボルの中から、拡張フォーマットの共通チャネルによって占有されるシンボルを除外するのをスキップする動作
を行うように、端末へプロセッサ71によって決定された第1のキャリア構成情報を送信するように構成することができる。
【０１６０】
すなわち、本発明の実施形態6の技術的解決策においては、端末のために構成された任意のキャリアについて、ネットワーク側デバイスは、端末がキャリアのサブフレーム内のPDCCHおよび／またはPDSCHを受信し、または復号するときに、端末が、共通チャネルが含まれるかどうかに関する受信した指示情報に従って、共通チャネルによって占有されるシンボルを除外し、または除外をスキップするよう柔軟に選択することができるように、端末へ、キャリアに共通チャネルが含まれるかどうかに関する指示情報を送信することができる。このようにして、端末が共通チャネルによって占有される特定の位置に従って対応する共通チャネルが構成されないセカンダリキャリア内の共通チャネルによって占有されるシンボルを依然として除外するためにスループットが増加するという現存する問題が解決され、端末が共通チャネルによって占有されるシンボルを除外する際の柔軟性の改善に基づいて、スループット損失が低減され、端末がPDCCHおよび／またはPDSCHを受信し、または復号する際の効率が改善されるという効果が得られる。
【０１６１】
実施形態7
本発明の実施形態7は端末を提供し、本端末は、本発明の実施形態3の端末と同じ発明概念に基づく端末エンティティデバイスである。具体的には、図8に示すように、図8は本発明の実施形態7の端末の概略的構造図である。本端末は、受信機81やプロセッサ82といった構成要素を含むことができる。
【０１６２】
受信機81は、第1のセカンダリキャリアの第1のキャリア構成情報を獲得するように構成することができ、第1のセカンダリキャリアは不連続キャリアであり、第1のキャリア構成情報は第1のセカンダリキャリアの最大連続チャネル占有持続期間およびチャネルリスニング持続期間を含み、第1のセカンダリキャリアのチャネル占有開始基準時点および／またはチャネルリスニング開始基準時点をさらに含む。
【０１６３】
プロセッサ82は、受信機81によって獲得された第1のキャリア構成情報に従って第1のセカンダリキャリア内の特殊サブフレームを決定するように構成することができ、特殊サブフレームはギャップシンボルの全部または一部を含み、ギャップシンボルはチャネルリスニング持続期間によって完全に、または一部が占有されるシンボルであり、プロセッサ82は、決定された特殊サブフレーム内のギャップシンボルを除くすべてのシンボルをPDCCHおよび／またはPDSCHによって占有されうるシンボルとして用い、PDCCHおよび／またはPDSCHによって占有されうる決定されたシンボルに従って特殊サブフレーム内のPDCCHおよび／またはPDSCHをしかるべく受信し、または復号するように構成することができる。
【０１６４】
具体的には、第1のキャリア構成情報は、一般に、基地局といったネットワーク側デバイスによって構成され、端末へ送信されうる。当然ながら、第1のキャリア構成情報は、指定された規則に従って事前定義し、端末に記憶することもできることに留意すべきであり、これについては本発明の本実施形態では限定されない。
【０１６５】
さらに、第1のキャリア構成情報がネットワーク側デバイスによって端末へ送信されるときには、第1のキャリア構成情報は、RRCメッセージ、MAC層PDUメッセージ、または物理層シグナリングなどのいずれか1つまたは複数の種類のシグナリングを用いてネットワーク側デバイスによって端末へ送信されうる。加えて、第1のキャリア構成情報に含まれる任意の2つの情報がネットワーク側デバイスによって端末へ送信される際には同じメッセージが用いられても異なるメッセージが用いられてもよい。加えて、第1のキャリア構成情報に含まれる任意の2つの情報がネットワーク側デバイスによって端末へ送信されるのは同じ時点であっても異なる時点であってもよく、これについては本発明の本実施形態では限定されない。
【０１６６】
さらに、プロセッサ82は、第1のキャリア構成情報に含まれる最大連続チャネル占有持続期間、チャネルリスニング持続期間、ならびにチャネル占有開始基準時点および／またはチャネルリスニング開始基準時点に従って第1のセカンダリキャリアのチャネル占有終了時点またはチャネルリスニング開始時点を決定し、決定されたチャネル占有終了時点または決定されたチャネルリスニング開始時点後のM個のシンボルをギャップシンボルとして用い、M個のシンボルの全部または一部のシンボルを含むサブフレームを特殊サブフレームとして用いるように特に構成することができ、M個のシンボルはチャネルリスニング持続期間に従って決定され、Mは1以上の正の整数である。
【０１６７】
さらに、第1のセカンダリキャリアのチャネル占有の終了がサブフレーム境界だけに制限される場合もあり、または、終了はサブフレーム境界だけに制限されず、第1のセカンダリキャリアのチャネル占有の終了がサブフレーム境界だけに制限されるときには、プライマリキャリアのサブフレーム境界情報や端末の第2のセカンダリキャリアのサブフレーム境界情報といった対応するサブフレーム境界情報が獲得される必要がある。したがって、これに対応して、第1のセカンダリキャリアのチャネル占有の終了がサブフレーム境界だけに制限されるときには、端末（具体的にはプロセッサ82とすることができる）は、プライマリキャリアのサブフレーム境界情報や端末の第2のセカンダリキャリアのサブフレーム境界情報といったサブフレーム境界情報を決定するために、サブフレーム境界検出を行う必要がさらにある。
【０１６８】
これに対応して、この場合には、プロセッサ82は、第1のキャリア構成情報に含まれる最大連続チャネル占有持続期間、チャネルリスニング持続期間、チャネル占有開始基準時点および／またはチャネルリスニング開始基準時点、ならびにサブフレーム境界情報に従って第1のセカンダリキャリアのチャネル占有終了時点またはチャネルリスニング開始時点を決定し、決定されたチャネル占有終了時点または決定されたチャネルリスニング開始時点後のM個のシンボルをギャップシンボルとして用い、M個のシンボルの全部または一部のシンボルを含むサブフレームを特殊サブフレームとして用いるように特に構成することができる。
【０１６９】
さらに、ギャップシンボルおよび対応する特殊サブフレームが決定された後で、対応する特殊サブフレームに対して処理を行うことができる。具体的には、プロセッサ82は、第1のキャリア構成情報がPDSCH開始シンボル位置を指示するのに用いられるシンボル位置指示情報を搬送すると判定される場合、シンボル位置指示情報で指示されるPDSCH開始シンボル位置に従って、特殊サブフレーム内のPDSCH開始シンボル位置後の各非ギャップシンボルをPDSCHによって占有されうるシンボルとして用いる、ように特に構成することができ、または、
特殊サブフレームの第1のシンボルからPFICHを読み取り、PFICHに従って、PDCCHによって占有されうるシンボルを決定し、特殊サブフレーム内のギャップシンボルおよびPDCCHによって占有されうるシンボルを除くすべてのシンボルをPDSCHによって占有されうるシンボルとして用いるように特に構成することもでき、または
特殊サブフレームの第（M＋1）のシンボルからPFICHを読み取り、PFICHに従って、PDCCHによって占有されうるシンボルを決定し、特殊サブフレーム内のギャップシンボルおよびPDCCHによって占有されうるシンボルを除くすべてのシンボルをPDSCHによって占有されうるシンボルとして用いるように特に構成することもできる。
【０１７０】
第1のキャリア構成情報がPDSCH開始シンボル位置を指示するのに用いられるシンボル位置指示情報を搬送しないと判定される場合、プロセッサ82は、任意の特殊サブフレームについて、特殊サブフレームの第1のシンボルからPFICHを読み取り、または特殊サブフレームの第（M＋1）のシンボルからPFICHを読み取り、PFICHに従って、PDCCHによって占有されうるシンボルを決定し、特殊サブフレーム内のギャップシンボルおよびPDCCHによって占有されうるシンボルを除くすべてのシンボルをPDSCHによって占有されうるシンボルとして用いる、ように特に構成することができることに留意すべきである。
【０１７１】
さらに、本発明の本実施形態では、任意の特殊サブフレームについて、特殊サブフレーム内のすべてのシンボルがギャップシンボルである、すなわち、チャネルリスニング持続期間はサブフレーム全体によって占有される持続期間を占有することができると判定されるときに、プロセッサ82は、特殊サブフレーム内のPDCCHおよび／またはPDSCHに対して行われる対応する受信または復号を停止するようにさらに構成することができることに留意すべきである。
【０１７２】
さらに、本端末はモニタ83をさらに含むことができる。
【０１７３】
モニタ83は、任意のギャップシンボルについて、ギャップシンボルに関するエネルギー検出を行う、ように構成することができ、かつ／または第1のセカンダリキャリアについてのキャリア解放メッセージがネットワーク側デバイスから受信されるかどうかモニタするように構成することもできる。
【０１７４】
プロセッサ82は、任意のギャップシンボルについて、モニタ83によって検出されたギャップシンボルのエネルギーが指定されたエネルギー閾値より高いと判定されるときに、ギャップシンボルの全部もしくは一部のシンボルを含む特殊サブフレームの受信もしくは復号を停止する、ようにさらに構成することができ、または、モニタ83が、第1のセカンダリキャリアについてのキャリア解放メッセージがネットワーク側デバイスから受信されたことを検出したときに、第1のセカンダリキャリアに対して行われるデータ受信または復号動作を停止するようにさらに構成することもできる。
【０１７５】
さらに、受信機81は、ネットワーク側デバイスによって第1のセカンダリキャリアについて配信される第2のキャリア構成情報を受信するようにさらに構成することができ、第2のキャリア構成情報は、
第1のセカンダリキャリアのシステムブロードキャスト情報であって、システムブロードキャスト情報は第1のセカンダリキャリアが共通チャネルを含むことを指示することができ、共通チャネルはPBCH、PSS、SSS、または参照信号のうちのいずれか1つまたは複数を含む、第1のセカンダリキャリアのシステムブロードキャスト情報、第1の指示情報であって、第1の指示情報は第1のセカンダリキャリアが共通チャネルを含まないことを指示するのに用いられる、第1の指示情報、または、第2の指示情報であって、第2の指示情報は第1のセカンダリキャリアで用いられる共通チャネルが拡張フォーマットの共通チャネルであることを指示するのに用いられる、第2の指示情報、
のいずれか1つまたは複数の種類の情報を含む。
【０１７６】
プロセッサ82は、第2のキャリア構成情報に従って、第1のセカンダリキャリアが共通チャネルを含むかどうか判定し、判定結果が「含む」である場合に、第1のセカンダリキャリアのサブフレーム内のPDCCHおよび／もしくはPDSCHを受信し、もしくは復号するときに、サブフレーム内のPDCCHおよび／もしくはPDSCHによって占有されうるシンボルの中から、共通チャネルによって占有されるシンボルを除外し、または、判定結果が「含まない」である場合に、第1のセカンダリキャリアのサブフレーム内のPDCCHおよび／もしくはPDSCHを受信し、もしくは復号するときに、サブフレーム内のPDCCHおよび／もしくはPDSCHによって占有されうるシンボルの中から、共通チャネルによって占有されるシンボルを除外するのをスキップする、ようにさらに構成することができ、あるいは、
第2のキャリア構成情報に従って、第1のセカンダリキャリアにおいて拡張フォーマットの共通チャネルが用いられるかどうか判定し、判定結果が「用いられる」である場合に、第1のセカンダリキャリアのサブフレーム内のPDCCHおよび／もしくはPDSCHを受信し、もしくは復号するときに、サブフレーム内のPDCCHおよび／もしくはPDSCHによって占有されうるシンボルの中から、拡張フォーマットの共通チャネルによって占有されるシンボルを除外し、または、判定結果が「用いられない」である場合に、第1のセカンダリキャリアのサブフレーム内のPDCCHおよび／もしくはPDSCHを受信し、もしくは復号するときに、サブフレーム内のPDCCHおよび／もしくはPDSCHによって占有されうるシンボルの中から、拡張フォーマットの共通チャネルによって占有されるシンボルを除外するのをスキップするようにさらに構成することもできる。
【０１７７】
具体的には、プロセッサ82は、第2のキャリア構成情報が第1の指示情報を含むと判定される場合、もしくは第2のキャリア構成情報がシステムブロードキャスト情報を含まないと判定される場合に、第1のセカンダリキャリアは共通チャネルを含まないと判定する、ように特に構成することができ、または、
第2のキャリア構成情報が第1の指示情報を含まないと判定される場合、もしくは第2のキャリア構成情報がシステムブロードキャスト情報を含むと判定される場合に、第1のセカンダリキャリアは共通チャネルを含むと判定する、ように特に構成することもできる。
【０１７８】
同様に、プロセッサ82は、第2のキャリア構成情報が第2の指示情報を含むと判定される場合、第1のセカンダリキャリアにおいて拡張フォーマットの共通チャネルが用いられると判定する、ように特に構成することもでき、または、
第2のキャリア構成情報が第2の指示情報を含まないと判定される場合、第1のセカンダリキャリアにおいて非拡張フォーマットの共通チャネルが用いられると判定する、ように特に構成することもできる。
【０１７９】
すなわち、本発明の実施形態7の技術的解決策においては、任意の不連続セカンダリキャリアについて、本端末は、不連続セカンダリキャリアの最大連続チャネル占有持続期間およびチャネルリスニング持続期間、ならびに獲得される不連続セカンダリキャリアのチャネル占有開始基準時点および／またはチャネルリスニング開始基準時点に従って不連続セカンダリキャリア内の特殊サブフレームを決定することができ、特殊サブフレームはチャネルリスニング持続期間によって占有されるギャップシンボルの全部または一部を含み、任意の特殊サブフレームについて、本端末は、特殊サブフレーム内のギャップシンボルを除くすべてのシンボルをPDCCHおよび／またはPDSCHによって占有されうるシンボルとして用い、PDCCHおよび／またはPDSCHによって占有されうるシンボルに従って特殊サブフレーム内のPDCCHおよび／またはPDSCHをしかるべく受信し、または復号することができる。このようにして、CCAによって生じるギャップシンボルをサブフレーム全体から除外することができないためにリソース利用が低いという現存する問題が解決され、チャネルが不連続的に占有される場合のチャネル利用が改善される
【０１８０】
加えて、任意のキャリアについて、端末がキャリアのサブフレーム内のPDCCHおよび／またはPDSCHを受信し、または復号するときに、端末は、共通チャネルが含まれるかどうかに関する受信した指示情報に従って、共通チャネルによって占有されるシンボルを除外し、または除外をスキップするよう柔軟に選択することができる。このようにして、端末が共通チャネルによって占有される特定の位置に従って対応する共通チャネルが構成されないセカンダリキャリア内の共通チャネルによって占有されるシンボルを依然として除外するためにスループットが増加するという現存する問題が解決され、端末が共通チャネルによって占有されるシンボルを除外する際の柔軟性の改善に基づいて、スループット損失が低減され、端末がPDCCHおよび／またはPDSCHを受信し、または復号する際の効率が改善されるという効果が得られる。
【０１８１】
実施形態8
本発明の実施形態8は端末を提供し、本端末は、本発明の実施形態4の端末と同じ発明概念に基づく端末エンティティデバイスである。具体的には、図9に示すように、図9は本発明の実施形態8の端末の概略的構造図である。本端末は、受信機91やプロセッサ92といった構成要素を含むことができる。
【０１８２】
受信機91は、ネットワーク側デバイスによって第1のキャリアについて配信される第1のキャリア構成情報を受信するように構成することができ、第1のキャリア構成情報は、
第1のキャリアのシステムブロードキャスト情報であって、システムブロードキャスト情報は第1のキャリアが共通チャネルを含むことを指示することができ、共通チャネルはPBCH、PSS、SSS、または参照信号のうちのいずれか1つまたは複数を含む、第1のキャリアのシステムブロードキャスト情報、第1の指示情報であって、第1の指示情報は第1のキャリアが共通チャネルを含まないことを指示するのに用いられる、第1の指示情報、または、第2の指示情報であって、第2の指示情報は第1のキャリアで用いられる共通チャネルが拡張フォーマットの共通チャネルであることを指示するのに用いられる、第2の指示情報、
のいずれか1つまたは複数の種類の情報を含む。
【０１８３】
プロセッサ92は、第1のキャリア構成情報に従って、第1のキャリアが共通チャネルを含むかどうか判定し、判定結果が「含む」である場合に、第1のキャリアのサブフレーム内のPDCCHおよび／もしくはPDSCHを受信し、もしくは復号するときに、サブフレーム内のPDCCHおよび／もしくはPDSCHによって占有されうるシンボルの中から共通チャネルによって占有されるシンボルを除外し、または、判定結果が「含まない」である場合に、第1のキャリアのサブフレーム内のPDCCHおよび／もしくはPDSCHを受信し、もしくは復号するときに、サブフレーム内のPDCCHおよび／もしくはPDSCHによって占有されうるシンボルの中から共通チャネルによって占有されるシンボルを除外するのをスキップし、あるいは、
第1のキャリア構成情報に従って、第1のキャリアにおいて拡張フォーマットの共通チャネルが用いられるかどうか判定し、判定結果が「用いられる」である場合に、第1のキャリアのサブフレーム内のPDCCHおよび／もしくはPDSCHを受信し、もしくは復号するときに、サブフレーム内のPDCCHおよび／もしくはPDSCHによって占有されうるシンボルの中から、拡張フォーマットの共通チャネルによって占有されるシンボルを除外し、または、判定結果が「用いられない」である場合に、第1のキャリアのサブフレーム内のPDCCHおよび／もしくはPDSCHを受信し、もしくは復号するときに、サブフレーム内のPDCCHおよび／もしくはPDSCHによって占有されうるシンボルの中から、拡張フォーマットの共通チャネルによって占有されるシンボルを除外するのをスキップする、
ように構成することができる。
【０１８４】
具体的には、プロセッサ92は、第1のキャリア構成情報が第1の指示情報を含むと判定される場合、もしくは第1のキャリア構成情報がシステムブロードキャスト情報を含まないと判定される場合に、第1のキャリアは共通チャネルを含まないと判定する、ように特に構成することができ、または、
第1のキャリア構成情報が第1の指示情報を含まないと判定される場合、もしくは第1のキャリア構成情報がシステムブロードキャスト情報を含むと判定される場合に、第1のキャリアは共通チャネルを含むと判定する、ように特に構成することもできる。
【０１８５】
同様に、プロセッサ92は、第1のキャリア構成情報が第2の指示情報を含むと判定される場合、第1のキャリアにおいて拡張フォーマットの共通チャネルが用いられると判定する、ように特に構成することもでき、または、
第1のキャリア構成情報が第2の指示情報を含まないと判定される場合、第1のキャリアにおいて非拡張フォーマットの共通チャネルが用いられると判定する、ように特に構成することもできる。
【０１８６】
すなわち、本発明の実施形態8の技術的解決策においては、端末のために構成された任意のキャリアについて、端末がキャリアのサブフレーム内のPDCCHおよび／またはPDSCHを受信し、または復号するときに、端末は、共通チャネルが含まれるかどうかに関する受信した指示情報に従って、共通チャネルによって占有されるシンボルを除外し、または除外をスキップするよう柔軟に選択することができる。このようにして、端末が共通チャネルによって占有される特定の位置に従って対応する共通チャネルが構成されないセカンダリキャリア内の共通チャネルによって占有されるシンボルを依然として除外するためにスループットが増加するという現存する問題が解決され、端末が共通チャネルによって占有されるシンボルを除外する際の柔軟性の改善に基づいて、スループット損失が低減され、端末がPDCCHおよび／またはPDSCHを受信し、または復号する際の効率が改善されるという効果が得られる。
【０１８７】
実施形態9
本発明の実施形態9は、本発明の実施形態1または実施形態5のネットワーク側デバイスに適用可能なサブフレーム処理方法を提供する。図10に示すように、図10は、本発明の実施形態9のサブフレーム処理方法を示す概略的流れ図である。本サブフレーム処理方法は以下のステップを含む。
【０１８８】
ステップ101：ネットワーク側デバイスが、端末の第1のセカンダリキャリアの第1のキャリア構成情報を決定し、第1のセカンダリキャリアは不連続キャリアであり、第1のキャリア構成情報は第1のセカンダリキャリアの最大連続チャネル占有持続期間およびチャネルリスニング持続期間を含み、第1のセカンダリキャリアのチャネル占有開始基準時点および／または第1のセカンダリキャリアのチャネルリスニング開始基準時点をさらに含む。
【０１８９】
具体的には、本発明の本実施形態において、第1のセカンダリキャリアは、一般に、基地局といったネットワーク側デバイスによって端末のために構成された少なくとも1つの不連続セカンダリキャリアにおける任意の不連続セカンダリキャリアを指すことができる。加えて、第1のセカンダリキャリアは、免許不要スペクトルのキャリア、非対称キャリア、または単一ダウンリンクキャリアなどとすることもできる。本発明の本実施形態では詳細を述べない。
【０１９０】
さらに、本発明の本実施形態では、第1のセカンダリキャリアの決定されるチャネル占有開始基準時点は、一般に、第1のセカンダリキャリアが任意のときにチャネルを占有するチャネル占有開始点を指すことができ、第1のセカンダリキャリアの決定されるチャネルリスニング開始基準時点は、一般に、第1のセカンダリキャリアがチャネルを占有し始めた後の任意の回のチャネルリスニングでのチャネルリスニング開始時点を指すことができることに留意すべきであり、これについては本発明の本実施形態では限定されない。
【０１９１】
ステップ102：ネットワーク側デバイスは、端末が受信した第1のキャリア構成情報に従って、第1のセカンダリキャリア内の特殊サブフレームを決定する動作であって、特殊サブフレームはギャップシンボルの全部または一部を含み、ギャップシンボルはチャネルリスニング持続期間によって完全に、または一部が占有されるシンボルである、動作と、特殊サブフレーム内のギャップシンボルを除くすべてのシンボルをPDCCHおよび／またはPDSCHによって占有されうるシンボルとして用い、PDCCHおよび／またはPDSCHによって占有されうる決定されたシンボルに従って特殊サブフレーム内のPDCCHおよび／またはPDSCHをしかるべく受信し、または復号する動作と、を行うように、端末へ決定された第1のキャリア構成情報を送信する。
【０１９２】
具体的には、ネットワーク側デバイスは、RRCメッセージ、MAC層PDUメッセージ、または物理層シグナリングのいずれか1つまたは複数の種類のシグナリングを用いて端末へ決定された第1のキャリア構成情報を送信することができる。加えて、ネットワーク側デバイスは、第1のキャリア構成情報に含まれる任意の2つの情報を、同じメッセージを用いて送信するように特に構成することもでき、異なるメッセージを用いて送信するように構成することもできる。加えて、ネットワーク側デバイスは、第1のキャリア構成情報に含まれる任意の2つの情報を、同じ時点に送信することもでき、異なる時点に送信することもでき、これについては本発明の本実施形態では限定されない。
【０１９３】
さらに、本発明の本実施形態では、端末へ決定された第1のキャリア構成情報を送信するステップの前に、本方法は、
第1のセカンダリキャリアがクロススケジュールキャリアであるかどうか判定し、判定結果が「クロススケジュールキャリアである」である場合、第1のセカンダリキャリアのPDSCH開始シンボル位置を指定するステップ、
をさらに含むことができる。
【０１９４】
これに対応して、端末へ決定された第1のキャリア構成情報を送信するステップは、
第1のセカンダリキャリアがクロススケジュールキャリアであると判定されるときに、端末が第1のキャリア構成情報に従って第1のセカンダリキャリア内の特殊サブフレームを決定した後で、端末が、シンボル位置指示情報で指示されるPDSCH開始シンボル位置に従って、特殊サブフレーム内のPDSCH開始シンボル位置後の各非ギャップシンボルをPDSCHによって占有されうるシンボルとして用いるように、端末へ、PDSCH開始シンボル位置を指示するのに用いられるシンボル位置指示情報を搬送する第1のキャリア構成情報を送信するステップ、
を含むことができる。
【０１９５】
さらに、本発明の本実施形態では、第1のセカンダリキャリアの第1のキャリア構成情報を決定するステップの後に、本方法は、
第1のセカンダリキャリアに対応するチャネルがチャネルリスニング持続期間に対応する期間に別のネットワーク側デバイスによって占有されているかどうかモニタするステップと、
モニタリング結果が「占有されている」である場合、端末が、キャリア解放メッセージに従って、第1のセカンダリキャリアに対して行われるデータ受信または復号動作を停止するように、端末へキャリア解放メッセージを送信するステップと、
をさらに含むことができる。
【０１９６】
さらに、本発明の本実施形態では、本方法は、
第1のセカンダリキャリアの第2のキャリア構成情報を決定するステップであって、第2のキャリア構成情報は、
第1のセカンダリキャリアのシステムブロードキャスト情報であって、システムブロードキャスト情報は第1のセカンダリキャリアが共通チャネルを含むことを指示することができ、共通チャネルはPBCH、PSS、SSS、または参照信号のうちのいずれか1つまたは複数を含む、第1のセカンダリキャリアのシステムブロードキャスト情報、第1の指示情報であって、第1の指示情報は第1のセカンダリキャリアが共通チャネルを含まないことを指示するのに用いられる、第1の指示情報、または、第2の指示情報であって、第2の指示情報は第1のセカンダリキャリアで用いられる共通チャネルが拡張フォーマットの共通チャネルであることを指示するのに用いられる、第2の指示情報、
のいずれか1つまたは複数の種類の情報を含むことができる、ステップと、
端末が受信した第2のキャリア構成情報に従って、
第1のセカンダリキャリアが共通チャネルを含むかどうか判定し、判定結果が「含む」である場合に、第1のセカンダリキャリアのサブフレーム内のPDCCHおよび／もしくはPDSCHを受信し、もしくは復号するときに、サブフレーム内のPDCCHおよび／もしくはPDSCHによって占有されうるシンボルの中から、共通チャネルによって占有されるシンボルを除外し、または、判定結果が「含まない」である場合に、第1のセカンダリキャリアのサブフレーム内のPDCCHおよび／もしくはPDSCHを受信し、もしくは復号するときに、サブフレーム内のPDCCHおよび／もしくはPDSCHによって占有されうるシンボルの中から、共通チャネルによって占有されるシンボルを除外するのをスキップする動作、あるいは、
第1のセカンダリキャリアにおいて拡張フォーマットの共通チャネルが用いられるかどうか判定し、判定結果が「用いられる」である場合に、第1のセカンダリキャリアのサブフレーム内のPDCCHおよび／もしくはPDSCHを受信し、もしくは復号するときに、サブフレーム内のPDCCHおよび／もしくはPDSCHによって占有されうるシンボルの中から、拡張フォーマットの共通チャネルによって占有されるシンボルを除外し、または、判定結果が「用いられない」である場合に、第1のセカンダリキャリアのサブフレーム内のPDCCHおよび／もしくはPDSCHを受信し、もしくは復号するときに、サブフレーム内のPDCCHおよび／もしくはPDSCHによって占有されうるシンボルの中から、拡張フォーマットの共通チャネルによって占有されるシンボルを除外するのをスキップする動作
を行うように、端末へ決定された第2のキャリア構成情報を送信するステップと、
をさらに含むことができる。
【０１９７】
すなわち、本発明の実施形態9の技術的解決策においては、端末のために構成された任意の不連続セカンダリキャリアについて、ネットワーク側デバイスは、端末が、受信したキャリア構成情報に従って不連続セカンダリキャリア内の特殊サブフレームを決定し、特殊サブフレーム内のギャップシンボルを除くすべてのシンボルをPDCCHおよび／またはPDSCHによって占有されうるシンボルとして用い、PDCCHおよび／またはPDSCHによって占有されうる決定されたシンボルに従って特殊サブフレーム内のPDCCHおよび／またはPDSCHをしかるべく受信し、または復号するように、不連続セカンダリキャリアの最大連続チャネル占有持続期間およびチャネルリスニング持続期間や、不連続セカンダリキャリアのチャネル占有開始基準時点および／またはチャネルリスニング開始基準時点といった、キャリア構成情報を決定し、決定されたキャリア構成情報を端末へ送信することができる。このようにして、CCAによって生じるギャップシンボルを端末がサブフレーム全体から除外することができないためにリソース利用が低いという現存する問題が解決され、チャネルが不連続的に占有される場合のチャネル利用が改善される
【０１９８】
加えて、端末のために構成された任意のキャリアについて、ネットワーク側デバイスは、端末がキャリアのサブフレーム内のPDCCHおよび／またはPDSCHを受信し、または復号するときに、端末が、共通チャネルが含まれるかどうかに関する受信した指示情報に従って、共通チャネルによって占有されるシンボルを除外し、または除外をスキップするよう柔軟に選択することができるように、端末へ、キャリアに共通チャネルが含まれるかどうかに関する指示情報を送信することができる。このようにして、端末が共通チャネルによって占有される特定の位置に従って対応する共通チャネルが構成されないセカンダリキャリア内の共通チャネルによって占有されるシンボルを依然として除外するためにスループットが増加するという現存する問題が解決され、端末が共通チャネルによって占有されるシンボルを除外する際の柔軟性の改善に基づいて、スループット損失が低減され、端末がPDCCHおよび／またはPDSCHを受信し、または復号する際の効率が改善されるという効果が得られる。
【０１９９】
実施形態10
本発明の実施形態10は、本発明の実施形態2または実施形態6のネットワーク側デバイスに適用可能なサブフレーム処理方法を提供する。本サブフレーム処理方法は以下のステップを含む。
【０２００】
ステップ1：ネットワーク側デバイスが、端末の第1のキャリアの第1のキャリア構成情報を決定し、第1のキャリア構成情報は、
第1のキャリアのシステムブロードキャスト情報であって、システムブロードキャスト情報は第1のキャリアが共通チャネルを含むことを指示することができ、共通チャネルはPBCH、PSS、SSS、または参照信号のうちのいずれか1つまたは複数を含む、第1のキャリアのシステムブロードキャスト情報、第1の指示情報であって、第1の指示情報は第1のキャリアが共通チャネルを含まないことを指示するのに用いられる、第1の指示情報、または、第2の指示情報であって、第2の指示情報は第1のキャリアで用いられる共通チャネルが拡張フォーマットの共通チャネルであることを指示するのに用いられる、第2の指示情報、
のいずれか1つまたは複数の種類の情報を含む。
【０２０１】
具体的には、ネットワーク側デバイスは、端末のために対応する第1のキャリアを構成するときに第1のキャリアの第1のキャリア構成情報を決定することができ、または、端末のために対応する第1のキャリアを構成した後で第1のキャリアの第1のキャリア構成情報を決定することもでき、これについては本発明の本実施形態では限定されない。
【０２０２】
さらに、本発明の本実施形態では、第1のキャリアは、端末のためにネットワーク側デバイスによって構成された任意の不連続キャリアまたは任意の連続キャリアとすることができ、これについても本発明の本実施形態では限定されない。
【０２０３】
ステップ2：ネットワーク側デバイスは、端末が受信した第1のキャリア構成情報に従って、
第1のキャリアが共通チャネルを含むかどうか判定し、判定結果が「含む」である場合に、第1のキャリアのサブフレーム内のPDCCHおよび／もしくはPDSCHを受信し、もしくは復号するときに、サブフレーム内のPDCCHおよび／もしくはPDSCHによって占有されうるシンボルの中から、共通チャネルによって占有されるシンボルを除外し、または、判定結果が「含まない」である場合に、第1のキャリアのサブフレーム内のPDCCHおよび／もしくはPDSCHを受信し、もしくは復号するときに、サブフレーム内のPDCCHおよび／もしくはPDSCHによって占有されうるシンボルの中から、共通チャネルによって占有されるシンボルを除外するのをスキップする動作、あるいは、
第1のキャリアにおいて拡張フォーマットの共通チャネルが用いられるかどうか判定し、判定結果が「用いられる」である場合に、第1のキャリアのサブフレーム内のPDCCHおよび／もしくはPDSCHを受信し、もしくは復号するときに、サブフレーム内のPDCCHおよび／もしくはPDSCHによって占有されうるシンボルの中から、拡張フォーマットの共通チャネルによって占有されるシンボルを除外し、または、判定結果が「用いられない」である場合に、第1のキャリアのサブフレーム内のPDCCHおよび／もしくはPDSCHを受信し、もしくは復号するときに、サブフレーム内のPDCCHおよび／もしくはPDSCHによって占有されうるシンボルの中から、拡張フォーマットの共通チャネルによって占有されるシンボルを除外するのをスキップする動作
を行うように、端末へ決定された第1のキャリア構成情報を送信する。
【０２０４】
すなわち、本発明の実施形態10の技術的解決策においては、端末のために構成された任意のキャリアについて、ネットワーク側デバイスは、端末がキャリアのサブフレーム内のPDCCHおよび／またはPDSCHを受信し、または復号するときに、端末は、共通チャネルが含まれるかどうかに関する受信した指示情報に従って、共通チャネルによって占有されるシンボルを除外し、または除外をスキップするよう柔軟に選択することができるように、端末へ、キャリアに共通チャネルが含まれるかどうかに関する指示情報を送信することができる。このようにして、端末が共通チャネルによって占有される特定の位置に従って対応する共通チャネルが構成されないセカンダリキャリア内の共通チャネルによって占有されるシンボルを依然として除外するためにスループットが増加するという現存する問題が解決され、端末が共通チャネルによって占有されるシンボルを除外する際の柔軟性の改善に基づいて、スループット損失が低減され、端末がPDCCHおよび／またはPDSCHを受信し、または復号する際の効率が改善されるという効果が得られる。
【０２０５】
実施形態11
本発明の実施形態11では、本発明の実施形態3または実施形態7の端末によって動作が行われるものと仮定して、本発明の実施形態9のサブフレーム処理方法をさらに説明する。図11に示すように、図11は、本発明の実施形態11のサブフレーム処理方法を示す概略的流れ図である。本サブフレーム処理方法は以下のステップを含む。
【０２０６】
ステップ201：端末が、第1のセカンダリキャリアの第1のキャリア構成情報を獲得し、第1のセカンダリキャリアは不連続キャリアであり、第1のキャリア構成情報は第1のセカンダリキャリアの最大連続チャネル占有持続期間およびチャネルリスニング持続期間を含み、第1のセカンダリキャリアのチャネル占有開始基準時点および／またはチャネルリスニング開始基準時点をさらに含む。
【０２０７】
具体的には、本発明の本実施形態では、第1のキャリア構成情報は、一般に、基地局といったネットワーク側デバイスによって構成され、端末へ送信されうる。当然ながら、第1のキャリア構成情報は、指定された規則に従って事前定義し、端末に記憶することもできることに留意すべきであり、これについては本発明の本実施形態では限定されない。
【０２０８】
さらに、第1のキャリア構成情報がネットワーク側デバイスによって端末へ送信されるときには、第1のキャリア構成情報は、RRCメッセージ、MAC層PDUメッセージ、または物理層シグナリングなどのいずれか1つまたは複数の種類のシグナリングを用いてネットワーク側デバイスによって端末へ送信されうる。加えて、第1のキャリア構成情報に含まれる任意の2つの情報がネットワーク側デバイスによって端末へ送信される際には同じメッセージが用いられても異なるメッセージが用いられてもよい。加えて、第1のキャリア構成情報に含まれる任意の2つの情報がネットワーク側デバイスによって端末へ送信されるのは同じ時点であっても異なる時点であってもよく、これについては本発明の本実施形態では限定されない。
【０２０９】
ステップ202：獲得された第1のキャリア構成情報に従って第1のセカンダリキャリア内の特殊サブフレームを決定し、特殊サブフレームはギャップシンボルの全部または一部を含み、ギャップシンボルはチャネルリスニング持続期間によって完全に、または一部が占有されるシンボルである。
【０２１０】
具体的には、本発明の本実施形態では、獲得された第1のキャリア構成情報に従って第1のセカンダリキャリア内の特殊サブフレームを決定するステップは、
第1のキャリア構成情報に含まれる最大連続チャネル占有持続期間、チャネルリスニング持続期間、ならびにチャネル占有開始基準時点および／またはチャネルリスニング開始基準時点といった情報に従って第1のセカンダリキャリアのチャネル占有終了時点またはチャネルリスニング開始時点を決定し、決定されたチャネル占有終了時点または決定されたチャネルリスニング開始時点後のM個のシンボルをギャップシンボルとして用い、M個のシンボルの全部または一部のシンボルを含むサブフレームを特殊サブフレームとして用いるステップであって、M個のシンボルはチャネルリスニング持続期間に従って決定することができ、Mは1以上の正の整数である、ステップ、
を含むことができる。具体的には、M個のシンボルは特に、チャネルリスニング持続期間によって一部が、または完全に占有される1つまたは複数のシンボルとすることができ、これについては本発明の本実施形態ではこれ以上説明しない。
【０２１１】
さらに、第1のセカンダリキャリアのチャネル占有の終了がサブフレーム境界だけに制限される場合もあり、または、終了はサブフレーム境界だけに制限されず、第1のセカンダリキャリアのチャネル占有の終了がサブフレーム境界だけに制限されるときには、プライマリキャリアのサブフレーム境界情報や端末の第2のセカンダリキャリアのサブフレーム境界情報といった対応するサブフレーム境界情報が獲得される必要がある。したがって、これに対応して、第1のセカンダリキャリアのチャネル占有の終了がサブフレーム境界だけに制限されるときには、端末は、プライマリキャリアのサブフレーム境界情報や端末の第2のセカンダリキャリアのサブフレーム境界情報といったサブフレーム境界情報を決定するために、サブフレーム境界検出を行う必要がさらにある。これに対応して、獲得された第1のキャリア構成情報に従って不連続セカンダリキャリア内の特殊サブフレームを決定するステップは、
第1のキャリア構成情報に含まれる最大連続チャネル占有持続期間、チャネルリスニング持続期間、チャネル占有開始基準時点および／またはチャネルリスニング開始基準時点、ならびに検出されたサブフレーム境界情報に従って第1のセカンダリキャリアのチャネル占有終了時点またはチャネルリスニング開始時点を決定し、決定されたチャネル占有終了時点または決定されたチャネルリスニング開始時点後のM個のシンボルをギャップシンボルとして用い、M個のシンボルの全部または一部のシンボルを含むサブフレームを特殊サブフレームとして用いるステップ、
を含むことができる。
【０２１２】
ステップ203：特殊サブフレーム内のギャップシンボルを除くすべてのシンボルをPDCCHおよび／またはPDSCHによって占有されうるシンボルとして用い、PDCCHおよび／またはPDSCHによって占有されうる決定されたシンボルに従って特殊サブフレーム内のPDCCHおよび／またはPDSCHをしかるべく受信し、または復号する。
【０２１３】
具体的には、特殊サブフレーム内のギャップシンボルを除くすべてのシンボルをPDCCHおよび／またはPDSCHによって占有されうるシンボルとして用いるステップは、
第1のキャリア構成情報がPDSCH開始シンボル位置を指示するのに用いられるシンボル位置指示情報を搬送すると判定される場合、シンボル位置指示情報で指示されるPDSCH開始シンボル位置に従って、特殊サブフレーム内のPDSCH開始シンボル位置後の各非ギャップシンボルをPDSCHによって占有されうるシンボルとして用いるステップであって、シンボル位置指示情報は、ネットワーク側デバイスが第1のセカンダリキャリアはクロススケジュールキャリアであると判定したときに端末へ送信される、ステップ、または、
特殊サブフレームの第1のシンボルからPFICHを読み取り、PFICHに従って、PDCCHによって占有されうるシンボルを決定し、特殊サブフレーム内のギャップシンボルおよびPDCCHによって占有されうるシンボルを除くすべてのシンボルをPDSCHによって占有されうるシンボルとして用いるステップ、または、
特殊サブフレームの第（M＋1）のシンボルからPFICHを読み取り、PFICHに従って、PDCCHによって占有されうるシンボルを決定し、特殊サブフレーム内のギャップシンボルおよびPDCCHによって占有されうるシンボルを除くすべてのシンボルをPDSCHによって占有されうるシンボルとして用いるステップ、
を含む。
【０２１４】
端末は、第1のキャリア構成情報がPDSCH開始シンボル位置を指示するのに用いられるシンボル位置指示情報を搬送しないと判定されるときに、任意の特殊サブフレームについて、特殊サブフレームの第1のシンボルからPFICHを読み取る動作、または特殊サブフレームの第（M＋1）のシンボルからPFICHを読み取る動作、PFICHに従って、PDCCHによって占有されうるシンボルを決定する動作、特殊サブフレーム内のギャップシンボルおよびPDCCHによって占有されうるシンボルを除くすべてのシンボルをPDSCHによって占有されうるシンボルとして用いる動作、を行うことができる、ことに留意すべきである。
【０２１５】
さらに、本発明の本実施形態では、任意の特殊サブフレームについて、特殊サブフレーム内のすべてのシンボルがギャップシンボルである、すなわち、チャネルリスニング持続期間はサブフレーム全体によって占有される持続期間を占有することができると判定されるときに、端末は、特殊サブフレーム内のPDCCHおよび／またはPDSCHに対して行われる対応する受信または復号をさらに停止することができることに留意すべきである。
【０２１６】
さらに、本発明の本実施形態では、本方法は、
任意のギャップシンボルについて、ギャップシンボルに関するエネルギー検出を行い、検出されたエネルギーが指定されたエネルギー閾値より高いと判定したときに、ギャップシンボルの全部または一部のシンボルを含む特殊サブフレームの受信もしくは復号を停止するステップ、
をさらに含むことができ、かつ／または本方法は、
第1のセカンダリキャリアについてのキャリア解放メッセージがネットワーク側デバイスから受信されるかどうかモニタし、受信される場合、第1のセカンダリキャリアに対して行われるデータ受信もしくは復号動作を停止するステップ、
をさらに含むことができる。
【０２１７】
さらに、本発明の本実施形態では、本方法は、
ネットワーク側デバイスによって第1のセカンダリキャリアについて配信される第2のキャリア構成情報を受信するステップであって、第2のキャリア構成情報は、
第1のセカンダリキャリアのシステムブロードキャスト情報であって、システムブロードキャスト情報は第1のセカンダリキャリアが共通チャネルを含むことを指示することができ、共通チャネルはPBCH、PSS、SSS、または参照信号のうちのいずれか1つまたは複数を含む、第1のセカンダリキャリアのシステムブロードキャスト情報、第1の指示情報であって、第1の指示情報は第1のセカンダリキャリアが共通チャネルを含まないことを指示するのに用いられる、第1の指示情報、または、第2の指示情報であって、第2の指示情報は第1のセカンダリキャリアで用いられる共通チャネルが拡張フォーマットの共通チャネルであることを指示するのに用いられる、第2の指示情報、
のいずれか1つまたは複数の種類の情報を含むことができる、ステップと、
第2のキャリア構成情報に従って、第1のセカンダリキャリアが共通チャネルを含むかどうか判定し、判定結果が「含む」である場合に、第1のセカンダリキャリアのサブフレーム内のPDCCHおよび／もしくはPDSCHを受信し、もしくは復号するときに、サブフレーム内のPDCCHおよび／もしくはPDSCHによって占有されうるシンボルの中から、共通チャネルによって占有されるシンボルを除外し、または、判定結果が「含まない」である場合に、第1のセカンダリキャリアのサブフレーム内のPDCCHおよび／もしくはPDSCHを受信し、もしくは復号するときに、サブフレーム内のPDCCHおよび／もしくはPDSCHによって占有されうるシンボルの中から、共通チャネルによって占有されるシンボルを除外するのをスキップするステップ、あるいは、
第2のキャリア構成情報に従って、第1のセカンダリキャリアにおいて拡張フォーマットの共通チャネルが用いられるかどうか判定し、判定結果が「用いられる」である場合に、第1のセカンダリキャリアのサブフレーム内のPDCCHおよび／もしくはPDSCHを受信し、もしくは復号するときに、サブフレーム内のPDCCHおよび／もしくはPDSCHによって占有されうるシンボルの中から、拡張フォーマットの共通チャネルによって占有されるシンボルを除外し、または、判定結果が「用いられない」である場合に、第1のセカンダリキャリアのサブフレーム内のPDCCHおよび／もしくはPDSCHを受信し、もしくは復号するときに、サブフレーム内のPDCCHおよび／もしくはPDSCHによって占有されうるシンボルの中から、拡張フォーマットの共通チャネルによって占有されるシンボルを除外するのをスキップするステップと、
をさらに含むことができる。
【０２１８】
具体的には、本発明の本実施形態では、第2のキャリア構成情報に従って、第1のセカンダリキャリアが共通チャネルを含むかどうか判定するステップは、
第2のキャリア構成情報が第1の指示情報を含むと判定される場合、もしくは第2のキャリア構成情報がシステムブロードキャスト情報を含まないと判定される場合に、第1のセカンダリキャリアは共通チャネルを含まないと判定するステップ、または、
第2のキャリア構成情報が第1の指示情報を含まないと判定される場合、もしくは第2のキャリア構成情報がシステムブロードキャスト情報を含むと判定される場合に、第1のセカンダリキャリアは共通チャネルを含むと判定するステップ、
を含むことができる。
【０２１９】
同様に、第2のキャリア構成情報に従って、第1のセカンダリキャリアにおいて拡張フォーマットの共通チャネルが用いられるかどうか判定するステップは、
第2のキャリア構成情報が第2の指示情報を含むと判定される場合、第1のセカンダリキャリアにおいて拡張フォーマットの共通チャネルが用いられると判定するステップ、または、
第2のキャリア構成情報が第2の指示情報を含まないと判定される場合、第1のセカンダリキャリアにおいて非拡張フォーマットの共通チャネルが用いられると判定するステップ、
も含むことができる。
【０２２０】
すなわち、本発明の実施形態11の技術的解決策においては、任意の不連続セカンダリキャリアについて、本端末は、不連続セカンダリキャリアの最大連続チャネル占有持続期間およびチャネルリスニング持続期間、ならびに獲得される不連続セカンダリキャリアのチャネル占有開始基準時点および／またはチャネルリスニング開始基準時点に従って不連続セカンダリキャリア内の特殊サブフレームを決定することができ、特殊サブフレームはチャネルリスニング持続期間によって占有されるギャップシンボルの全部または一部を含み、任意の特殊サブフレームについて、本端末は、特殊サブフレーム内のギャップシンボルを除くすべてのシンボルをPDCCHおよび／またはPDSCHによって占有されうるシンボルとして用い、PDCCHおよび／またはPDSCHによって占有されうるシンボルに従って特殊サブフレーム内のPDCCHおよび／またはPDSCHをしかるべく受信し、または復号することができる。このようにして、CCAによって生じるギャップシンボルをサブフレーム全体から除外することができないためにリソース利用が低いという現存する問題が解決され、チャネルが不連続的に占有される場合のチャネル利用が改善される
【０２２１】
加えて、任意のキャリアについて、端末がキャリアのサブフレーム内のPDCCHおよび／またはPDSCHを受信し、または復号するときに、端末は、共通チャネルが含まれるかどうかに関する受信した指示情報に従って、共通チャネルによって占有されるシンボルを除外し、または除外をスキップするよう柔軟に選択することができる。このようにして、端末が共通チャネルによって占有される特定の位置に従って対応する共通チャネルが構成されないセカンダリキャリア内の共通チャネルによって占有されるシンボルを依然として除外するためにスループットが増加するという現存する問題が解決され、端末が共通チャネルによって占有されるシンボルを除外する際の柔軟性の改善に基づいて、スループット損失が低減され、端末がPDCCHおよび／またはPDSCHを受信し、または復号する際の効率が改善されるという効果が得られる。
【０２２２】
実施形態12
本発明の実施形態12では、本発明の実施形態4または実施形態8の端末によって動作が行われるものと仮定して、本発明の実施形態10のサブフレーム処理方法をさらに説明する。本サブフレーム処理方法は以下のステップを含む。
【０２２３】
ステップ1：端末が、ネットワーク側デバイスによって第1のキャリアについて配信される第1のキャリア構成情報を受信し、第1のキャリア構成情報は、
第1のキャリアのシステムブロードキャスト情報であって、システムブロードキャスト情報は第1のキャリアが共通チャネルを含むことを指示することができ、共通チャネルはPBCH、PSS、SSS、または参照信号のうちのいずれか1つまたは複数を含む、第1のキャリアのシステムブロードキャスト情報、第1の指示情報であって、第1の指示情報は第1のキャリアが共通チャネルを含まないことを指示するのに用いられる、第1の指示情報、または、第2の指示情報であって、第2の指示情報は第1のキャリアで用いられる共通チャネルが拡張フォーマットの共通チャネルであることを指示するのに用いられる、第2の指示情報、
のいずれか1つまたは複数の種類の情報を含むことができる。
【０２２４】
本発明の本実施形態では、第1のキャリアは、端末のためにネットワーク側デバイスによって構成された任意の不連続キャリアまたは任意の連続キャリアとすることができ、これについては本発明の本実施形態では限定されない。
【０２２５】
ステップ2：第1のキャリア構成情報に従って、第1のキャリアが共通チャネルを含むかどうか判定し、判定結果が「含む」である場合に、第1のキャリアのサブフレーム内のPDCCHおよび／もしくはPDSCHを受信し、もしくは復号するときに、サブフレーム内のPDCCHおよび／もしくはPDSCHによって占有されうるシンボルの中から共通チャネルによって占有されるシンボルを除外し、または、判定結果が「含まない」である場合に、第1のキャリアのサブフレーム内のPDCCHおよび／もしくはPDSCHを受信し、もしくは復号するときに、サブフレーム内のPDCCHおよび／もしくはPDSCHによって占有されうるシンボルの中から共通チャネルによって占有されるシンボルを除外するのをスキップし、あるいは、
第1のキャリア構成情報に従って、第1のキャリアにおいて拡張フォーマットの共通チャネルが用いられるかどうか判定し、判定結果が「用いられる」である場合に、第1のキャリアのサブフレーム内のPDCCHおよび／もしくはPDSCHを受信し、もしくは復号するときに、サブフレーム内のPDCCHおよび／もしくはPDSCHによって占有されうるシンボルの中から、拡張フォーマットの共通チャネルによって占有されるシンボルを除外し、または、判定結果が「用いられない」である場合に、第1のキャリアのサブフレーム内のPDCCHおよび／もしくはPDSCHを受信し、もしくは復号するときに、サブフレーム内のPDCCHおよび／もしくはPDSCHによって占有されうるシンボルの中から、拡張フォーマットの共通チャネルによって占有されるシンボルを除外するのをスキップする。
【０２２６】
具体的には、本発明の本実施形態では、第1のキャリア構成情報に従って、第1のキャリアが共通チャネルを含むかどうか判定するステップは、
第1のキャリア構成情報が第1の指示情報を含むと判定される場合、もしくは第1のキャリア構成情報がシステムブロードキャスト情報を含まないと判定される場合に、第1のキャリアは共通チャネルを含まないと判定するステップ、または、
第1のキャリア構成情報が第1の指示情報を含まないと判定される場合、もしくは第1のキャリア構成情報がシステムブロードキャスト情報を含むと判定される場合に、第1のキャリアは共通チャネルを含むと判定するステップ、
を含むことができる。
【０２２７】
同様に、第1のキャリア構成情報に従って、第1のキャリアにおいて拡張フォーマットの共通チャネルが用いられるかどうか判定するステップは、
第1のキャリア構成情報が第2の指示情報を含むと判定される場合、第1のキャリアにおいて拡張フォーマットの共通チャネルが用いられると判定するステップ、または、
第1のキャリア構成情報が第2の指示情報を含まないと判定される場合、第1のキャリアにおいて非拡張フォーマットの共通チャネルが用いられると判定するステップ、
も含むことができる。
【０２２８】
すなわち、本発明の実施形態12の技術的解決策においては、端末のために構成された任意のキャリアについて、端末がキャリアのサブフレーム内のPDCCHおよび／またはPDSCHを受信し、または復号するときに、端末は、共通チャネルが含まれるかどうかに関する受信した指示情報に従って、共通チャネルによって占有されるシンボルを除外し、または除外をスキップするよう柔軟に選択することができる。このようにして、端末が共通チャネルによって占有される特定の位置に従って対応する共通チャネルが構成されないセカンダリキャリア内の共通チャネルによって占有されるシンボルを依然として除外するためにスループットが増加するという現存する問題が解決され、端末が共通チャネルによって占有されるシンボルを除外する際の柔軟性の改善に基づいて、スループット損失が低減され、端末がPDCCHおよび／またはPDSCHを受信し、または復号する際の効率が改善されるという効果が得られる。
【０２２９】
本発明の各実施形態は、方法、装置（デバイス）、またはコンピュータプログラム製品として提供することができることを当業者は理解するはずである。したがって、本発明は、ハードウェアのみの実施形態、ソフトウェアのみの実施形態、またはソフトウェアとハードウェアの組み合わせを用いた実施形態の形態を用いることができる。さらに、本発明は、コンピュータ使用可能プログラムコードを含む（それだけに限らないが、ディスクメモリ、CD−ROM、光メモリなどを含む）1つまたは複数のコンピュータ使用可能記憶媒体上に実装されたコンピュータプログラム製品の形態を用いることもできる。
【０２３０】
本発明は、本発明の実施形態による方法、装置（デバイス）、およびコンピュータプログラム製品の流れ図および／またはブロック図を参照して説明されている。コンピュータプログラム命令は、流れ図および／またはブロック図内の各プロセスおよび／または各ブロック、ならびに流れ図および／またはブロック図内のプロセスおよび／またはブロックの組み合わせを実現するのに用いることができることを理解すべきである。これらのコンピュータプログラム命令は、汎用コンピュータ、専用コンピュータ、埋め込みプロセッサ、または任意の他のプログラマブルデータ処理デバイスのプロセッサがマシンを生成するために提供されうるものであり、このため、コンピュータまたは任意の他のプログラマブルデータ処理デバイスのプロセッサによって実行されるこれらの命令は、流れ図内の1つもしくは複数のプロセスおよび／またはブロック図内の1つもしくは複数のブロックにおける特定の機能を実現するための装置を生成する。
【０２３１】
これらのコンピュータプログラム命令は、コンピュータまたは任意の他のプログラマブルデータ処理デバイスに特定の方法で動作するよう命令することができるコンピュータ可読メモリに記憶することができ、このため、コンピュータ可読メモリに記憶されたこれらの命令は命令装置を含む製品を生成する。命令装置は、流れ図内の1つもしくは複数のプロセスおよび／またはブロック図内の1つもしくは複数のブロックにおける特定の機能を実現する。
【０２３２】
これらのコンピュータプログラム命令は、コンピュータまたは別のプログラマブルデータ処理デバイスにロードすることもでき、このため、一連の動作およびステップがコンピュータまたは別のプログラマブルデバイス上で行われ、それによってコンピュータ実装処理が生成される。したがって、コンピュータまたは別のプログラマブルデバイス上で実行される命令は、流れ図内の1つもしくは複数のプロセスおよび／またはブロック図内の1つもしくは複数のブロックにおける特定の機能を実現するためのステップを提供する。
【０２３３】
本発明のいくつかの好ましい実施形態を説明したが、当業者は、基本的な発明概念を知れば、これらの実施形態に変更および改変を加えることができる。したがって、添付の特許請求の範囲は、これら好ましい実施形態ならびに本発明の範囲内に含まれるあらゆる変更および改変を包含するものとして解釈すべきことが意図されている。
【０２３４】
当業者が、本発明の趣旨および範囲を逸脱することなく本発明に様々な改変および変形を加えることができることは自明である。本発明は、これらの改変および変形が添付の特許請求の範囲および添付の特許請求の範囲と均等な技術によって定義される保護の範囲内に含まれるという条件で、これらの改変および変形を包含すべきものである。
【符号の説明】
【０２３５】
11  情報決定モジュール
12  情報送信モジュール
13  シンボル指定モジュール
14  チャネル・モニタリング・モジュール
21  情報決定モジュール
22  情報送信モジュール
31  情報獲得モジュール
32  サブフレーム決定モジュール
33  サブフレーム処理モジュール
34  情報モニタリングモジュール
51  情報受信モジュール
52  サブフレーム処理モジュール
61  プロセッサ
62  送信機
63  モニタ
71  プロセッサ
72  送信機
81  受信機
82  プロセッサ
83  モニタ
91  受信機
92  プロセッサ
【図１】
2017526216.tif 000003
【図２】
2017526216.tif 000004
【図３】
2017526216.tif 000005
【図４】
2017526216.tif 000006
【図５】
2017526216.tif 000007
【図６】
2017526216.tif 000008
【図７】
2017526216.tif 000009
【図８】
2017526216.tif 000010
【図９】
2017526216.tif 000011
【図１０】
2017526216.tif 000012
【図１１】
2017526216.tif 000013
【手続補正書】
【提出日】平成29年1月25日(2017.1.25)
【手続補正１】
【補正対象書類名】特許請求の範囲
【補正対象項目名】全文
【補正方法】変更
【補正の内容】
【特許請求の範囲】
【請求項１】
端末の第1のセカンダリキャリアの第1のキャリア構成情報を決定するように構成された、情報決定モジュールであって、前記第1のセカンダリキャリアは不連続キャリアであり、前記第1のキャリア構成情報は前記第1のセカンダリキャリアの最大連続チャネル占有持続期間およびチャネルリスニング持続期間を含み、前記第1のセカンダリキャリアのチャネル占有開始基準時点および／または前記第1のセカンダリキャリアのチャネルリスニング開始基準時点をさらに含む、前記情報決定モジュールと、
前記端末が前記受信した第1のキャリア構成情報に従って、前記第1のセカンダリキャリア内の特殊サブフレームを決定する動作であって、前記特殊サブフレームはギャップシンボルの全部または一部を含み、前記ギャップシンボルは前記チャネルリスニング持続期間によって完全に、または一部が占有されるシンボルである、前記動作と、前記特殊サブフレーム内の前記ギャップシンボルを除くすべてのシンボルを物理ダウンリンク制御チャネルPDCCHおよび／または物理ダウンリンク共有チャネルPDSCHによって占有されうるシンボルとして用い、前記PDCCHおよび／または前記PDSCHによって占有されうる前記決定されたシンボルに従って前記特殊サブフレーム内の前記PDCCHおよび／または前記PDSCHをしかるべく受信し、または復号する動作と、を行うように、前記端末へ前記情報決定モジュールによって決定された前記第1のキャリア構成情報を送信するように構成された、情報送信モジュールと、
を含む、ネットワーク側デバイス。
【請求項２】
前記ネットワーク側デバイスはシンボル指定モジュールをさらに含み、
前記シンボル指定モジュールは、前記第1のセカンダリキャリアがクロススケジュールキャリアであると判定される場合、前記決定された第1のキャリア構成情報が前記端末へ送信される前に前記第1のセカンダリキャリアのPDSCH開始シンボル位置を指定するように構成されており、
前記情報送信モジュールは、前記端末が前記第1のキャリア構成情報に従って前記第1のセカンダリキャリア内の前記特殊サブフレームを決定した後で、前記端末が、シンボル位置指示情報で指示される前記PDSCH開始シンボル位置に従って、前記特殊サブフレーム内の前記PDSCH開始シンボル位置後の各非ギャップシンボルを前記PDSCHによって占有されうるシンボルとして用いるように、前記第1のセカンダリキャリアがクロススケジュールキャリアであると判定されるときに前記端末へ、前記PDSCH開始シンボル位置を指示するのに用いられる前記シンボル位置指示情報を搬送する前記第1のキャリア構成情報を送信するように特に構成されている、
請求項1に記載のネットワーク側デバイス。
【請求項３】
前記ネットワーク側デバイスはチャネル・モニタリング・モジュールをさらに含み、
前記チャネル・モニタリング・モジュールは、前記第1のセカンダリキャリアの前記第1のキャリア構成情報が決定された後で、前記第1のセカンダリキャリアに対応するチャネルが前記チャネルリスニング持続期間に対応する期間に別のネットワーク側デバイスによって占有されているかどうかモニタするように構成されており、
前記情報送信モジュールは、前記チャネル・モニタリング・モジュールのモニタリング結果が「占有されている」であるときに、前記端末が、キャリア解放メッセージに従って、前記第1のセカンダリキャリアに対して行われるデータ受信または復号動作を停止するように、前記端末へ前記キャリア解放メッセージを送信するようにさらに構成されている、
請求項1または2に記載のネットワーク側デバイス。
【請求項４】
前記情報送信モジュールは、無線リソース制御RRCメッセージ、媒体アクセス制御MAC層プロトコル・データ・ユニットPDUメッセージ、または物理層シグナリングのいずれか1つまたは複数の種類のシグナリングを用いて前記端末へ前記情報決定モジュールによって決定された前記第1のキャリア構成情報を送信するように特に構成されている、請求項1から3のいずれか一項に記載のネットワーク側デバイス。
【請求項５】
前記情報送信モジュールは、前記第1のセカンダリキャリアが前記チャネルを占有し始めた後の任意の時点に前記端末へ前記第1のキャリア構成情報において前記チャネル占有開始時点および／または前記チャネルリスニング開始時点を送信し、前記第1のセカンダリキャリアが前記端末のために構成されるときに前記端末へ前記第1のキャリア構成情報において前記第1のセカンダリキャリアの前記最大連続チャネル占有持続期間および前記チャネルリスニング持続期間を送信するように特に構成されている、請求項1から4のいずれか一項に記載のネットワーク側デバイス。
【請求項６】
前記情報決定モジュールは前記第1のセカンダリキャリアの第2のキャリア構成情報を決定するようにさらに構成されており、前記第2のキャリア構成情報は、
前記第1のセカンダリキャリアのシステムブロードキャスト情報であって、前記システムブロードキャスト情報は前記第1のセカンダリキャリアが共通チャネルを含むことを指示することができ、前記共通チャネルは、物理ブロードキャストチャネルPBCH、プライマリ同期信号PSS、セカンダリ同期信号SSS、もしくは参照信号のうちのいずれか1つもしくは複数を含む、前記第1のセカンダリキャリアの前記システムブロードキャスト情報、
第1の指示情報であって、前記第1の指示情報は前記第1のセカンダリキャリアが共通チャネルを含まないことを指示するのに用いられる、前記第1の指示情報、または、
第2の指示情報であって、前記第2の指示情報は前記第1のセカンダリキャリアで用いられる共通チャネルが拡張フォーマットの共通チャネルであることを指示するのに用いられる、前記第2の指示情報
のいずれか1つまたは複数の種類の情報を含み、
前記情報送信モジュールは、前記端末が前記受信した第2のキャリア構成情報に従って、
前記第1のセカンダリキャリアが前記共通チャネルを含むかどうか判定し、判定結果が「含む」である場合に、前記第1のセカンダリキャリアの前記サブフレーム内の前記PDCCHおよび／もしくは前記PDSCHを受信し、もしくは復号するときに、前記サブフレーム内の前記PDCCHおよび／もしくは前記PDSCHによって占有されうる前記シンボルの中から、前記共通チャネルによって占有されるシンボルを除外し、または、判定結果が「含まない」である場合に、前記第1のセカンダリキャリアの前記サブフレーム内の前記PDCCHおよび／もしくは前記PDSCHを受信し、もしくは復号するときに、前記サブフレーム内の前記PDCCHおよび／もしくは前記PDSCHによって占有されうる前記シンボルの中から、前記共通チャネルによって占有されるシンボルを除外するのをスキップする動作、あるいは、
前記第1のセカンダリキャリアにおいて前記拡張フォーマットの前記共通チャネルが用いられるかどうか判定し、判定結果が「用いられる」である場合に、前記第1のセカンダリキャリアの前記サブフレーム内の前記PDCCHおよび／もしくは前記PDSCHを受信し、もしくは復号するときに、前記サブフレーム内の前記PDCCHおよび／もしくは前記PDSCHによって占有されうる前記シンボルの中から、前記拡張フォーマットの前記共通チャネルによって占有されるシンボルを除外し、または、判定結果が「用いられない」である場合に、前記第1のセカンダリキャリアの前記サブフレーム内の前記PDCCHおよび／もしくは前記PDSCHを受信し、もしくは復号するときに、前記サブフレーム内の前記PDCCHおよび／もしくは前記PDSCHによって占有されうるシンボルの中から、前記拡張フォーマットの前記共通チャネルによって占有されるシンボルを除外するのをスキップする動作
を行うように、前記端末へ前記情報決定モジュールによって決定された前記第2のキャリア構成情報を送信するようにさらに構成されている、請求項1から5のいずれか一項に記載のネットワーク側デバイス。
【請求項７】
端末の第1のキャリアの第1のキャリア構成情報を決定するように構成された、情報決定モジュールであって、前記第1のキャリア構成情報は、
前記第1のキャリアのシステムブロードキャスト情報であって、前記システムブロードキャスト情報は前記第1のキャリアが共通チャネルを含むことを指示することができ、前記共通チャネルは、物理ブロードキャストチャネルPBCH、プライマリ同期信号PSS、セカンダリ同期信号SSS、もしくは参照信号のうちのいずれか1つもしくは複数を含む、前記第1のキャリアの前記システムブロードキャスト情報、
第1の指示情報であって、前記第1の指示情報は前記第1のキャリアが共通チャネルを含まないことを指示するのに用いられる、前記第1の指示情報、または、
第2の指示情報であって、前記第2の指示情報は前記第1のキャリアで用いられる共通チャネルが拡張フォーマットの共通チャネルであることを指示するのに用いられる、前記第2の指示情報
の任意の1つまたは複数の種類情報を含む、前記情報決定モジュールと、
前記端末が前記受信した第1のキャリア構成情報に従って、
前記第1のキャリアが前記共通チャネルを含むかどうか判定し、判定結果が「含む」である場合に、前記第1のキャリアのサブフレーム内の物理ダウンリンク制御チャネルPDCCHおよび／もしくは物理ダウンリンク共有チャネルPDSCHを受信し、もしくは復号するときに、前記サブフレーム内の前記PDCCHおよび／もしくは前記PDSCHによって占有されうるシンボルの中から、前記共通チャネルによって占有されるシンボルを除外し、または、判定結果が「含まない」である場合に、前記第1のキャリアのサブフレーム内のPDCCHおよび／もしくはPDSCHを受信し、もしくは復号するときに、前記サブフレーム内の前記PDCCHおよび／もしくは前記PDSCHによって占有されうるシンボルの中から、前記共通チャネルによって占有されるシンボルを除外するのをスキップする動作、あるいは、
前記第1のキャリアにおいて前記拡張フォーマットの前記共通チャネルが用いられるかどうか判定し、判定結果が「用いられる」である場合に、前記第1のキャリアのサブフレーム内のPDCCHおよび／もしくはPDSCHを受信し、もしくは復号するときに、前記サブフレーム内の前記PDCCHおよび／もしくは前記PDSCHによって占有されうるシンボルの中から、前記拡張フォーマットの前記共通チャネルによって占有されるシンボルを除外し、または、判定結果が「用いられない」である場合に、前記第1のキャリアのサブフレーム内のPDCCHおよび／もしくはPDSCHを受信し、もしくは復号するときに、前記サブフレーム内の前記PDCCHおよび／もしくは前記PDSCHによって占有されうるシンボルの中から、前記拡張フォーマットの前記共通チャネルによって占有されるシンボルを除外するのをスキップする動作
を行うように、前記端末へ前記情報決定モジュールによって決定された前記第1のキャリア構成情報を送信するように構成された、情報送信モジュールと、
を含む、ネットワーク側デバイス。
【請求項８】
第1のセカンダリキャリアの第1のキャリア構成情報を獲得するように構成された、情報獲得モジュールであって、前記第1のセカンダリキャリアは不連続キャリアであり、前記第1のキャリア構成情報は前記第1のセカンダリキャリアの最大連続チャネル占有持続期間およびチャネルリスニング持続期間を含み、前記第1のセカンダリキャリアのチャネル占有開始基準時点および／またはチャネルリスニング開始基準時点をさらに含む、前記情報獲得モジュールと、
前記情報獲得モジュールによって獲得された前記第1のキャリア構成情報に従って前記第1のセカンダリキャリア内の特殊サブフレームを決定するように構成された、サブフレーム決定モジュールであって、前記特殊サブフレームはギャップシンボルの全部または一部を含み、前記ギャップシンボルは前記チャネルリスニング持続期間によって完全に、または一部が占有されるシンボルである、前記サブフレーム決定モジュールと、
前記サブフレーム決定モジュールによって決定された前記特殊サブフレーム内の前記ギャップシンボルを除くすべてのシンボルを物理ダウンリンク制御チャネルPDCCHおよび／または物理ダウンリンク共有チャネルPDSCHによって占有されうるシンボルとして用い、前記PDCCHおよび／または前記PDSCHによって占有されうる前記決定されたシンボルに従って前記特殊サブフレーム内の前記PDCCHおよび／または前記PDSCHをしかるべく受信し、または復号するように構成された、サブフレーム処理モジュールと、
を含む、端末。
【請求項９】
前記サブフレーム決定モジュールは、前記第1のキャリア構成情報に含まれる前記最大連続チャネル占有持続期間、前記チャネルリスニング持続期間、ならびに前記チャネル占有開始基準時点および／または前記チャネルリスニング開始基準時点に従って前記第1のセカンダリキャリアのチャネル占有終了時点またはチャネルリスニング開始時点を決定し、前記決定されたチャネル占有終了時点または前記決定されたチャネルリスニング開始時点後のM個のシンボルを前記ギャップシンボルとして用い、前記M個のシンボルの全部または一部のシンボルを含む前記サブフレームを前記特殊サブフレームとして用いるように特に構成されており、前記M個のシンボルは前記チャネルリスニング持続期間に従って決定され、Mは1以上の正の整数である、請求項8に記載の端末。
【請求項１０】
前記第1のセカンダリキャリアのチャネル占有の終了がサブフレーム境界だけに制限される場合、
前記サブフレーム決定モジュールは、前記第1のキャリア構成情報に含まれる前記最大連続チャネル占有持続期間、前記チャネルリスニング持続期間、前記チャネル占有開始基準時点および／または前記チャネルリスニング開始基準時点、ならびにサブフレーム境界情報に従って前記第1のセカンダリキャリアの前記チャネル占有終了時点または前記チャネルリスニング開始時点を決定し、前記決定されたチャネル占有終了時点または前記決定されたチャネルリスニング開始時点後の前記M個のシンボルを前記ギャップシンボルとして用い、前記M個のシンボルの全部または一部のシンボルを含む前記サブフレームを前記特殊サブフレームとして用いるように特に構成されている、請求項8または9に記載の端末。
【請求項１１】
前記サブフレーム処理モジュールは、前記第1のキャリア構成情報がPDSCH開始シンボル位置を指示するのに用いられるシンボル位置指示情報を搬送すると判定される場合、前記シンボル位置指示情報で指示される前記PDSCH開始シンボル位置に従って、前記特殊サブフレーム内の前記PDSCH開始シンボル位置後の各非ギャップシンボルを前記PDSCHによって占有されうるシンボルとして用いる、ように特に構成されており、または、
前記特殊サブフレームの第1のシンボルから物理制御フォーマット指示チャネルPCFICHを読み取り、前記PCFICHに従って、前記PDCCHによって占有されうる前記シンボルを決定し、前記特殊サブフレーム内の前記ギャップシンボルおよび前記PDCCHによって占有されうる前記シンボルを除くすべてのシンボルを前記PDSCHによって占有されうる前記シンボルとして用いるように特に構成されており、または、
前記特殊サブフレームの第（M＋1）のシンボルからPCFICHを読み取り、前記PCFICHに従って、前記PDCCHによって占有されうる前記シンボルを決定し、前記特殊サブフレーム内の前記ギャップシンボルおよび前記PDCCHによって占有されうる前記シンボルを除くすべてのシンボルを前記PDSCHによって占有されうる前記シンボルとして用いるように特に構成されている、
請求項8から10のいずれか一項に記載の端末。
【請求項１２】
前記端末は情報モニタリングモジュールをさらに含み、
前記情報モニタリングモジュールは、任意のギャップシンボルについて、前記ギャップシンボルに関するエネルギー検出を行う、ように構成されており、かつ／もしくは前記第1のセカンダリキャリアについてのキャリア解放メッセージがネットワーク側デバイスから受信されるかどうかモニタするように構成されており、
前記サブフレーム処理モジュールは、任意のギャップシンボルについて、前記情報モニタリングモジュールによって検出された前記ギャップシンボルのエネルギーが指定されたエネルギー閾値より高いと判定されるときに、前記ギャップシンボルの全部もしくは一部のシンボルを含む前記特殊サブフレームの受信もしくは復号を停止する、ようにさらに構成されており、または、前記情報モニタリングモジュールが前記第1のセカンダリキャリアについての前記キャリア解放メッセージが前記ネットワーク側デバイスから受信されたことを検出したときに、前記第1のセカンダリキャリアに対して行われるデータ受信または復号動作を停止するようにさらに構成されている、
請求項8から11のいずれか一項に記載の端末。
【請求項１３】
前記情報獲得モジュールによって獲得された前記第1のキャリア構成情報は前記ネットワーク側デバイスによって前記端末へ送信される、請求項8から12のいずれか一項に記載の端末。
【請求項１４】
前記情報獲得モジュールによって獲得された前記第1のキャリア構成情報は、無線リソース制御RRCメッセージ、媒体アクセス制御MAC層プロトコル・データ・ユニットPDUメッセージ、または物理層シグナリングのいずれか1つまたは複数の種類のシグナリングを用いて前記ネットワーク側デバイスによって前記端末へ送信される、請求項13に記載の端末。
【請求項１５】
前記情報獲得モジュールによって獲得された前記第1のキャリア構成情報内の前記チャネル占有開始基準時点および／または前記チャネルリスニング開始基準時点は、前記第1のセカンダリキャリアが前記チャネルを占有し始めた後の任意の時点に前記ネットワーク側デバイスによって前記端末へ送信され、
前記情報獲得モジュールによって獲得された前記第1のキャリア構成情報内の前記第1のセカンダリキャリアの前記最大連続チャネル占有持続期間および前記チャネルリスニング持続期間は、前記ネットワーク側デバイスが前記端末のために前記第1のセカンダリキャリアを構成するときに前記端末へ送信される、請求項13または14に記載の端末。
【請求項１６】
前記情報獲得モジュールは前記ネットワーク側デバイスによって前記第1のセカンダリキャリアについて配信される第2のキャリア構成情報を受信するようにさらに構成されており、前記第2のキャリア構成情報は、
前記第1のセカンダリキャリアのシステムブロードキャスト情報であって、前記システムブロードキャスト情報は前記第1のセカンダリキャリアが共通チャネルを含むことを指示することができ、前記共通チャネルは、物理ブロードキャストチャネルPBCH、プライマリ同期信号PSS、セカンダリ同期信号SSS、もしくは参照信号のうちのいずれか1つもしくは複数を含む、前記第1のセカンダリキャリアの前記システムブロードキャスト情報、
第1の指示情報であって、前記第1の指示情報は前記第1のセカンダリキャリアが共通チャネルを含まないことを指示するのに用いられる、前記第1の指示情報、または、
第2の指示情報であって、前記第2の指示情報は前記第1のセカンダリキャリアで用いられる共通チャネルが拡張フォーマットの共通チャネルであることを指示するのに用いられる、前記第2の指示情報
のいずれか1つまたは複数の種類の情報を含み、
前記サブフレーム処理モジュールは、前記第2のキャリア構成情報に従って、前記第1のセカンダリキャリアが前記共通チャネルを含むかどうか判定し、判定結果が「含む」である場合に、前記第1のセカンダリキャリアの前記サブフレーム内の前記PDCCHおよび／もしくは前記PDSCHを受信し、もしくは復号するときに、前記サブフレーム内の前記PDCCHおよび／もしくは前記PDSCHによって占有されうる前記シンボルの中から、前記共通チャネルによって占有されるシンボルを除外し、または、判定結果が「含まない」である場合に、前記第1のセカンダリキャリアの前記サブフレーム内の前記PDCCHおよび／もしくは前記PDSCHを受信し、もしくは復号するときに、前記サブフレーム内の前記PDCCHおよび／もしくは前記PDSCHによって占有されうる前記シンボルの中から、前記共通チャネルによって占有されるシンボルを除外するのをスキップする、ようにさらに構成されており、あるいは、
前記第2のキャリア構成情報に従って、前記第1のセカンダリキャリアにおいて前記拡張フォーマットの前記共通チャネルが用いられるかどうか判定し、判定結果が「用いられる」である場合に、前記第1のセカンダリキャリアの前記サブフレーム内の前記PDCCHおよび／もしくは前記PDSCHを受信し、もしくは復号するときに、前記サブフレーム内の前記PDCCHおよび／もしくは前記PDSCHによって占有されうる前記シンボルの中から、前記拡張フォーマットの前記共通チャネルによって占有されるシンボルを除外し、または、判定結果が「用いられない」である場合に、前記第1のセカンダリキャリアの前記サブフレーム内の前記PDCCHおよび／もしくは前記PDSCHを受信し、もしくは復号するときに、前記サブフレーム内の前記PDCCHおよび／もしくは前記PDSCHによって占有されうる前記シンボルの中から、前記拡張フォーマットの前記共通チャネルによって占有されるシンボルを除外するのをスキップするようにさらに構成されている、
請求項8から15のいずれか一項に記載の端末。
【請求項１７】
前記サブフレーム処理モジュールは、前記第2のキャリア構成情報が前記第1の指示情報を含むと判定される場合、もしくは前記第2のキャリア構成情報が前記システムブロードキャスト情報を含まないと判定される場合に、前記第1のセカンダリキャリアは前記共通チャネルを含まないと判定する、ように特に構成されており、または、
前記第2のキャリア構成情報が前記第1の指示情報を含まないと判定される場合、もしくは前記第2のキャリア構成情報が前記システムブロードキャスト情報を含むと判定される場合に、前記第1のセカンダリキャリアは前記共通チャネルを含むと判定する、ように特に構成されている、
請求項16に記載の端末。
【請求項１８】
前記サブフレーム処理モジュールは、前記第2のキャリア構成情報が前記第2の指示情報を含むと判定される場合、前記第1のセカンダリキャリアにおいて前記拡張フォーマットの前記共通チャネルが用いられると判定する、ように特に構成されており、または、
前記第2のキャリア構成情報が前記第2の指示情報を含まないと判定される場合、前記第1のセカンダリキャリアにおいて非拡張フォーマットの共通チャネルが用いられると判定する、ように特に構成されている、
請求項16または17に記載の端末。
【請求項１９】
ネットワーク側デバイスによって第1のキャリアについて配信される第1のキャリア構成情報を受信するように構成された、情報受信モジュールであって、前記第1のキャリア構成情報は、
前記第1のキャリアのシステムブロードキャスト情報であって、前記システムブロードキャスト情報は前記第1のキャリアが共通チャネルを含むことを指示することができ、前記共通チャネルは、物理ブロードキャストチャネルPBCH、プライマリ同期信号PSS、セカンダリ同期信号SSS、もしくは参照信号のうちのいずれか1つもしくは複数を含む、前記第1のキャリアの前記システムブロードキャスト情報、
第1の指示情報であって、前記第1の指示情報は前記第1のキャリアが共通チャネルを含まないことを指示するのに用いられる、前記第1の指示情報、または、
第2の指示情報であって、前記第2の指示情報は前記第1のキャリアで用いられる共通チャネルが拡張フォーマットの共通チャネルであることを指示するのに用いられる、前記第2の指示情報
の任意の1つまたは複数の種類情報を含む、前記情報受信モジュールと、
前記第1のキャリア構成情報に従って、前記第1のキャリアが前記共通チャネルを含むかどうか判定し、判定結果が「含む」である場合に、前記第1のキャリアのサブフレーム内の物理ダウンリンク制御チャネルPDCCHおよび／もしくは物理ダウンリンク共有チャネルPDSCHを受信し、もしくは復号するときに、前記サブフレーム内の前記PDCCHおよび／もしくは前記PDSCHによって占有されうるシンボルの中から前記共通チャネルによって占有されるシンボルを除外し、または、判定結果が「含まない」である場合に、前記第1のキャリアのサブフレーム内のPDCCHおよび／もしくはPDSCHを受信し、もしくは復号するときに、前記サブフレーム内の前記PDCCHおよび／もしくは前記PDSCHによって占有されうるシンボルの中から前記共通チャネルによって占有されるシンボルを除外するのをスキップし、あるいは、
前記第1のキャリア構成情報に従って、前記第1のキャリアにおいて前記拡張フォーマットの前記共通チャネルが用いられるかどうか判定し、判定結果が「用いられる」である場合に、前記第1のキャリアのサブフレーム内のPDCCHおよび／もしくはPDSCHを受信し、もしくは復号するときに、前記サブフレーム内の前記PDCCHおよび／もしくは前記PDSCHによって占有されうるシンボルの中から、前記拡張フォーマットの前記共通チャネルによって占有されるシンボルを除外し、または、判定結果が「用いられない」である場合に、前記第1のキャリアのサブフレーム内のPDCCHおよび／もしくはPDSCHを受信し、もしくは復号するときに、前記サブフレーム内の前記PDCCHおよび／もしくは前記PDSCHによって占有されうるシンボルの中から、前記拡張フォーマットの前記共通チャネルによって占有されるシンボルを除外するのをスキップする、
ように構成された、サブフレーム処理モジュールと、
を含む、端末。
【請求項２０】
前記サブフレーム処理モジュールは、前記第1のキャリア構成情報が前記第1の指示情報を含むと判定される場合、もしくは前記第1のキャリア構成情報が前記システムブロードキャスト情報を含まないと判定される場合に、前記第1のキャリアは前記共通チャネルを含まないと判定する、ように特に構成されており、または、
前記第1のキャリア構成情報が前記第1の指示情報を含まないと判定される場合、もしくは前記第1のキャリア構成情報が前記システムブロードキャスト情報を含むと判定される場合に、前記第1のキャリアは前記共通チャネルを含むと判定する、ように特に構成されている、
請求項19に記載の端末。
【請求項２１】
前記サブフレーム処理モジュールは、前記第1のキャリア構成情報が前記第2の指示情報を含むと判定される場合、前記第1のキャリアにおいて前記拡張フォーマットの前記共通チャネルが用いられると判定する、ように特に構成されており、または、
前記第1のキャリア構成情報が前記第2の指示情報を含まないと判定される場合、前記第1のキャリアにおいて非拡張フォーマットの共通チャネルが用いられると判定する、ように特に構成されている、
請求項19または20に記載の端末。
【請求項２２】
端末の第1のセカンダリキャリアの第1のキャリア構成情報を決定するように構成された、プロセッサであって、前記第1のセカンダリキャリアは不連続キャリアであり、前記第1のキャリア構成情報は前記第1のセカンダリキャリアの最大連続チャネル占有持続期間およびチャネルリスニング持続期間を含み、前記第1のセカンダリキャリアのチャネル占有開始基準時点および／または前記第1のセカンダリキャリアのチャネルリスニング開始基準時点をさらに含む、前記プロセッサと、
前記端末が前記受信した第1のキャリア構成情報に従って、前記第1のセカンダリキャリア内の特殊サブフレームを決定する動作であって、前記特殊サブフレームはギャップシンボルの全部または一部を含み、前記ギャップシンボルは前記チャネルリスニング持続期間によって完全に、または一部が占有されるシンボルである、前記動作と、前記特殊サブフレーム内の前記ギャップシンボルを除くすべてのシンボルを物理ダウンリンク制御チャネルPDCCHおよび／または物理ダウンリンク共有チャネルPDSCHによって占有されうるシンボルとして用い、前記PDCCHおよび／または前記PDSCHによって占有されうる前記決定されたシンボルに従って前記特殊サブフレーム内の前記PDCCHおよび／または前記PDSCHをしかるべく受信し、または復号する動作と、を行うように、前記端末へ前記プロセッサによって決定された前記第1のキャリア構成情報を送信するように構成された、送信機と、
を含む、ネットワーク側デバイス。
【請求項２３】
前記プロセッサは、前記第1のセカンダリキャリアがクロススケジュールキャリアであると判定される場合、前記決定された第1のキャリア構成情報が前記端末へ送信される前に前記第1のセカンダリキャリアのPDSCH開始シンボル位置を指定するようにさらに構成されており、
前記送信機は、前記端末が前記第1のキャリア構成情報に従って前記第1のセカンダリキャリア内の前記特殊サブフレームを決定した後で、前記端末が、シンボル位置指示情報で指示される前記PDSCH開始シンボル位置に従って、前記特殊サブフレーム内の前記PDSCH開始シンボル位置後の各非ギャップシンボルを前記PDSCHによって占有されうるシンボルとして用いるように、前記第1のセカンダリキャリアがクロススケジュールキャリアであると判定されるときに前記端末へ、前記PDSCH開始シンボル位置を指示するのに用いられる前記シンボル位置指示情報を搬送する前記第1のキャリア構成情報を送信するように特に構成されている、請求項22に記載のネットワーク側デバイス。
【請求項２４】
前記ネットワーク側デバイスはモニタをさらに含み、
前記モニタは、前記第1のセカンダリキャリアの前記第1のキャリア構成情報が決定された後で、前記第1のセカンダリキャリアに対応するチャネルがチャネルリスニング持続期間に対応する期間に別のネットワーク側デバイスによって占有されているかどうかモニタするように構成されており、
前記送信機は、前記モニタのモニタリング結果が「占有されている」であるときに、前記端末が、キャリア解放メッセージに従って、前記第1のセカンダリキャリアに対して行われるデータ受信または復号動作を停止するように、前記端末へ前記キャリア解放メッセージを送信するようにさらに構成されている、
請求項22または23に記載のネットワーク側デバイス。
【請求項２５】
前記送信機は、前記プロセッサによって決定された前記第1のキャリア構成情報を、無線リソース制御RRCメッセージ、媒体アクセス制御MAC層プロトコル・データ・ユニットPDUメッセージ、または物理層シグナリングのいずれか1つまたは複数の種類のシグナリングを用いて前記ネットワーク側デバイスによって前記端末へ送信するように構成されている、請求項22から24のいずれか一項に記載のネットワーク側デバイス。
【請求項２６】
前記送信機は、前記第1のセカンダリキャリアが前記チャネルを占有し始めた後の任意の時点に前記端末へ前記第1のキャリア構成情報において前記チャネル占有開始時点および／または前記チャネルリスニング開始時点を送信し、前記第1のセカンダリキャリアが前記端末のために構成されるときに前記端末へ前記第1のキャリア構成情報において前記第1のセカンダリキャリアの前記最大連続チャネル占有持続期間および前記チャネルリスニング持続期間を送信するように特に構成されている、請求項22から25のいずれか一項に記載のネットワーク側デバイス。
【請求項２７】
前記プロセッサは前記第1のセカンダリキャリアの第2のキャリア構成情報を決定するようにさらに構成されており、前記第2のキャリア構成情報は、
前記第1のセカンダリキャリアのシステムブロードキャスト情報であって、前記システムブロードキャスト情報は前記第1のセカンダリキャリアが共通チャネルを含むことを指示することができ、前記共通チャネルは、物理ブロードキャストチャネルPBCH、プライマリ同期信号PSS、セカンダリ同期信号SSS、もしくは参照信号のうちのいずれか1つもしくは複数を含む、前記第1のセカンダリキャリアの前記システムブロードキャスト情報、
第1の指示情報であって、前記第1の指示情報は前記第1のセカンダリキャリアが共通チャネルを含まないことを指示するのに用いられる、前記第1の指示情報、または、
第2の指示情報であって、前記第2の指示情報は前記第1のセカンダリキャリアで用いられる共通チャネルが拡張フォーマットの共通チャネルであることを指示するのに用いられる、前記第2の指示情報
のいずれか1つまたは複数の種類の情報を含み、
前記送信機は、前記端末が前記受信した第2のキャリア構成情報に従って、
前記第1のセカンダリキャリアが前記共通チャネルを含むかどうか判定し、判定結果が「含む」である場合に、前記第1のセカンダリキャリアの前記サブフレーム内の前記PDCCHおよび／もしくは前記PDSCHを受信し、もしくは復号するときに、前記サブフレーム内の前記PDCCHおよび／もしくは前記PDSCHによって占有されうる前記シンボルの中から、前記共通チャネルによって占有されるシンボルを除外し、または、判定結果が「含まない」である場合に、前記第1のセカンダリキャリアの前記サブフレーム内の前記PDCCHおよび／もしくは前記PDSCHを受信し、もしくは復号するときに、前記サブフレーム内の前記PDCCHおよび／もしくは前記PDSCHによって占有されうる前記シンボルの中から、前記共通チャネルによって占有されるシンボルを除外するのをスキップする動作、あるいは、
前記第1のセカンダリキャリアにおいて前記拡張フォーマットの前記共通チャネルが用いられるかどうか判定し、判定結果が「用いられる」である場合に、前記第1のセカンダリキャリアの前記サブフレーム内の前記PDCCHおよび／もしくは前記PDSCHを受信し、もしくは復号するときに、前記サブフレーム内の前記PDCCHおよび／もしくは前記PDSCHによって占有されうる前記シンボルの中から、前記拡張フォーマットの前記共通チャネルによって占有されるシンボルを除外し、または、判定結果が「用いられない」である場合に、前記第1のセカンダリキャリアの前記サブフレーム内の前記PDCCHおよび／もしくは前記PDSCHを受信し、もしくは復号するときに、前記サブフレーム内の前記PDCCHおよび／もしくは前記PDSCHによって占有されうるシンボルの中から、前記拡張フォーマットの前記共通チャネルによって占有されるシンボルを除外するのをスキップする動作
を行うように、前記端末へ前記プロセッサによって決定された前記第2のキャリア構成情報を送信するようにさらに構成されている、請求項22から26のいずれか一項に記載のネットワーク側デバイス。
【請求項２８】
端末の第1のキャリアの第1のキャリア構成情報を決定するように構成された、プロセッサであって、前記第1のキャリア構成情報は、
前記第1のキャリアのシステムブロードキャスト情報であって、前記システムブロードキャスト情報は前記第1のキャリアが共通チャネルを含むことを指示することができ、前記共通チャネルは、物理ブロードキャストチャネルPBCH、プライマリ同期信号PSS、セカンダリ同期信号SSS、もしくは参照信号のうちのいずれか1つもしくは複数を含む、前記第1のキャリアの前記システムブロードキャスト情報、
第1の指示情報であって、前記第1の指示情報は前記第1のキャリアが共通チャネルを含まないことを指示するのに用いられる、前記第1の指示情報、または、
第2の指示情報であって、前記第2の指示情報は前記第1のキャリアで用いられる共通チャネルが拡張フォーマットの共通チャネルであることを指示するのに用いられる、前記第2の指示情報
の任意の1つまたは複数の種類情報を含む、前記プロセッサと、
前記端末が前記受信した第1のキャリア構成情報に従って、
前記第1のキャリアが前記共通チャネルを含むかどうか判定し、判定結果が「含む」である場合に、前記第1のキャリアのサブフレーム内の物理ダウンリンク制御チャネルPDCCHおよび／もしくは物理ダウンリンク共有チャネルPDSCHを受信し、もしくは復号するときに、前記サブフレーム内の前記PDCCHおよび／もしくは前記PDSCHによって占有されうるシンボルの中から、前記共通チャネルによって占有されるシンボルを除外し、または、判定結果が「含まない」である場合に、前記第1のキャリアのサブフレーム内のPDCCHおよび／もしくはPDSCHを受信し、もしくは復号するときに、前記サブフレーム内の前記PDCCHおよび／もしくは前記PDSCHによって占有されうるシンボルの中から、前記共通チャネルによって占有されるシンボルを除外するのをスキップする動作、あるいは、
前記第1のキャリアにおいて前記拡張フォーマットの前記共通チャネルが用いられるかどうか判定し、判定結果が「用いられる」である場合に、前記第1のキャリアのサブフレーム内のPDCCHおよび／もしくはPDSCHを受信し、もしくは復号するときに、前記サブフレーム内の前記PDCCHおよび／もしくは前記PDSCHによって占有されうるシンボルの中から、前記拡張フォーマットの前記共通チャネルによって占有されるシンボルを除外し、または、判定結果が「用いられない」である場合に、前記第1のキャリアのサブフレーム内のPDCCHおよび／もしくはPDSCHを受信し、もしくは復号するときに、前記サブフレーム内の前記PDCCHおよび／もしくは前記PDSCHによって占有されうるシンボルの中から、前記拡張フォーマットの前記共通チャネルによって占有されるシンボルを除外するのをスキップする動作
を行うように、前記端末へ前記プロセッサによって決定された前記第1のキャリア構成情報を送信するように構成された、送信機と、
を含む、ネットワーク側デバイス。
【請求項２９】
第1のセカンダリキャリアの第1のキャリア構成情報を獲得するように構成された、受信機であって、前記第1のセカンダリキャリアは不連続キャリアであり、前記第1のキャリア構成情報は前記第1のセカンダリキャリアの最大連続チャネル占有持続期間およびチャネルリスニング持続期間を含み、前記第1のセカンダリキャリアのチャネル占有開始基準時点および／またはチャネルリスニング開始基準時点をさらに含む、前記受信機と、
前記受信機によって獲得された前記第1のキャリア構成情報に従って前記第1のセカンダリキャリア内の特殊サブフレームを決定するように構成された、プロセッサであって、前記特殊サブフレームはギャップシンボルの全部または一部を含み、前記ギャップシンボルは前記チャネルリスニング持続期間によって完全に、または一部が占有されるシンボルであり、前記プロセッサは、前記決定された特殊サブフレーム内の前記ギャップシンボルを除くすべてのシンボルを物理ダウンリンク制御チャネルPDCCHおよび／または物理ダウンリンク共有チャネルPDSCHによって占有されうるシンボルとして用い、前記PDCCHおよび／または前記PDSCHによって占有されうる前記決定されたシンボルに従って前記特殊サブフレーム内の前記PDCCHおよび／または前記PDSCHをしかるべく受信し、または復号するように構成されている、前記プロセッサと、
を含む、端末。
【請求項３０】
前記プロセッサは、前記第1のキャリア構成情報に含まれる前記最大連続チャネル占有持続期間、前記チャネルリスニング持続期間、ならびに前記チャネル占有開始基準時点および／または前記チャネルリスニング開始基準時点に従って前記第1のセカンダリキャリアのチャネル占有終了時点またはチャネルリスニング開始時点を決定し、前記決定されたチャネル占有終了時点または前記決定されたチャネルリスニング開始時点後のM個のシンボルを前記ギャップシンボルとして用い、前記M個のシンボルの全部または一部のシンボルを含む前記サブフレームを前記特殊サブフレームとして用いるように特に構成されており、前記M個のシンボルは前記チャネルリスニング持続期間に従って決定され、Mは1以上の正の整数である、請求項29に記載の端末。
【請求項３１】
前記第1のセカンダリキャリアのチャネル占有の終了がサブフレーム境界だけに制限される場合、
前記プロセッサは、前記第1のキャリア構成情報に含まれる前記最大連続チャネル占有持続期間、前記チャネルリスニング持続期間、前記チャネル占有開始基準時点および／または前記チャネルリスニング開始基準時点、ならびにサブフレーム境界情報に従って前記第1のセカンダリキャリアの前記チャネル占有終了時点または前記チャネルリスニング開始時点を決定し、前記決定されたチャネル占有終了時点または前記決定されたチャネルリスニング開始時点後のM個のシンボルを前記ギャップシンボルとして用い、前記M個のシンボルの全部または一部のシンボルを含む前記サブフレームを前記特殊サブフレームとして用いるように特に構成されている、請求項29または30に記載の端末。
【請求項３２】
前記プロセッサは、前記第1のキャリア構成情報がPDSCH開始シンボル位置を指示するのに用いられるシンボル位置指示情報を搬送すると判定される場合、前記シンボル位置指示情報で指示される前記PDSCH開始シンボル位置に従って、前記特殊サブフレーム内の前記PDSCH開始シンボル位置後の各非ギャップシンボルを前記PDSCHによって占有されうるシンボルとして用いる、ように特に構成することができ、または、
前記特殊サブフレームの第1のシンボルから物理制御フォーマット指示チャネルPCFICHを読み取り、前記PCFICHに従って、前記PDCCHによって占有されうる前記シンボルを決定し、前記特殊サブフレーム内の前記ギャップシンボルおよび前記PDCCHによって占有されうる前記シンボルを除くすべてのシンボルを前記PDSCHによって占有されうる前記シンボルとして用いるように特に構成されており、または、
前記特殊サブフレームの第（M＋1）のシンボルからPCFICHを読み取り、前記PCFICHに従って、前記PDCCHによって占有されうる前記シンボルを決定し、前記特殊サブフレーム内の前記ギャップシンボルおよび前記PDCCHによって占有されうる前記シンボルを除くすべてのシンボルを前記PDSCHによって占有されうる前記シンボルとして用いるように特に構成されている、
請求項29から31のいずれか一項に記載の端末。
【請求項３３】
前記端末はモニタをさらに含み、
前記モニタは、任意のギャップシンボルについて、前記ギャップシンボルに関するエネルギー検出を行う、ように構成されており、かつ／もしくは前記第1のセカンダリキャリアについてのキャリア解放メッセージがネットワーク側デバイスから受信されるかどうかモニタするように構成されており、
前記プロセッサは、任意のギャップシンボルについて、前記モニタによって検出された前記ギャップシンボルのエネルギーが指定されたエネルギー閾値より高いと判定されるときに、前記ギャップシンボルの全部もしくは一部のシンボルを含む前記特殊サブフレームの受信もしくは復号を停止する、ようにさらに構成されており、または、前記モニタが前記第1のセカンダリキャリアについての前記キャリア解放メッセージが前記ネットワーク側デバイスから受信されたことを検出したときに、前記第1のセカンダリキャリアに対して行われるデータ受信または復号動作を停止するようにさらに構成されている、
請求項29から32のいずれか一項に記載の端末。
【請求項３４】
前記受信機によって獲得された前記第1のキャリア構成情報は前記ネットワーク側デバイスによって前記端末へ送信される、請求項29から33のいずれか一項に記載の端末。
【請求項３５】
前記受信機によって獲得された前記第1のキャリア構成情報は、無線リソース制御RRCメッセージ、媒体アクセス制御MAC層プロトコル・データ・ユニットPDUメッセージ、または物理層シグナリングのいずれか1つまたは複数の種類のシグナリングを用いて前記ネットワーク側デバイスによって前記端末へ送信される、請求項34に記載の端末。
【請求項３６】
前記受信機によって獲得された前記第1のキャリア構成情報内の前記チャネル占有開始基準時点および／または前記チャネルリスニング開始基準時点は、前記第1のセカンダリキャリアが前記チャネルを占有し始めた後の任意の時点に前記ネットワーク側デバイスによって前記端末へ送信され、
前記受信機によって獲得された前記第1のキャリア構成情報内の前記第1のセカンダリキャリアの前記最大連続チャネル占有持続期間および前記チャネルリスニング持続期間は、前記ネットワーク側デバイスが前記端末のために前記第1のセカンダリキャリアを構成するときに前記端末へ送信される、請求項34または35に記載の端末。
【請求項３７】
前記受信機は前記ネットワーク側デバイスによって前記第1のセカンダリキャリアについて配信される第2のキャリア構成情報を受信するようにさらに構成されており、前記第2のキャリア構成情報は、
前記第1のセカンダリキャリアのシステムブロードキャスト情報であって、前記システムブロードキャスト情報は前記第1のセカンダリキャリアが共通チャネルを含むことを指示することができ、前記共通チャネルは、物理ブロードキャストチャネルPBCH、プライマリ同期信号PSS、セカンダリ同期信号SSS、もしくは参照信号のうちのいずれか1つもしくは複数を含む、前記第1のセカンダリキャリアの前記システムブロードキャスト情報、
第1の指示情報であって、前記第1の指示情報は前記第1のセカンダリキャリアが共通チャネルを含まないことを指示するのに用いられる、前記第1の指示情報、または、
第2の指示情報であって、前記第2の指示情報は前記第1のセカンダリキャリアで用いられる共通チャネルが拡張フォーマットの共通チャネルであることを指示するのに用いられる、前記第2の指示情報
のいずれか1つまたは複数の種類の情報を含み、
前記プロセッサは、前記第2のキャリア構成情報に従って、前記第1のセカンダリキャリアが前記共通チャネルを含むかどうか判定し、判定結果が「含む」である場合に、前記第1のセカンダリキャリアの前記サブフレーム内の前記PDCCHおよび／もしくは前記PDSCHを受信し、もしくは復号するときに、前記サブフレーム内の前記PDCCHおよび／もしくは前記PDSCHによって占有されうる前記シンボルの中から、前記共通チャネルによって占有されるシンボルを除外し、または、判定結果が「含まない」である場合に、前記第1のセカンダリキャリアの前記サブフレーム内の前記PDCCHおよび／もしくは前記PDSCHを受信し、もしくは復号するときに、前記サブフレーム内の前記PDCCHおよび／もしくは前記PDSCHによって占有されうる前記シンボルの中から、前記共通チャネルによって占有されるシンボルを除外するのをスキップする、ようにさらに構成することができ、あるいは、
前記第2のキャリア構成情報に従って、前記第1のセカンダリキャリアにおいて前記拡張フォーマットの前記共通チャネルが用いられるかどうか判定し、判定結果が「用いられる」である場合に、前記第1のセカンダリキャリアの前記サブフレーム内の前記PDCCHおよび／もしくは前記PDSCHを受信し、もしくは復号するときに、前記サブフレーム内の前記PDCCHおよび／もしくは前記PDSCHによって占有されうる前記シンボルの中から、前記拡張フォーマットの前記共通チャネルによって占有されるシンボルを除外し、または、判定結果が「用いられない」である場合に、前記第1のセカンダリキャリアの前記サブフレーム内の前記PDCCHおよび／もしくは前記PDSCHを受信し、もしくは復号するときに、前記サブフレーム内の前記PDCCHおよび／もしくは前記PDSCHによって占有されうる前記シンボルの中から、前記拡張フォーマットの前記共通チャネルによって占有されるシンボルを除外するのをスキップするようにさらに構成されている、
請求項29から36のいずれか一項に記載の端末。
【請求項３８】
前記プロセッサは、前記第2のキャリア構成情報が前記第1の指示情報を含むと判定される場合、もしくは前記第2のキャリア構成情報が前記システムブロードキャスト情報を含まないと判定される場合に、前記第1のセカンダリキャリアは前記共通チャネルを含まないと判定する、ように特に構成されており、または、
前記第2のキャリア構成情報が前記第1の指示情報を含まないと判定される場合、もしくは前記第2のキャリア構成情報が前記システムブロードキャスト情報を含むと判定される場合に、前記第1のセカンダリキャリアは前記共通チャネルを含むと判定する、ように特に構成されている、
請求項37に記載の端末。
【請求項３９】
前記プロセッサは、前記第2のキャリア構成情報が前記第2の指示情報を含むと判定される場合、前記第1のセカンダリキャリアにおいて前記拡張フォーマットの前記共通チャネルが用いられると判定する、ように特に構成されており、または、
前記第2のキャリア構成情報が前記第2の指示情報を含まないと判定される場合、前記第1のセカンダリキャリアにおいて非拡張フォーマットの共通チャネルが用いられると判定する、ように特に構成されている、
請求項37または38に記載の端末。
【請求項４０】
ネットワーク側デバイスによって第1のキャリアについて配信される第1のキャリア構成情報を受信するように構成された、受信機であって、前記第1のキャリア構成情報は、
前記第1のキャリアのシステムブロードキャスト情報であって、前記システムブロードキャスト情報は前記第1のキャリアが共通チャネルを含むことを指示することができ、前記共通チャネルは、物理ブロードキャストチャネルPBCH、プライマリ同期信号PSS、セカンダリ同期信号SSS、もしくは参照信号のうちのいずれか1つもしくは複数を含む、前記第1のキャリアの前記システムブロードキャスト情報、
第1の指示情報であって、前記第1の指示情報は前記第1のキャリアが共通チャネルを含まないことを指示するのに用いられる、前記第1の指示情報、または、
第2の指示情報であって、前記第2の指示情報は前記第1のキャリアで用いられる共通チャネルが拡張フォーマットの共通チャネルであることを指示するのに用いられる、前記第2の指示情報
の任意の1つまたは複数の種類情報を含む、前記受信機と、
前記第1のキャリア構成情報に従って、前記第1のキャリアが前記共通チャネルを含むかどうか判定し、判定結果が「含む」である場合に、前記第1のキャリアのサブフレーム内の物理ダウンリンク制御チャネルPDCCHおよび／もしくは物理ダウンリンク共有チャネルPDSCHを受信し、もしくは復号するときに、前記サブフレーム内の前記PDCCHおよび／もしくは前記PDSCHによって占有されうるシンボルの中から前記共通チャネルによって占有されるシンボルを除外し、または、判定結果が「含まない」である場合に、前記第1のキャリアのサブフレーム内のPDCCHおよび／もしくはPDSCHを受信し、もしくは復号するときに、前記サブフレーム内の前記PDCCHおよび／もしくは前記PDSCHによって占有されうるシンボルの中から前記共通チャネルによって占有されるシンボルを除外するのをスキップし、あるいは、
前記第1のキャリア構成情報に従って、前記第1のキャリアにおいて前記拡張フォーマットの前記共通チャネルが用いられるかどうか判定し、判定結果が「用いられる」である場合に、前記第1のキャリアのサブフレーム内のPDCCHおよび／もしくはPDSCHを受信し、もしくは復号するときに、前記サブフレーム内の前記PDCCHおよび／もしくは前記PDSCHによって占有されうるシンボルの中から、前記拡張フォーマットの前記共通チャネルによって占有されるシンボルを除外し、または、判定結果が「用いられない」である場合に、前記第1のキャリアのサブフレーム内のPDCCHおよび／もしくはPDSCHを受信し、もしくは復号するときに、前記サブフレーム内の前記PDCCHおよび／もしくは前記PDSCHによって占有されうるシンボルの中から、前記拡張フォーマットの前記共通チャネルによって占有されるシンボルを除外するのをスキップする、
ように構成された、前記プロセッサと、
を含む、端末。
【請求項４１】
前記プロセッサは、前記第1のキャリア構成情報が前記第1の指示情報を含むと判定される場合、もしくは前記第1のキャリア構成情報が前記システムブロードキャスト情報を含まないと判定される場合に、前記第1のキャリアは前記共通チャネルを含まないと判定する、ように特に構成されており、または、
前記第1のキャリア構成情報が前記第1の指示情報を含まないと判定される場合、もしくは前記第1のキャリア構成情報が前記システムブロードキャスト情報を含むと判定される場合に、前記第1のキャリアは前記共通チャネルを含むと判定する、ように特に構成されている、
請求項40に記載の端末。
【請求項４２】
前記プロセッサは、前記第1のキャリア構成情報が前記第2の指示情報を含むと判定される場合、前記第1のキャリアにおいて前記拡張フォーマットの前記共通チャネルが用いられると判定する、ように特に構成されており、または、
前記第1のキャリア構成情報が前記第2の指示情報を含まないと判定される場合、前記第1のキャリアにおいて非拡張フォーマットの共通チャネルが用いられると判定する、ように特に構成されている、
請求項40または41に記載の端末。
【請求項４３】
ネットワーク側デバイスが、端末の第1のセカンダリキャリアの第1のキャリア構成情報を決定するステップであって、前記第1のセカンダリキャリアは不連続キャリアであり、前記第1のキャリア構成情報は前記第1のセカンダリキャリアの最大連続チャネル占有持続期間およびチャネルリスニング持続期間を含み、前記第1のセカンダリキャリアのチャネル占有開始基準時点および／または前記第1のセカンダリキャリアのチャネルリスニング開始基準時点をさらに含む、前記ステップと、
前記端末が前記受信した第1のキャリア構成情報に従って、前記第1のセカンダリキャリア内の特殊サブフレームを決定する動作であって、前記特殊サブフレームはギャップシンボルの全部または一部を含み、前記ギャップシンボルはチャネルリスニング持続期間によって完全に、または一部が占有されるシンボルである、前記動作と、前記特殊サブフレーム内の前記ギャップシンボルを除くすべてのシンボルを物理ダウンリンク制御チャネルPDCCHおよび／または物理ダウンリンク共有チャネルPDSCHによって占有されうるシンボルとして用い、前記PDCCHおよび／または前記PDSCHによって占有されうる前記決定されたシンボルに従って前記特殊サブフレーム内の前記PDCCHおよび／または前記PDSCHをしかるべく受信し、または復号する動作と、を行うように、前記端末へ前記決定された第1のキャリア構成情報を送信するステップと、
を含む、サブフレーム処理方法。
【請求項４４】
前記端末へ前記決定された第1のキャリア構成情報を送信するステップの前に、前記方法は、
前記第1のセカンダリキャリアがクロススケジュールキャリアであると判定される場合、前記第1のセカンダリキャリアのPDSCH開始シンボル位置を指定するステップ、
をさらに含み、
前記端末へ前記決定された第1のキャリア構成情報を送信する前記ステップは、
前記第1のセカンダリキャリアがクロススケジュールキャリアであると判定されるときに、前記端末が前記第1のキャリア構成情報に従って前記第1のセカンダリキャリア内の前記特殊サブフレームを決定した後で、前記端末が、シンボル位置指示情報で指示される前記PDSCH開始シンボル位置に従って、前記特殊サブフレーム内の前記PDSCH開始シンボル位置後の各非ギャップシンボルを前記PDSCHによって占有されうるシンボルとして用いるように、前記端末へ、前記PDSCH開始シンボル位置を指示するのに用いられる前記シンボル位置指示情報を搬送する前記第1のキャリア構成情報を送信するステップ、
を含む、請求項43に記載のサブフレーム処理方法。
【請求項４５】
第1のセカンダリキャリアの第1のキャリア構成情報を決定する前記ステップの後に、前記方法は、
前記第1のセカンダリキャリアに対応するチャネルが前記チャネルリスニング持続期間に対応する期間に別のネットワーク側デバイスによって占有されているかどうかモニタするステップと、
モニタリング結果が「占有されている」である場合、前記端末が、キャリア解放メッセージに従って、前記第1のセカンダリキャリアに対して行われるデータ受信または復号動作を停止するように、前記端末へ前記キャリア解放メッセージを送信するステップと、
をさらに含む、請求項43または44に記載のサブフレーム処理方法。
【請求項４６】
前記端末へ前記決定された第1のキャリア構成情報を送信する前記ステップは、
無線リソース制御RRCメッセージ、媒体アクセス制御MAC層プロトコル・データ・ユニットPDUメッセージ、または物理層シグナリングのいずれか1つまたは複数の種類のシグナリングを用いて前記端末へ前記決定された第1のキャリア構成情報を送信するステップ、
を含む、請求項43から45のいずれか一項に記載のサブフレーム処理方法。
【請求項４７】
前記端末へ前記決定された第1のキャリア構成情報を送信する前記ステップは、
前記第1のセカンダリキャリアが前記チャネルを占有し始めた後の任意の時点に前記端末へ前記第1のキャリア構成情報において前記チャネル占有開始時点および／または前記チャネルリスニング開始時点を送信するステップと、
前記端末のために前記第1のセカンダリキャリアを構成するときに、前記端末へ前記第1のキャリア構成情報において前記第1のセカンダリキャリアの前記最大連続チャネル占有持続期間および前記チャネルリスニング持続期間を送信するステップと、
を含む、請求項43から46のいずれか一項に記載のサブフレーム処理方法。
【請求項４８】
前記方法は、
前記第1のセカンダリキャリアの第2のキャリア構成情報を決定するステップであって、前記第2のキャリア構成情報は、
前記第1のセカンダリキャリアのシステムブロードキャスト情報であって、前記システムブロードキャスト情報は前記第1のセカンダリキャリアが共通チャネルを含むことを指示することができ、前記共通チャネルは、物理ブロードキャストチャネルPBCH、プライマリ同期信号PSS、セカンダリ同期信号SSS、もしくは参照信号のうちのいずれか1つもしくは複数を含む、前記第1のセカンダリキャリアの前記システムブロードキャスト情報、
第1の指示情報であって、前記第1の指示情報は前記第1のセカンダリキャリアが共通チャネルを含まないことを指示するのに用いられる、前記第1の指示情報、または、
第2の指示情報であって、前記第2の指示情報は前記第1のセカンダリキャリアで用いられる共通チャネルが拡張フォーマットの共通チャネルであることを指示するのに用いられる、前記第2の指示情報
のいずれか1つまたは複数の種類の情報を含む、前記ステップと、
前記端末が前記受信した第2のキャリア構成情報に従って、
前記第1のセカンダリキャリアが前記共通チャネルを含むかどうか判定し、判定結果が「含む」である場合に、前記第1のセカンダリキャリアの前記サブフレーム内の前記PDCCHおよび／もしくは前記PDSCHを受信し、もしくは復号するときに、前記サブフレーム内の前記PDCCHおよび／もしくは前記PDSCHによって占有されうる前記シンボルの中から、前記共通チャネルによって占有されるシンボルを除外し、または、判定結果が「含まない」である場合に、前記第1のセカンダリキャリアの前記サブフレーム内の前記PDCCHおよび／もしくは前記PDSCHを受信し、もしくは復号するときに、前記サブフレーム内の前記PDCCHおよび／もしくは前記PDSCHによって占有されうる前記シンボルの中から、前記共通チャネルによって占有されるシンボルを除外するのをスキップする動作、あるいは、
前記第1のセカンダリキャリアにおいて前記拡張フォーマットの前記共通チャネルが用いられるかどうか判定し、判定結果が「用いられる」である場合に、前記第1のセカンダリキャリアの前記サブフレーム内の前記PDCCHおよび／もしくは前記PDSCHを受信し、もしくは復号するときに、前記サブフレーム内の前記PDCCHおよび／もしくは前記PDSCHによって占有されうる前記シンボルの中から、前記拡張フォーマットの前記共通チャネルによって占有されるシンボルを除外し、または、判定結果が「用いられない」である場合に、前記第1のセカンダリキャリアの前記サブフレーム内の前記PDCCHおよび／もしくは前記PDSCHを受信し、もしくは復号するときに、前記サブフレーム内の前記PDCCHおよび／もしくは前記PDSCHによって占有されうるシンボルの中から、前記拡張フォーマットの前記共通チャネルによって占有されるシンボルを除外するのをスキップする動作
を行うように、前記端末へ前記決定された第2のキャリア構成情報を送信するステップと、
をさらに含む、請求項43から47のいずれか一項に記載のサブフレーム処理方法。
【請求項４９】
ネットワーク側デバイスが、端末の第1のキャリアの第1のキャリア構成情報を決定するステップであって、前記第1のキャリア構成情報は、
前記第1のキャリアのシステムブロードキャスト情報であって、前記システムブロードキャスト情報は前記第1のキャリアが共通チャネルを含むことを指示することができ、前記共通チャネルは、物理ブロードキャストチャネルPBCH、プライマリ同期信号PSS、セカンダリ同期信号SSS、もしくは参照信号のうちのいずれか1つもしくは複数を含む、前記第1のキャリアの前記システムブロードキャスト情報、
第1の指示情報であって、前記第1の指示情報は前記第1のキャリアが共通チャネルを含まないことを指示するのに用いられる、前記第1の指示情報、または、
第2の指示情報であって、前記第2の指示情報は前記第1のキャリアで用いられる共通チャネルが拡張フォーマットの共通チャネルであることを指示するのに用いられる、前記第2の指示情報
の任意の1つまたは複数の種類情報を含む、前記ステップと、
前記端末が前記受信した第1のキャリア構成情報に従って、
前記第1のキャリアが前記共通チャネルを含むかどうか判定し、判定結果が「含む」である場合に、前記第1のキャリアのサブフレーム内の物理ダウンリンク制御チャネルPDCCHおよび／もしくは物理ダウンリンク共有チャネルPDSCHを受信し、もしくは復号するときに、前記サブフレーム内の前記PDCCHおよび／もしくは前記PDSCHによって占有されうるシンボルの中から、前記共通チャネルによって占有されるシンボルを除外し、または、判定結果が「含まない」である場合に、前記第1のキャリアのサブフレーム内のPDCCHおよび／もしくはPDSCHを受信し、もしくは復号するときに、前記サブフレーム内の前記PDCCHおよび／もしくは前記PDSCHによって占有されうるシンボルの中から、前記共通チャネルによって占有されるシンボルを除外するのをスキップする動作、あるいは、
前記第1のキャリアにおいて前記拡張フォーマットの前記共通チャネルが用いられるかどうか判定し、判定結果が「用いられる」である場合に、前記第1のキャリアのサブフレーム内のPDCCHおよび／もしくはPDSCHを受信し、もしくは復号するときに、前記サブフレーム内の前記PDCCHおよび／もしくは前記PDSCHによって占有されうるシンボルの中から、前記拡張フォーマットの前記共通チャネルによって占有されるシンボルを除外し、または、判定結果が「用いられない」である場合に、前記第1のキャリアのサブフレーム内のPDCCHおよび／もしくはPDSCHを受信し、もしくは復号するときに、前記サブフレーム内の前記PDCCHおよび／もしくは前記PDSCHによって占有されうるシンボルの中から、前記拡張フォーマットの前記共通チャネルによって占有されるシンボルを除外するのをスキップする動作
を行うように、前記端末へ前記決定された第1のキャリア構成情報を送信するステップと、
を含む、サブフレーム処理方法。
【請求項５０】
端末が、第1のセカンダリキャリアの第1のキャリア構成情報を獲得するステップであって、前記第1のセカンダリキャリアは不連続キャリアであり、前記第1のキャリア構成情報は前記第1のセカンダリキャリアの最大連続チャネル占有持続期間およびチャネルリスニング持続期間を含み、前記第1のセカンダリキャリアのチャネル占有開始基準時点および／またはチャネルリスニング開始基準時点をさらに含む、前記ステップと、
前記獲得された第1のキャリア構成情報に従って前記第1のセカンダリキャリア内の特殊サブフレームを決定するステップであって、前記特殊サブフレームはギャップシンボルの全部または一部を含み、前記ギャップシンボルは前記チャネルリスニング持続期間によって完全に、または一部が占有されるシンボルである、前記ステップと、
前記特殊サブフレーム内の前記ギャップシンボルを除くすべてのシンボルを物理ダウンリンク制御チャネルPDCCHおよび／または物理ダウンリンク共有チャネルPDSCHによって占有されうるシンボルとして用い、前記PDCCHおよび／または前記PDSCHによって占有されうる前記決定されたシンボルに従って前記特殊サブフレーム内の前記PDCCHおよび／または前記PDSCHをしかるべく受信し、または復号するステップと、
を含む、サブフレーム処理方法。
【請求項５１】
前記獲得された第1のキャリア構成情報に従って前記第1のセカンダリキャリア内の特殊サブフレームを決定する前記ステップは、
前記第1のキャリア構成情報に含まれる前記最大連続チャネル占有持続期間、前記チャネルリスニング持続期間、ならびに前記チャネル占有開始基準時点および／または前記チャネルリスニング開始基準時点に従って前記第1のセカンダリキャリアのチャネル占有終了時点またはチャネルリスニング開始時点を決定し、前記決定されたチャネル占有終了時点または決定されたチャネルリスニング開始時点後のM個のシンボルを前記ギャップシンボルとして用い、前記M個のシンボルの全部または一部のシンボルを含む前記サブフレームを前記特殊サブフレームとして用いるステップであって、前記M個のシンボルは前記チャネルリスニング持続期間に従って決定され、Mは1以上の正の整数である、前記ステップ、
を含む、請求項50に記載のサブフレーム処理方法。
【請求項５２】
前記第1のセカンダリキャリアのチャネル占有の終了がサブフレーム境界だけに制限される場合、前記獲得された第1のキャリア構成情報に従って前記不連続セカンダリキャリア内の特殊サブフレームを決定する前記ステップは、
前記第1のキャリア構成情報に含まれる前記最大連続チャネル占有持続期間、前記チャネルリスニング持続期間、前記チャネル占有開始基準時点および／または前記チャネルリスニング開始基準時点、ならびにサブフレーム境界情報に従って前記第1のセカンダリキャリアの前記チャネル占有終了時点または前記チャネルリスニング開始時点を決定し、前記決定されたチャネル占有終了時点または前記決定されたチャネルリスニング開始時点後の前記M個のシンボルを前記ギャップシンボルとして用い、前記M個のシンボルの全部または一部のシンボルを含む前記サブフレームを前記特殊サブフレームとして用いるステップ、
を含む、請求項50または51に記載のサブフレーム処理方法。
【請求項５３】
前記特殊サブフレーム内の前記ギャップシンボルを除くすべてのシンボルをPDCCHおよび／またはPDSCHによって占有されうるシンボルとして用いる前記ステップは、
前記第1のキャリア構成情報がPDSCH開始シンボル位置を指示するのに用いられるシンボル位置指示情報を搬送すると判定される場合、前記シンボル位置指示情報で指示される前記PDSCH開始シンボル位置に従って、前記特殊サブフレーム内の前記PDSCH開始シンボル位置後の各非ギャップシンボルを前記PDSCHによって占有されうるシンボルとして用いるステップ、または、
前記特殊サブフレームの第1のシンボルから物理制御フォーマット指示チャネルPCFICHを読み取り、前記PCFICHに従って、前記PDCCHによって占有されうる前記シンボルを決定し、前記特殊サブフレーム内の前記ギャップシンボルおよび前記PDCCHによって占有されうる前記シンボルを除くすべてのシンボルを前記PDSCHによって占有されうる前記シンボルとして用いるステップ、または、
前記特殊サブフレームの第（M＋1）のシンボルからPCFICHを読み取り、前記PCFICHに従って、前記PDCCHによって占有されうる前記シンボルを決定し、前記特殊サブフレーム内の前記ギャップシンボルおよび前記PDCCHによって占有されうる前記シンボルを除くすべてのシンボルを前記PDSCHによって占有されうる前記シンボルとして用いるステップ、
を含む、請求項50から52のいずれか一項に記載のサブフレーム処理方法。
【請求項５４】
前記方法は、
任意のギャップシンボルについて、前記ギャップシンボルに関するエネルギー検出を行い、検出されたエネルギーが指定されたエネルギー閾値より高いと判定したときに、前記ギャップシンボルの全部または一部のシンボルを含む前記特殊サブフレームの受信もしくは復号を停止するステップ、および／または、
前記第1のセカンダリキャリアについてのキャリア解放メッセージがネットワーク側デバイスから受信されるかどうかモニタし、受信される場合、前記第1のセカンダリキャリアに対して行われるデータ受信もしくは復号動作を停止するステップ、
をさらに含む、請求項50から53のいずれか一項に記載のサブフレーム処理方法。
【請求項５５】
前記第1のキャリア構成情報は前記ネットワーク側デバイスによって前記端末へ送信される、請求項50から54のいずれか一項に記載のサブフレーム処理方法。
【請求項５６】
前記第1のキャリア構成情報は、無線リソース制御RRCメッセージ、媒体アクセス制御MAC層プロトコル・データ・ユニットPDUメッセージ、または物理層シグナリングのいずれか1つまたは複数の種類のシグナリングを用いて前記ネットワーク側デバイスによって前記端末へ送信される、請求項55に記載のサブフレーム処理方法。
【請求項５７】
前記第1のキャリア構成情報内の前記チャネル占有開始基準時点および／または前記チャネルリスニング開始基準時点は、前記第1のセカンダリキャリアが前記チャネルを占有し始めた後の任意の時点に前記ネットワーク側デバイスによって前記端末へ送信され、
前記第1のキャリア構成情報内の前記第1のセカンダリキャリアの前記最大連続チャネル占有持続期間および前記チャネルリスニング持続期間は、前記ネットワーク側デバイスが前記端末のために前記第1のセカンダリキャリアを構成するときに前記端末へ送信される、請求項55または56に記載のサブフレーム処理方法。
【請求項５８】
前記方法は、
前記ネットワーク側デバイスによって前記第1のセカンダリキャリアについて配信される第2のキャリア構成情報を受信するステップであって、前記第2のキャリア構成情報は、
前記第1のセカンダリキャリアのシステムブロードキャスト情報であって、前記システムブロードキャスト情報は前記第1のセカンダリキャリアが共通チャネルを含むことを指示することができ、前記共通チャネルは、物理ブロードキャストチャネルPBCH、プライマリ同期信号PSS、セカンダリ同期信号SSS、もしくは参照信号のうちのいずれか1つもしくは複数を含む、前記第1のセカンダリキャリアの前記システムブロードキャスト情報、
第1の指示情報であって、前記第1の指示情報は前記第1のセカンダリキャリアが共通チャネルを含まないことを指示するのに用いられる、前記第1の指示情報、または、
第2の指示情報であって、前記第2の指示情報は前記第1のセカンダリキャリアで用いられる共通チャネルが拡張フォーマットの共通チャネルであることを指示するのに用いられる、前記第2の指示情報
のいずれか1つまたは複数の種類の情報を含む、前記ステップと、
前記第2のキャリア構成情報に従って、前記第1のセカンダリキャリアが前記共通チャネルを含むかどうか判定し、判定結果が「含む」である場合に、前記第1のセカンダリキャリアの前記サブフレーム内の前記PDCCHおよび／もしくは前記PDSCHを受信し、もしくは復号するときに、前記サブフレーム内の前記PDCCHおよび／もしくは前記PDSCHによって占有されうる前記シンボルの中から、前記共通チャネルによって占有されるシンボルを除外し、または、判定結果が「含まない」である場合に、前記第1のセカンダリキャリアの前記サブフレーム内の前記PDCCHおよび／もしくは前記PDSCHを受信し、もしくは復号するときに、前記サブフレーム内の前記PDCCHおよび／もしくは前記PDSCHによって占有されうる前記シンボルの中から、前記共通チャネルによって占有されるシンボルを除外するのをスキップするステップ、あるいは、
前記第2のキャリア構成情報に従って、前記第1のセカンダリキャリアにおいて前記拡張フォーマットの前記共通チャネルが用いられるかどうか判定し、判定結果が「用いられる」である場合に、前記第1のセカンダリキャリアの前記サブフレーム内の前記PDCCHおよび／もしくは前記PDSCHを受信し、もしくは復号するときに、前記サブフレーム内の前記PDCCHおよび／もしくは前記PDSCHによって占有されうる前記シンボルの中から、前記拡張フォーマットの前記共通チャネルによって占有されるシンボルを除外し、または、判定結果が「用いられない」である場合に、前記第1のセカンダリキャリアの前記サブフレーム内の前記PDCCHおよび／もしくは前記PDSCHを受信し、もしくは復号するときに、前記サブフレーム内の前記PDCCHおよび／もしくは前記PDSCHによって占有されうる前記シンボルの中から、前記拡張フォーマットの前記共通チャネルによって占有されるシンボルを除外するのをスキップするステップと、
をさらに含む、請求項50から57のいずれか一項に記載のサブフレーム処理方法。
【請求項５９】
前記第2のキャリア構成情報に従って、前記第1のセカンダリキャリアが前記共通チャネルを含むかどうか判定する前記ステップは、
前記第2のキャリア構成情報が前記第1の指示情報を含むと判定される場合、もしくは前記第2のキャリア構成情報が前記システムブロードキャスト情報を含まないと判定される場合に、前記第1のセカンダリキャリアは前記共通チャネルを含まないと判定するステップ、または、
前記第2のキャリア構成情報が前記第1の指示情報を含まないと判定される場合、もしくは前記第2のキャリア構成情報が前記システムブロードキャスト情報を含むと判定される場合に、前記第1のセカンダリキャリアは前記共通チャネルを含むと判定するステップ、
を含む、請求項58に記載のサブフレーム処理方法。
【請求項６０】
前記第2のキャリア構成情報に従って、前記第1のセカンダリキャリアにおいて前記拡張フォーマットの前記共通チャネルが用いられるかどうか判定する前記ステップは、
前記第2のキャリア構成情報が前記第2の指示情報を含むと判定される場合、前記第1のセカンダリキャリアにおいて前記拡張フォーマットの前記共通チャネルが用いられると判定するステップ、または、
前記第2のキャリア構成情報が前記第2の指示情報を含まないと判定される場合、前記第1のセカンダリキャリアにおいて非拡張フォーマットの共通チャネルが用いられると判定するステップ、
を含む、請求項58または59に記載のサブフレーム処理方法。
【請求項６１】
端末が、ネットワーク側デバイスによって第1のキャリアについて配信される第1のキャリア構成情報を受信するステップであって、前記第1のキャリア構成情報は、
前記第1のキャリアのシステムブロードキャスト情報であって、前記システムブロードキャスト情報は前記第1のキャリアが共通チャネルを含むことを指示することができ、前記共通チャネルは、物理ブロードキャストチャネルPBCH、プライマリ同期信号PSS、セカンダリ同期信号SSS、もしくは参照信号のうちのいずれか1つもしくは複数を含む、前記第1のキャリアの前記システムブロードキャスト情報、
第1の指示情報であって、前記第1の指示情報は前記第1のキャリアが共通チャネルを含まないことを指示するのに用いられる、前記第1の指示情報、または、
第2の指示情報であって、前記第2の指示情報は前記第1のキャリアで用いられる共通チャネルが拡張フォーマットの共通チャネルであることを指示するのに用いられる、前記第2の指示情報
の任意の1つまたは複数の種類情報を含む、前記ステップと、
前記第1のキャリア構成情報に従って、前記第1のキャリアが前記共通チャネルを含むかどうか判定し、判定結果が「含む」である場合に、前記第1のキャリアのサブフレーム内の物理ダウンリンク制御チャネルPDCCHおよび／もしくは物理ダウンリンク共有チャネルPDSCHを受信し、もしくは復号するときに、前記サブフレーム内の前記PDCCHおよび／もしくは前記PDSCHによって占有されうるシンボルの中から前記共通チャネルによって占有されるシンボルを除外し、または、判定結果が「含まない」である場合に、前記第1のキャリアのサブフレーム内のPDCCHおよび／もしくはPDSCHを受信し、もしくは復号するときに、前記サブフレーム内の前記PDCCHおよび／もしくは前記PDSCHによって占有されうるシンボルの中から前記共通チャネルによって占有されるシンボルを除外するのをスキップするステップ、あるいは、
前記第1のキャリア構成情報に従って、前記第1のキャリアにおいて前記拡張フォーマットの前記共通チャネルが用いられるかどうか判定し、判定結果が「用いられる」である場合に、前記第1のキャリアのサブフレーム内のPDCCHおよび／もしくはPDSCHを受信し、もしくは復号するときに、前記サブフレーム内の前記PDCCHおよび／もしくは前記PDSCHによって占有されうるシンボルの中から、前記拡張フォーマットの前記共通チャネルによって占有されるシンボルを除外し、または、判定結果が「用いられない」である場合に、前記第1のキャリアのサブフレーム内のPDCCHおよび／もしくはPDSCHを受信し、もしくは復号するときに、前記サブフレーム内の前記PDCCHおよび／もしくは前記PDSCHによって占有されうるシンボルの中から、前記拡張フォーマットの前記共通チャネルによって占有されるシンボルを除外するのをスキップするステップと、
を含む、サブフレーム処理方法。
【請求項６２】
前記第1のキャリア構成情報に従って、前記第1のキャリアが前記共通チャネルを含むかどうか判定する前記ステップは、
前記第1のキャリア構成情報が前記第1の指示情報を含むと判定される場合、もしくは前記第1のキャリア構成情報が前記システムブロードキャスト情報を含まないと判定される場合に、前記第1のキャリアは前記共通チャネルを含まないと判定するステップ、または、
前記第1のキャリア構成情報が前記第1の指示情報を含まないと判定される場合、もしくは前記第1のキャリア構成情報が前記システムブロードキャスト情報を含むと判定される場合に、前記第1のキャリアは前記共通チャネルを含むと判定するステップ、
を含む、請求項61に記載のサブフレーム処理方法。
【請求項６３】
前記第1のキャリア構成情報に従って、前記第1のキャリアにおいて前記拡張フォーマットの前記共通チャネルが用いられるかどうか判定する前記ステップは、
前記第1のキャリア構成情報が前記第2の指示情報を含むと判定される場合、前記第1のキャリアにおいて前記拡張フォーマットの前記共通チャネルが用いられると判定するステップ、または、
前記第1のキャリア構成情報が前記第2の指示情報を含まないと判定される場合、前記第1のキャリアにおいて前記非拡張フォーマットの前記共通チャネルが用いられると判定するステップ、
を含む、請求項61または62に記載のサブフレーム処理方法。
【手続補正２】
【補正対象書類名】明細書
【補正対象項目名】００１０
【補正方法】変更
【補正の内容】
【００１０】
第1の態様または第1の態様の第1もしくは第2の可能な実施態様に関連して、第1の態様の第3の可能な実施態様において、情報送信モジュールは、RRC（Radio Resource Control、無線リソース制御）メッセージ、MAC（Media access control、媒体アクセス制御）層PDU（Protocol Data Unit、プロトコル・データ・ユニット）メッセージ、または物理層シグナリングのいずれか1つまたは複数の種類のシグナリングを用いて端末へ情報決定モジュールによって決定された第1のキャリア構成情報を送信するように特に構成されている。
【手続補正３】
【補正対象書類名】明細書
【補正対象項目名】００１２
【補正方法】変更
【補正の内容】
【００１２】
第1の態様または第1の態様の第1から第4の可能な実施態様のいずれか1つに関連して、第1の態様の第5の可能な実施態様において、情報決定モジュールは第1のセカンダリキャリアの第2のキャリア構成情報を決定するようにさらに構成されており、第2のキャリア構成情報は、
第1のセカンダリキャリアのシステムブロードキャスト情報であって、システムブロードキャスト情報は第1のセカンダリキャリアが共通チャネルを含むことを指示することができ、共通チャネルは、PBCH（Physical broadcast channel、物理ブロードキャストチャネル）、PSS（Primary synchronization signal、プライマリ同期信号）、SSS（Secondary synchronization signal、セカンダリ同期信号）、もしくは参照信号のうちのいずれか1つもしくは複数を含む、第1のセカンダリキャリアのシステムブロードキャスト情報、
第1の指示情報であって、第1の指示情報は第1のセカンダリキャリアが共通チャネルを含まないことを指示するのに用いられる、第1の指示情報、または、
第2の指示情報であって、第2の指示情報は第1のセカンダリキャリアで用いられる共通チャネルが拡張フォーマットの共通チャネルであることを指示するのに用いられる、第2の指示情報
のいずれか1つまたは複数の種類の情報を含み、
情報送信モジュールは、端末が受信した第2のキャリア構成情報に従って、
第1のセカンダリキャリアが共通チャネルを含むかどうか判定し、判定結果が「含む」である場合に、第1のセカンダリキャリアのサブフレーム内のPDCCHおよび／もしくはPDSCHを受信し、もしくは復号するときに、サブフレーム内のPDCCHおよび／もしくはPDSCHによって占有されうるシンボルの中から、共通チャネルによって占有されるシンボルを除外し、または、判定結果が「含まない」である場合に、第1のセカンダリキャリアのサブフレーム内のPDCCHおよび／もしくはPDSCHを受信し、もしくは復号するときに、サブフレーム内のPDCCHおよび／もしくはPDSCHによって占有されうるシンボルの中から、共通チャネルによって占有されるシンボルを除外するのをスキップする動作、あるいは、
第1のセカンダリキャリアにおいて拡張フォーマットの共通チャネルが用いられるかどうか判定し、判定結果が「用いられる」である場合に、第1のセカンダリキャリアのサブフレーム内のPDCCHおよび／もしくはPDSCHを受信し、もしくは復号するときに、サブフレーム内のPDCCHおよび／もしくはPDSCHによって占有されうるシンボルの中から、拡張フォーマットの共通チャネルによって占有されるシンボルを除外し、または、判定結果が「用いられない」である場合に、第1のセカンダリキャリアのサブフレーム内のPDCCHおよび／もしくはPDSCHを受信し、もしくは復号するときに、サブフレーム内のPDCCHおよび／もしくはPDSCHによって占有されうるシンボルの中から、拡張フォーマットの共通チャネルによって占有されるシンボルを除外するのをスキップする動作
を行うように、端末へ情報決定モジュールによって決定された第2のキャリア構成情報を送信するようにさらに構成されている。
【手続補正４】
【補正対象書類名】明細書
【補正対象項目名】００１７
【補正方法】変更
【補正の内容】
【００１７】
第3の態様または第3の態様の第1もしくは第2の可能な実施態様に関連して、第3の態様の第3の可能な実施態様において、サブフレーム処理モジュールは、第1のキャリア構成情報がPDSCH開始シンボル位置を指示するのに用いられるシンボル位置指示情報を搬送すると判定される場合、シンボル位置指示情報で指示されるPDSCH開始シンボル位置に従って、特殊サブフレーム内のPDSCH開始シンボル位置後の各非ギャップシンボルをPDSCHによって占有されうるシンボルとして用いる、ように特に構成されており、または、
特殊サブフレームの第1のシンボルからPCFICH（physical control format indicator channel、物理制御フォーマット指示チャネル）を読み取り、PCFICHに従って、PDCCHによって占有されうるシンボルを決定し、特殊サブフレーム内のギャップシンボルおよびPDCCHによって占有されうるシンボルを除くすべてのシンボルをPDSCHによって占有されうるシンボルとして用いるように特に構成されており、または、
特殊サブフレームの第（M＋1）のシンボルからPCFICHを読み取り、PCFICHに従って、PDCCHによって占有されうるシンボルを決定し、特殊サブフレーム内のギャップシンボルおよびPDCCHによって占有されうるシンボルを除くすべてのシンボルをPDSCHによって占有されうるシンボルとして用いるように特に構成されている。
【手続補正５】
【補正対象書類名】明細書
【補正対象項目名】００３８
【補正方法】変更
【補正の内容】
【００３８】
第7の態様または第7の態様の第1もしくは第2の可能な実施態様に関連して、第7の態様の第3の可能な実施態様において、プロセッサは、第1のキャリア構成情報がPDSCH開始シンボル位置を指示するのに用いられるシンボル位置指示情報を搬送すると判定される場合、シンボル位置指示情報で指示されるPDSCH開始シンボル位置に従って、特殊サブフレーム内のPDSCH開始シンボル位置後の各非ギャップシンボルをPDSCHによって占有されうるシンボルとして用いる、ように特に構成されており、または、
特殊サブフレームの第1のシンボルから物理制御フォーマット指示チャネルPCFICHを読み取り、PCFICHに従って、PDCCHによって占有されうるシンボルを決定し、特殊サブフレーム内のギャップシンボルおよびPDCCHによって占有されうるシンボルを除くすべてのシンボルをPDSCHによって占有されうるシンボルとして用いるように特に構成されており、または、
特殊サブフレームの第（M＋1）のシンボルからPCFICHを読み取り、PCFICHに従って、PDCCHによって占有されうるシンボルを決定し、特殊サブフレーム内のギャップシンボルおよびPDCCHによって占有されうるシンボルを除くすべてのシンボルをPDSCHによって占有されうるシンボルとして用いるように特に構成されている。
【手続補正６】
【補正対象書類名】明細書
【補正対象項目名】００５９
【補正方法】変更
【補正の内容】
【００５９】
第11の態様または第11の態様の第1もしくは第2の可能な実施態様に関連して、第11の第3の可能な実施態様において、特殊サブフレーム内のギャップシンボルを除くすべてのシンボルをPDCCHおよび／またはPDSCHによって占有されうるシンボルとして用いるステップは、
第1のキャリア構成情報がPDSCH開始シンボル位置を指示するのに用いられるシンボル位置指示情報を搬送すると判定される場合、シンボル位置指示情報で指示されるPDSCH開始シンボル位置に従って、特殊サブフレーム内のPDSCH開始シンボル位置後の各非ギャップシンボルをPDSCHによって占有されうるシンボルとして用いるステップ、または、
特殊サブフレームの第1のシンボルからPCFICHを読み取り、PCFICHに従って、PDCCHによって占有されうるシンボルを決定し、特殊サブフレーム内のギャップシンボルおよびPDCCHによって占有されうるシンボルを除くすべてのシンボルをPDSCHによって占有されうるシンボルとして用いるステップ、または、
特殊サブフレームの第（M＋1）のシンボルからPCFICHを読み取り、PCFICHに従って、PDCCHによって占有されうるシンボルを決定し、特殊サブフレーム内のギャップシンボルおよびPDCCHによって占有されうるシンボルを除くすべてのシンボルをPDSCHによって占有されうるシンボルとして用いるステップ、
を含む。
【手続補正７】
【補正対象書類名】明細書
【補正対象項目名】０１２５
【補正方法】変更
【補正の内容】
【０１２５】
具体的には、サブフレーム処理モジュール33は、第1のキャリア構成情報がPDSCH開始シンボル位置を指示するのに用いられるシンボル位置指示情報を搬送すると判定される場合、シンボル位置指示情報で指示されるPDSCH開始シンボル位置に従って、特殊サブフレーム内のPDSCH開始シンボル位置後の各非ギャップシンボルをPDSCHによって占有されうるシンボルとして用いる、ように特に構成することができ、シンボル位置指示情報は、ネットワーク側デバイスが第1のセカンダリキャリアはクロススケジュールキャリアであると判定したときに端末へ送信され、または、
サブフレーム処理モジュール33は、特殊サブフレームの第1のシンボルからPCFICHを読み取り、PCFICHに従って、PDCCHによって占有されうるシンボルを決定し、特殊サブフレーム内のギャップシンボルおよびPDCCHによって占有されうるシンボルを除くすべてのシンボルをPDSCHによって占有されうるシンボルとして用いるように特に構成することもでき、または
特殊サブフレームの第（M＋1）のシンボルからPCFICHを読み取り、PCFICHに従って、PDCCHによって占有されうるシンボルを決定し、特殊サブフレーム内のギャップシンボルおよびPDCCHによって占有されうるシンボルを除くすべてのシンボルをPDSCHによって占有されうるシンボルとして用いるように特に構成することもできる。
【手続補正８】
【補正対象書類名】明細書
【補正対象項目名】０１２６
【補正方法】変更
【補正の内容】
【０１２６】
第1のキャリア構成情報がPDSCH開始シンボル位置を指示するのに用いられるシンボル位置指示情報を搬送しないと判定される場合、サブフレーム処理モジュール33は、任意の特殊サブフレームについて、特殊サブフレームの第1のシンボルからPCFICHを読み取り、または特殊サブフレームの第（M＋1）のシンボルからPCFICHを読み取り、PCFICHに従って、PDCCHによって占有されうるシンボルを決定し、特殊サブフレーム内のギャップシンボルおよびPDCCHによって占有されうるシンボルを除くすべてのシンボルをPDSCHによって占有されうるシンボルとして用いる、ように特に構成することができることに留意すべきである。
【手続補正９】
【補正対象書類名】明細書
【補正対象項目名】０１２７
【補正方法】変更
【補正の内容】
【０１２７】
さらに、PCFICHを読み取る前述の方法が、PDCCHによって占有されうるシンボルおよびPDSCHによって占有されうるシンボルを決定するのに用いられるときには、サブフレーム処理モジュール33は、任意の特殊サブフレームについて、特殊サブフレーム内のギャップシンボルが特殊サブフレームの開始位置に位置しないと判定されるときには特殊サブフレームの第1のシンボルからPCFICHを読み取り、特殊サブフレーム内のギャップシンボルが特殊サブフレームの開始位置に位置すると判定されるときには特殊サブフレーム内の第（M＋1）のシンボルからPCFICHを読み取る、ように特に構成することができ、または、特殊サブフレーム内の第1のシンボルからPCFICHをまず読み取り、読み取りに失敗したときに、特殊サブフレーム内の第（M＋1）のシンボルからPCFICHを読み取るように構成することもでき、または、特殊サブフレーム内の第（M＋1）のシンボルからPCFICHをまず読み取り、読み取りに失敗したときに、特殊サブフレーム内の第1のシンボルからPCFICHを読み取るように構成することもできることに留意すべきであり、これについては本発明の本実施形態では限定されない。
【手続補正１０】
【補正対象書類名】明細書
【補正対象項目名】０１６９
【補正方法】変更
【補正の内容】
【０１６９】
さらに、ギャップシンボルおよび対応する特殊サブフレームが決定された後で、対応する特殊サブフレームに対して処理を行うことができる。具体的には、プロセッサ82は、第1のキャリア構成情報がPDSCH開始シンボル位置を指示するのに用いられるシンボル位置指示情報を搬送すると判定される場合、シンボル位置指示情報で指示されるPDSCH開始シンボル位置に従って、特殊サブフレーム内のPDSCH開始シンボル位置後の各非ギャップシンボルをPDSCHによって占有されうるシンボルとして用いる、ように特に構成することができ、または、
特殊サブフレームの第1のシンボルからPCFICHを読み取り、PCFICHに従って、PDCCHによって占有されうるシンボルを決定し、特殊サブフレーム内のギャップシンボルおよびPDCCHによって占有されうるシンボルを除くすべてのシンボルをPDSCHによって占有されうるシンボルとして用いるように特に構成することもでき、または
特殊サブフレームの第（M＋1）のシンボルからPCFICHを読み取り、PCFICHに従って、PDCCHによって占有されうるシンボルを決定し、特殊サブフレーム内のギャップシンボルおよびPDCCHによって占有されうるシンボルを除くすべてのシンボルをPDSCHによって占有されうるシンボルとして用いるように特に構成することもできる。
【手続補正１１】
【補正対象書類名】明細書
【補正対象項目名】０１７０
【補正方法】変更
【補正の内容】
【０１７０】
第1のキャリア構成情報がPDSCH開始シンボル位置を指示するのに用いられるシンボル位置指示情報を搬送しないと判定される場合、プロセッサ82は、任意の特殊サブフレームについて、特殊サブフレームの第1のシンボルからPCFICHを読み取り、または特殊サブフレームの第（M＋1）のシンボルからPCFICHを読み取り、PCFICHに従って、PDCCHによって占有されうるシンボルを決定し、特殊サブフレーム内のギャップシンボルおよびPDCCHによって占有されうるシンボルを除くすべてのシンボルをPDSCHによって占有されうるシンボルとして用いる、ように特に構成することができることに留意すべきである。
【手続補正１２】
【補正対象書類名】明細書
【補正対象項目名】０２１３
【補正方法】変更
【補正の内容】
【０２１３】
具体的には、特殊サブフレーム内のギャップシンボルを除くすべてのシンボルをPDCCHおよび／またはPDSCHによって占有されうるシンボルとして用いるステップは、
第1のキャリア構成情報がPDSCH開始シンボル位置を指示するのに用いられるシンボル位置指示情報を搬送すると判定される場合、シンボル位置指示情報で指示されるPDSCH開始シンボル位置に従って、特殊サブフレーム内のPDSCH開始シンボル位置後の各非ギャップシンボルをPDSCHによって占有されうるシンボルとして用いるステップであって、シンボル位置指示情報は、ネットワーク側デバイスが第1のセカンダリキャリアはクロススケジュールキャリアであると判定したときに端末へ送信される、ステップ、または、
特殊サブフレームの第1のシンボルからPCFICHを読み取り、PCFICHに従って、PDCCHによって占有されうるシンボルを決定し、特殊サブフレーム内のギャップシンボルおよびPDCCHによって占有されうるシンボルを除くすべてのシンボルをPDSCHによって占有されうるシンボルとして用いるステップ、または、
特殊サブフレームの第（M＋1）のシンボルからPCFICHを読み取り、PCFICHに従って、PDCCHによって占有されうるシンボルを決定し、特殊サブフレーム内のギャップシンボルおよびPDCCHによって占有されうるシンボルを除くすべてのシンボルをPDSCHによって占有されうるシンボルとして用いるステップ、
を含む。
【手続補正１３】
【補正対象書類名】明細書
【補正対象項目名】０２１４
【補正方法】変更
【補正の内容】
【０２１４】
端末は、第1のキャリア構成情報がPDSCH開始シンボル位置を指示するのに用いられるシンボル位置指示情報を搬送しないと判定されるときに、任意の特殊サブフレームについて、特殊サブフレームの第1のシンボルからPCFICHを読み取る動作、または特殊サブフレームの第（M＋1）のシンボルからPCFICHを読み取る動作、PCFICHに従って、PDCCHによって占有されうるシンボルを決定する動作、特殊サブフレーム内のギャップシンボルおよびPDCCHによって占有されうるシンボルを除くすべてのシンボルをPDSCHによって占有されうるシンボルとして用いる動作、を行うことができる、ことに留意すべきである。
【国際調査報告】
2017526216.tif 000014
2017526216.tif 000015
2017526216.tif 000016
2017526216.tif 000017